(57)【要約】【課題】双方向電気コネクターを提供する。【解決手段】双方向電気コネクターは浮動或いは固定式舌板２２を有し、一枚の金属板材を利用し展開し、しかも重ねず、上下接触インターフェース４３、４４と金属舌板５２を製造する。舌板２２にはＨ型の位置限定構造を加え、双方向電気コネクターと相補的電気コネクターが対応接続してもショートが発生しないよう確保する。金属舌板５２或いは絶縁舌板中には金属補強片の構造を加え、双方向電気コネクターの使用を優良化できる。金属ケース上の嵌合構造はスムースな対応接続に有利で、しかも対応接続後には緩みにくく、対応接続の堅固を拡大する。【選択図】図５
2018520486.tif 000002
【特許請求の範囲】
【請求項１】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板は、前記連接槽の中段に浮動するように、或いは、固定して設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、
前記舌板はＨ型舌板構造で、前記Ｈ型舌板構造の前記ケースの両側面に隣接する部分は、前記二列の接触部を隔離する２個の位置限定凸部で、前記２個の位置限定凸部は、Ｈ型舌板構造の中央より高いことを特徴とする、双方向電気コネクター。
【請求項２】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板は、前記連接槽の中段に浮動するように、或いは、固定して設置され、
前記舌板の上下両側には、少なくとも１個の位置限定凹槽をそれぞれ設置し、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、
前記接触部の前方導斜面は、前記舌板の前記位置限定凹槽の底部に密着し、前記接点は、前記位置限定凹槽の前記底面を基準とする最高面より高いことを特徴とする、双方向電気コネクター。
【請求項３】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板は、前記連接槽の中段に浮動するように設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、
前記二列の接触部は、一枚の金属板材に、ブランキング展開プレス成形インサート・モールディングにより一つが前で一つが後に形成されることを特徴とする、双方向電気コネクター。
【請求項４】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板前記連接槽の中段に固定して設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、
前記二列の接触部の二列の前方導斜面は、前記舌板の上下両側にそれぞれ密着し、しかも前記二列の延伸弾動部は、前記舌板の上下両側において、上下に圧縮弾動されることを特徴とする、双方向電気コネクター。
【請求項５】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板は、前記連接槽の中段に固定するように、或いは、浮動するように設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、
前記舌板は金属舌板であることを特徴とする、双方向電気コネクター。
【請求項６】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板は、前記連接槽の中段に設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、
前記舌板はＨ型舌板構造で、前記二列の接触部は、一枚の金属板材において、ブランキング展開プレス成形され、しかも一次インサート・モールディングされ、一つが前で一つが後に形成されることを特徴とする、双方向電気コネクター。
【請求項７】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板は、前記連接槽の中段に固定するように、或いは、浮動するように設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、
前記舌板はＨ型舌板構造で、前記Ｈ型舌板構造の前記ケースの両側面に隣接する部分は、２個の位置限定凸部で、前記２個の位置限定凸部は、Ｈ型舌板構造の中央の金属舌板構造に比べ高度差を有し、前記高度差は、前記二列の接触部を隔離でき、前記Ｈ型舌板中段には、連接槽の金属舌板構造を設置し、全貫通構造であることを特徴とする、双方向電気コネクター。
【請求項８】
双方向電気コネクターであって、ケース、絶縁台体、前記絶縁台体の前端に設置する舌板、二列の接触端子を有し、
前記絶縁台体には、相同の回路に直列接続するＵ字型連結構造を設置し、前記Ｕ字型連結構造は、前記絶縁台体の後端に、段差を湾折設置し、前記絶縁台体中に埋設され、
前記ケースは、前記舌板を取り囲み、前記舌板の上下両側には、連接槽を形成し、前記舌板は、前記連接槽の中段に固定するように、或いは、浮動するように設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出すことを特徴とする、双方向電気コネクター。
【請求項９】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板は、前記連接槽の中段に固定するように、或いは、浮動するように設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、
前記二列の接触部は一枚の金属板材において、ブランキング展開プレス成形され、一つが前で一つが後に形成し、しかも相同の回路の２個の接触部の間には、コの字型或いは、Ｕ字型、或いは、上下に相対した一体式金属端子連結構造を設置することを特徴とする、双方向電気コネクター。
【請求項１０】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板は、前記連接槽の中段に固定するように、或いは、浮動するように設置され、
前記二列の接触端子のいずれかには、少なくとも１個の延伸部、前記延伸部の前端に設置される接点と接触部、固定部とピンを設置し、前記二列の接点は、前記舌板の上下両側にそれぞれ設置され、前記固定部の前端は、前記延伸部に連接し、前記固定部の後端に連接する前記ピンは、前記絶縁台体外に伸び出し、
前記二列の接触部は一枚の金属板材において、ブランキング展開プレス成形され、一つが前で一つが後に形成し、しかも相同の回路の２個の接触部の内の少なくとも一対は、前記対応する延伸部位置において、凸包構造を設置し、その長さを短縮することを特徴とする、双方向電気コネクター。
【請求項１１】
双方向電気コネクターであって、ケース、絶縁台体、前記絶縁台体の前端に設置する舌板、二列の接触端子を有し、
前記ケースは、前記舌板を取り囲み、前記舌板の上下両側には、連接槽を形成し、前記舌板は、前記連接槽の中段に固定するように、或いは、浮動するように設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、
前記二列の接触部は前後二列で、しかも相同の回路の前記各接触部は上下で、しかも一枚の金属板材においてブランキング展開プレス成形され、一つが左で一つが右に形成し、しかも前記絶縁台体の両側には、前記二列の金属端子を分割するブリッジの無電気メッキ層構造を設置することを特徴とする、双方向電気コネクター。
【請求項１２】
双方向電気コネクターであって、ケース、舌板、前記舌板の後段に設置される絶縁台体、二列の接触端子を有し、
前記ケースは、金属ケースで、しかも前記ケース上に設置される少なくとも１個の弾性嵌合構造を有し、前記弾性嵌合構造は、前導斜面と後係合面を有し、前記後係合面は、前記前導斜面に比べ急傾斜で、前記ケースのケース面外に突出し、相補的電気コネクターが、前記舌板の前端から接近し対応接続すると、前記前導斜面は、前記後係合面より先に前記相補的電気コネクターに接触し、対応接続して定位後、前記後係合面は急傾斜で抜き出し力を拡大し、挟持係合定位機能を確保する前後異なる斜面構造で、
前記ケースは、前記舌板を取り囲み、前記舌板の上下両側には、連接槽を形成し、前記舌板は、前記連接槽の中段に固定するように、或いは、浮動するように設置され、
前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出すことを特徴とする、双方向電気コネクター。
【請求項１３】
前記金属ケース上下二面には、封鎖式釣竿型漸縮或いは、漸拡弾性嵌合構造を設置し、或いは、
前記金属ケースは両側には、上下、左右が対称＜＞斜角を呈する金属板材湾折構造を設置し、或いは、
前記金属ケース両側は＜＞型斜角を呈する金属板材湾折の上下、左右が対称な定位構造で、或いは、
前記金属ケースは四面で囲み、前方が挿入口を開放する金属板材湾折の上下、左右が対称な定位構造で、或いは、
前記舌板はＨ型で前記連接槽中段に固定或いは浮動設置され、或いは、
浮動舌板には、隔離された隔離構造を設置し、これにより長短端子の弾動接触部は、それぞれ自主的に作動し、或いは、
前記上下二列の接触端子の上下接触部は共に、少なくとも両側が比較的長い接触部で、或いは、
前記上下二列の接触端子の電源及び接地端子には、幅が広い接触部、延伸部、固定部及びピンを設置し、或いは、
前記上下二列の一つが前で一つが後の連接インターフェースは相同の接触インターフェースで、しかも相同の回路シリアル番号のものは、順番に反対方向に排列し、或いは、
前記上下二列の一つが前で一つが後の連接インターフェースは相同の接触インターフェースで、順番に反対方向に排列し、しかも相同の回路シリアル番号のものは電気的に連接し、或いは、
前記上下二列の接触端子の接触部は、一枚の金属板材において、ブランキング展開プレス成形され、しかも一次インサート・モールディングされ、一つが前で一つが後に形成され、或いは、
前記舌板は金属舌板で、前記連接槽中段に固定され、或いは絶縁舌板で、前記連接槽中段に浮動設置され、或いは、
前記絶縁台体両側には、金属端子ブリッジを分割する無電気メッキ層構造を設置することを特徴とする、請求項１２に記載の双方向電気コネクター。
【請求項１４】
前記延伸部は弾動延伸部で、或いは、
前記上下列の接触端子の接触部前方導斜面は、舌板位置限定凹槽底部に密着し、しかも前記上下列の接触端子の接触部接点が舌板上下位置限定元凹槽構造の最高面より高い時、前記二列の接触端子には、前記延伸弾動部を設置し、前記延伸弾動部中段は、舌板の上下両側と浮動或いは固定され弾動間隙を設置し、或いは、
前記舌板が浮動である時、前記浮動舌板には、隔離された隔離構造を設置し、これにより長短端子の弾動接触部は、それぞれ自主的に作動し、或いは、
前記上下二列の接触端子の上下接触部は共に、少なくとも両側が比較的長い接触部で、或いは、
前記二列の接触端子には、前記延伸弾動部を設置し、前記延伸弾動部中段は、舌板の上下両側と浮動或いは固定され弾動間隙を設置し、或いは、
前記上下二列の接触端子の前記延伸弾動部中段は、前記舌板の上下両側にそれぞれ密着し、しかも前記接触部前方導斜面は、前記固定舌板の上下両側にそれぞれ浮動するように設置され、前記接触部前方導斜面は、前記固定舌板の上下両側とそれぞれ弾動間隙を設置し、或いは、
前記Ｈ型の舌板は浮動或いは固定構造の舌板で、或いは、
前記浮動或いは固定式舌板は絶縁舌板構造で、金属補強片を埋設でき、或いは、
前記上下二列の接触端子の電源及び接地端子には、幅が広い接触部、延伸部、固定部及びピンを設置し、或いは、
前記上下二列の接触端子には、少なくとも２個の充電式構造、或いは３個の、或いは、４個の、或いは５個の上下前後接触部の浮動式絶縁舌板、或いは固定式金属舌板構造を設置し、或いは、
前記Ｈ型舌板は、外側が厚い２個の位置限定凸部、及び中段が比較的薄い分隔板を設置し、或いは、
前記Ｈ型浮動舌板の中段には、比較的薄い分隔板を設置し、前記分隔板の上下には、端子位置限定槽を設置し、しかも前記上下端子接触部導斜面前端は、前記位置限定槽に陥没状に設置され、或いは前記位置限定槽底部に密着し、或いは、
前記Ｈ型浮動舌板中段の上下端子間には、分隔板及び位置限定槽を設置し、しかも前記上下端子は、前記分隔板に密着し、しかも上下端子の接触部は、前記舌板中段分隔板の位置限定槽に突出し、或いは、
前記Ｈ型浮動舌板中段の上下端子間には、分隔板及び位置限定槽を設置し、前記位置限定槽は、前記上下端子接触部導斜面の前端及び両側で位置を限定し、或いは、
前記Ｈ型浮動或いは固定舌板の中段分隔板は、金属補強片を覆って設置し、前記双方向コネクターと対応接続コネクターとが対応接続すると、前記舌板中段分隔板に設置される金属補強片は、前記上下端子の弾動接触部の弾性圧縮の強度を支援でき、或いは、
前記浮動舌板の金属シャープネル及び上下二列の接触端子は一枚の金属板材を展開し重ねず、或いは、
前記外ケースは金属ケースで、しかも前記弾性嵌合部の前導斜面はスムースに挿入された後、係合面は急傾斜で抜き出し力を拡大でき、挟持係合定位機能を確保する前後異なる斜面構造で、或いは、
前記上下二列の接触端子の相同の回路に直列接続するＵ字型連結構造は、後端に、湾折段差を設置し、或いは、
前記上下二列の接触端子の相同の回路の接触部の内の少なくとも一対の接地端子は、前記延伸部において、凸包構造を設置し、長さを短縮し、或いは、
前記少なくとも１個の金属内縮アームは、前記上下二列の接触端子周辺のコの字型金属外枠に設置され、前記コの字型金属外枠には、連結ブリッジを設置し、前記上下各少なくとも１個の接触部を連結し、或いは、
前記絶縁台体中央には、金属接地隔板を設置し、前記金属接地隔板には、ピン及び上下探知シャープネルを設置し、上下列の接地接触端子と接続し、探知シャープネルと上下列の接地接触端子のショートとオープンにより、前記電気コネクターの挿入方向を判別し、これにより、その内の一面の接触端子は伝送回路で、もう一面の接触端子は切断回路で、或いは、
前記外ケースは金属ケースで、しかも前記弾性嵌合部の前導斜面はスムースに挿入された後、係合面は急傾斜で抜き出し力を拡大でき、挟持係合定位機能を確保する前後異なる斜面構造で、或いは、
前記二列の接触端子には、前記延伸弾動部を設置し、前記延伸弾動部中段は、舌板の上下両側と浮動或いは固定され弾動間隙を設置することを特徴とする、請求項１〜１３の任意の一項に記載の双方向電気コネクター。
【請求項１５】
前記上下二列の接触端子の上下接触部は共に、少なくとも両側が比較的長い接触部で、或いは、
前記上下二列の一つが前で一つが後の連接インターフェースは相同の接触インターフェースで、しかも相同の回路シリアル番号のものは、順番に反対方向に排列し、或いは、
前記上下二列の一つが前で一つが後の連接インターフェースは相同の接触インターフェースで、順番に反対方向に排列し、しかも相同の回路シリアル番号のものは電気的に連接し、或いは、
前記上下二列の接触端子の電源及び接地端子には、幅が広い接触部、延伸部、固定部及びピンを設置し、或いは、
前記上下二列の接触端子の相同の回路の接触部には、コの字型或いはＵ字型の一体式金属端子連結構造を連接して設置し、或いは、
前記上下二列の接触端子の相同の回路に直列接続するＵ字型連結構造は、後端に、湾折段差を設置し、或いは、
前記上下二列の接触端子の相同の回路の接触部の内の少なくとも一対の接地端子は、前記延伸部において、凸包構造を設置し、長さを短縮し、或いは、
前記少なくとも１個の金属内縮アームは、前記上下二列の接触端子周辺のコの字型金属外枠に設置され、前記コの字型金属外枠には、連結ブリッジを設置し、前記上下各少なくとも１個の接触部を連結し、或いは、
前記浮動或いは固定式舌板は絶縁舌板構造で、金属補強片を埋設でき、或いは、
前記上下二列の接触端子には、少なくとも２個の充電式構造、或いは３個の、或いは４個の、或いは５個の上下前後接触部の浮動或いは固定式金属舌板構造を設置し、或いは、
前記Ｈ型の舌板は浮動或いは固定構造の舌板で、或いは、
前記Ｈ型舌板の両側は比較的厚い位置限定凸部、及び中段が比較的薄い分隔板で、比較的低い上下接触部を設置し、或いは、
前記Ｈ型舌板の中段には、比較的薄い分隔板を設置し、前記分隔板の上下には、端子位置限定槽を設置し、しかも前記上下端子接触部導斜面前端は、前記位置限定槽に陥没状に設置され、或いは前記位置限定槽底部に密着し、或いは、
前記Ｈ型舌板中段の上下端子間には、分隔板及び位置限定槽を設置し、しかも前記上下端子は、前記分隔板に密着し、しかも上下端子の接触部は、前記舌板中段分隔板の位置限定槽に突出し、或いは、
前記Ｈ型舌板中段の上下端子間には、分隔板及び位置限定槽を設置し、前記位置限定槽は、前記上下端子接触部導斜面の前端及び両側で位置を限定し、或いは、
前記Ｈ型舌板の中段分隔板は、金属補強片を覆って設置し、前記双方向コネクターと対応接続コネクターとが対応接続すると、前記舌板中段分隔板に設置される金属補強片は、前記上下端子の弾動接触部の弾性圧縮の強度を支援でき、或いは、
前記Ｈ型舌板構造は固定舌板で、しかも前記固定舌板中段分隔板は金属或いは絶縁舌板で、しかも前記金属或いは絶縁舌板前端には、上下導斜面が錐形の挿入口構造を設置し、或いは、
前記接地及び電源接触端子は共に、コの字型各一つが上で一つが下の２個の接触部、合計４個の接触部の直列接続構造で、しかも接地接触部は、電源接触端子の前方に設置され、正負極の充電式構造のみを設置し、しかも２個のピンのみを設置し、或いは、
前記充電のみ型構造は、両側上下にのみ、前後或いは左右位置がずれた２種の迅速充電幅広延伸弾動部の構造を設置し、或いは、
前記充電式Ｍｉｃｒｏ  ＵＳＢ  ２．０オスプラグで、しかも接地接触部片側に、探知接触部を増設し、しかも前記接地接触部と一体式構造で、上下各３個、計６個の接触部及び２個の或いは少なくとも２個のピンを有し、探知機能を備える充電式構造で、或いは、
前記充電式Ｍｉｃｒｏ  ＵＳＢ  ２．０オスプラグで、しかも接地接触部片側に、探知接触部を増設し、しかも前記接地接触部とは分体式構造で、前記探知接触部は、前記外コの字型前端横方向延伸部中段の上下に一体に設置され、前記接地接触部は、前記外コの字型両側の内側において、連接槽底部から前方へと前端の２個の接地接触部へと延伸し、しかも前記台体基部後端に直列接続し、前記上下電源接触部は、連接槽底部より一体に前方へと延伸し、前記接地接触部の後方に設置され、前記接地、電源と探知接触部は共に、少なくとも１個のピンをそれぞれ設置し、合計少なくとも３個の溶接盤はオープンタイプ探知構造機能を有する充電式構造で、或いは、
前記充電式Ｍｉｃｒｏ  ＵＳＢ  ２．０オスプラグで、しかも接地接触部片側に、探知接触部を増設し、しかも前記接地接触部とは分体式構造で、前記上下一体の接地、電源と探知接触部は共に、少なくとも１個のピン、合計少なくとも３個の溶接盤をそれぞれ設置し、しかも前記探知接触部と前記接地接触部間には、電気抵抗部材を設置し、オープンタイプ探知構造機能を有する充電式構造で、或いは、
前記少なくとも信号及び充電機能を備えるＭｉｃｒｏ  ＵＳＢ  ２．０オスプラグで、前記中央の上下はＤ＋信号接触部で、前記外コの字型前端横方向延伸部の中段に一体に設置され、そのまま内部へと延伸し、しかも反対に折れ、電源接触部の前方に上下相対して位置し、
前記上下接地接触部は、連接槽両側に設置され、一体式構造で、しかも電源接触部の前方に位置し、
前記上下電源接触部は、前記接地接触部の後方に設置され、しかも前記外コの字型両側の内側に設置され、連接槽底部により一体に連結されて前方へと延伸し、
前記上下Ｄ−信号接触部は連接槽に一体に設置され、底部から前方へと延伸し、しかも前記Ｄ＋信号接触部の片側に位置し、前記上下接地、電源とＤ＋、Ｄ−接触部はすべて、少なくとも４個の接触部及び少なくとも４個の溶接盤をそれぞれ有し、少なくとも信号及び充電機能を有する構造で、或いは、
前記少なくとも信号及び充電機能を備えるＭｉｃｒｏ  ＵＳＢ  ２．０オスプラグで、前記中央の上下はＤ＋信号接触部で、前記外コの字型前端横方向延伸部の中段に一体に設置され、そのまま内部へと延伸し、しかも上下反対に折れ、電源接触部の前方に相対して位置し、少なくとも１個のピンを設置し、前記上下接地接触部は、連接槽両側に設置され、一体式の大Ｕ字型構造で、しかも電源接触部の前方に位置し、しかも少なくとも１個のピンを設置し、前記上下電源接触部は、前記接地接触部の後方に設置され、しかも前記外コの字型両側の内側に設置され、連接槽底部から一体式の中Ｕ字型連結は、前方へと延伸し、しかも少なくとも１個のピンを設置し、前記上下Ｄ−信号接触部は一体式の小Ｕ字型連接槽底部から前方へと延伸して設置し、しかも前記Ｄ＋信号接触部の片側に位置し、しかも少なくとも１個のピンを設置し、前記上下接地、電源とＤ＋、Ｄ−接触部はすべて、少なくとも４個の接触部及び少なくとも４個の溶接盤をそれぞれ有し、少なくとも信号及び充電機能を有する構造で、或いは、
前記双方向両面電気コネクターの上下二面の一つが前で一つが後の接触インターフェースはＭｉｃｒｏ  ＵＳＢ  ２．０オスプラグで、前記中段が両側へと延伸する上下ＩＤ探知接触部は、前記外コの字型前端横方向延伸部の中段に一体に設置され、前記上下接地接触部は、連接槽両側に設置され、一体式構造で、しかも電源接触部の前方に位置し、前記上下電源接触部は、前記接地接触部の後方に設置され、しかも前記外コの字型両側の内側に設置され、連接槽底部により一体連結され前方へと延伸し、前記中央の上下Ｄ＋信号接触部は連接槽に一体に設置され、底部から前方へと延伸し、しかも上下反対に折れ、ＩＤ探知接触部の後方に相対して位置し、前記上下Ｄ−信号接触部は連接槽に一体に設置され、底部から前方へと延伸し、しかも前記Ｄ＋信号接触部の片側に位置し、前記上下ＩＤ、接地、電源とＤ＋、Ｄ−接触部はすべて、少なくとも５個の接触部及び少なくとも５個の溶接盤をそれぞれ設置し、Ｍｉｃｒｏ  ＵＳＢ  ２．０オスプラグ機能を備える構造で、或いは、
前記双方向両面電気コネクターの上下二面の一つが前で一つが後の接触インターフェースは、Ｍｉｃｒｏ  ＵＳＢ  ２．０オスプラグで、前記中段が両側へと延伸する上下ＩＤ探知接触部は、前記外コの字型前端横方向延伸部の中段に一体に設置され、電源接触部の前方に位置し、少なくとも１個のピンを設置し、前記上下接地接触部は、連接槽両側に設置され、一体式の大Ｕ字型構造で、しかも電源接触部の前方に位置し、少なくとも１個のピンを設置し、前記上下電源接触部は、前記接地接触部の後方に設置され、しかも前記外コの字型両側の内側に設置され、連接槽底部から一体式の中Ｕ字型連結は、前方へと延伸し、しかも少なくとも１個のピンを設置し、前記中央の上下Ｄ＋信号接触部は連接槽に一体に設置され、底部から前方へと延伸し、しかも上下反対に折れ、ＩＤ探知接触部の後方に相対して位置し、前記上下Ｄ−信号接触部は一体式の小Ｕ字型連接槽底部から前方へと延伸して設置し、しかも前記Ｄ＋信号接触部の片側に位置し、しかも少なくとも１個のピンを設置し、前記上下ＩＤ、接地、電源とＤ＋、Ｄ−接触部はすべて、少なくとも５個の接触部及び少なくとも５個の溶接盤をそれぞれ設置し、Ｍｉｃｒｏ  ＵＳＢ  ２．０オスプラグ機能を備える構造で、或いは、
前記双方向両面電気コネクターの上下二面の一つが前で一つが後の接触インターフェースはＭｉｃｒｏ  ＵＳＢ  ２．０オスプラグで、前記上下のＩＤ、接地、電源接触部はすべて、少なくとも３個の接触部及び少なくとも３個の溶接盤をそれぞれ設置し、Ｍｉｃｒｏ  ＵＳＢ  ２．０オスプラグを備え、探知の充電機能を備え、しかも回路基板を設置しない構造で、或いは、
前記双方向両面電気コネクターの上下二面の一つが前で一つが後の接触インターフェースはＭｉｃｒｏ  ＵＳＢ  ２．０オスプラグで、前記上下の接地、電源とＤ＋、Ｄ−接触部はすべて、少なくとも４個の接触部及び少なくとも４個の溶接盤をそれぞれ有するＭｉｃｒｏ  ＵＳＢ  ２．０オスプラグで、少なくとも信号及び充電機能を備え、しかも回路基板を設置しない構造で、或いは、
前記双方向両面電気コネクターの上下二面の一つが前で一つが後の接触インターフェースはＭｉｃｒｏ  ＵＳＢ  ２．０オスプラグで、前記少なくとも上下ＩＤ、接地、電源とＤ＋、Ｄ−接触部は、少なくとも５個の接触部及び少なくとも５個の溶接盤を設置し、少なくとも１個の金属板片において、展開ブランキングプレスしスタッキングしない、Ｍｉｃｒｏ  ＵＳＢ  ２．０オスプラグの機能を備える構造で、しかも回路基板を設置しない構造で、或いは、
前記双方向両面電気コネクターの上下二面の一つが前で一つが後の接触インターフェースはＭｉｃｒｏ  ＵＳＢ  ２．０オスプラグで、前記少なくとも上下ＩＤ、接地、電源接触部は、少なくとも３個の接触部及び少なくとも３個の溶接盤をそれぞれ設置し、しかも前記ＩＤと接地端子の間には、電気抵抗部材を設置し、少なくとも１個の金属板片において、展開ブランキングプレスし、スタッキングしない、Ｍｉｃｒｏ  ＵＳＢ  ２．０オスプラグ機能を備える構造で、或いは、
前記絶縁台体中央には、金属接地隔板を設置し、前記金属接地隔板には、ピン及び上下探知シャープネルを設置し、上下列の接地接触端子と接続し、探知シャープネルと上下列の接地接触端子のショートとオープンにより、前記電気コネクターの挿入方向を判別し、これにより、その内の一面の接触端子は伝送回路で、もう一面の接触端子は切断回路で、或いは、
前記外ケースは金属ケースで、しかも該弾性嵌合部の前導斜面はスムースに挿入された後、係合面は急傾斜で抜き出し力を拡大でき、挟持係合定位機能を確保する前後異なる斜面構造であることを特徴とする、請求項１〜１３の任意の一項に記載の双方向電気コネクター。
【請求項１６】
一列の両面接触端子の金属内縮アーム構造であって、金属板材を有し、
前記金属板材は、少なくとも１個のベルトを連接し、前記ベルトは、上下二列の接触端子及び少なくとも１個の金属内縮アームを連接し、前記上下二列の接触端子には、上下で、しかも一つが前で一つが後、或いは一つが左で一つが右の二列の接触部をそれぞれ設置し、しかも一枚の金属板材においてブランキング展開プレス成形し、前記少なくとも１個の金属内縮アームには、連結ブリッジを設置し、前記少なくとも１個の接触部を連結し、前記少なくとも１個の金属内縮アームは、凸包構造を設置し、長さを短縮することを特徴とする、一列の両面接触端子の金属内縮アーム構造である。
【請求項１７】
前記上下二列の接触端子の上下接触部は共に、少なくとも両側が比較的長い接触部で、或いは、
前記上下二列の一つが前で一つが後の連接インターフェースは相同の接触インターフェースで、しかも相同の回路シリアル番号のものは、順番に反対方向に排列し、或いは、
前記上下二列の一つが前で一つが後の連接インターフェースは相同の接触インターフェースで、順番に反対方向に排列し、しかも相同の回路シリアル番号のものは電気的に連接し、或いは、
前記上下二列の接触端子の電源及び接地端子には、幅が広い接触部、延伸部、固定部及びピンを設置し、或いは、
前記上下二列の接触端子の相同の回路の接触部には、コの字型或いはＵ字型の一体式金属端子連結構造を連接して設置し、或いは、
前記上下二列の接触端子の接触部は、一枚の金属板材において、ブランキング展開プレス成形され、しかも一次インサート・モールディングされ、一つが前で一つが後に形成され、或いは、
前記上下二列の接触端子の相同の回路に直列接続するＵ字型連結構造は、後端に、湾折段差を設置し、或いは、
前記上下二列の接触端子の相同の回路の接触部の内の少なくとも一対は、前記延伸部において、凸包構造を設置し、長さを短縮し、或いは、
前記上下二列の接触端子の相同の回路の接触部の内の少なくとも一対の接地端子は、前記延伸部において、凸包構造を設置し、長さを短縮し、或いは、
前記少なくとも１個の金属内縮アームは、前記上下二列の接触端子周辺のコの字型金属外枠に設置され、前記コの字型金属外枠には、連結ブリッジを設置し、前記上下各少なくとも１個の接触部を連結することを特徴とする請求項１６に記載の一列の両面接触端子の金属内縮アーム構造である。
【請求項１８】
口型双方向両面電気コネクターであって、絶縁台体、口型連接槽を有し、
前記口型連接槽は、前記絶縁台体前端に設置され、前記口型連接槽の頂面、底面には、二列の接触端子を設置し、前記二列の接触端子には、それぞれ接触部を設置し、前記接触部は、延伸部を連接し、固定部は、前記延伸部及びピンに連接し、前記固定部は、前記絶縁台体に定位され、前記二列の接触部は、上下に相対して密着し、前記口型連接槽の頂面及び底面に突出して固定し、前記延伸部、固定部及びピンはそれぞれ排列され、
前記口型連接槽の頂面或いは底面には、少なくとも２個の前記接触部前端或いは片側辺の転折延伸部と相同のシリアル番号の延伸部が順番に並列排列する転折直列接続構造を設置することを特徴とする、口型双方向両面電気コネクター。
【請求項１９】
前記少なくとも２個の前記接触部前端或いは片側辺を設置する転折延伸部は、相同の回路の上下二列の接触部或いは延伸部或いはピンを、順番に並列排列する転折直列接続構造で、或いは、
前記上下二列の接触端子の前記接触部前端或いは片側辺の前記転折延伸構造と異なる回路の延伸部は交差せず、スタッキングを跨ぎ、或いは、
前記転折延伸部は、前記接触部前端或いは片側辺において、舌板幅方向に沿って、反対方向に、前記舌板相対面と反対方向に排列する相同の回路接触部片側へと延伸し、しかも舌板の長さ方向に沿って、前記接触部後端まで後方へと延伸し、或いは、
前記接触部前端の転折延伸部は、上下二面の内の一面、或いは二面に同時に設置され、或いは、
前記二列の接触部は上下二列の相同の回路シリアル番号の連接インターフェースで、しかも順番に反対方向に排列し、或いは、
前記上下２個の延伸部は、相同のシリアル番号を順番に同方向に排列する構造で、或いは、
前記上下２個のピン部は、相同のシリアル番号を順番に同方向に排列する構造で、或いは、
前記上下二列の接触端子の前記接触部が連接設置する上下２個の延伸部及び２個のピン部のシリアル番号排列は、相同のシリアル番号を順番に同方向に排列する構造で、或いは、
前記二列の接触端子は単独の上下各少なくとも一列の接触端子構造で、或いは、
前記二列の接触端子の２個の接触部は、前記２個の延伸部に連接し、前記２個の延伸部は、前記固定部に連接し、或いは、
前記二列の接触端子は、上下に順番に反対方向に排列する２個の相同の回路シリアル番号連接インターフェースで、相同の回路シリアル番号を有し、しかも同方向に排列する上下２個の延伸部並列構造で、或いは、
前記ピンは、板面垂直湾折縦方向板片の穿刺構造で、或いは、
前記ピン穿刺構造は板面垂直湾折縦方向板片の２枚の板面材料厚さが背中合わせに縦方向に重なる穿刺構造で、或いは、
前記双方向両面電気コネクターは、アダプター、コード、プラグ、ＵＳＢポータブルディスク、或いはワイヤレスマウス或いは上述の内の少なくともの一つに応用されることを特徴とする、請求項１８に記載の口型双方向両面電気コネクター。
【請求項２０】
口型双方向両面電気コネクターであって、絶縁台体、口型連接槽、回路基板或いは金属板を有し、
前記口型連接槽は、前記絶縁台体前端に設置され、前記口型連接槽の頂面、底面には、二列の接触端子を設置し、前記二列の接触端子には、それぞれ接触部を設置し、前記接触部は、延伸部を連接し、固定部は、前記延伸部及びピンに連接し、前記固定部は、前記絶縁台体に定位され、前記２個の接触部は、上下に相対して密着し、前記口型連接槽の頂面及び底面に突出して固定し、前記延伸部、固定部及びピンはそれぞれ排列され、
前記口型連接槽の頂面或いは底面には、前記上下に相同の回路接点の転折直列接続構造を設置せず、しかも前記ピンには、前記上下に相同の回路接点を直列接続する単面板転折ゴールドフィンガー回路基板、或いは一列の転折金属板の直列接続の前記反対方向に排列の相同の回路構造を設置することを特徴とする、口型双方向両面電気コネクター。
【請求項２１】
前記二列の接触部は上下二列の相同の回路シリアル番号の連接インターフェースで、しかも順番に反対方向に排列し、或いは、
前記２個の接触部は上下に相対して密着し、前記上下舌板面に突出して固定され、或いは、
前記２個の接触部は上下に相対して密着し、前記頂面及び底面に、突出して埋設し、或いは組み立てて固定し、しかも前記上下に相同の回路接点の転折直列接続構造を設置せず、或いは、
前記上下２個の接触部は、前記上下２個の延伸部を連接し、しかも前記上下２個の延伸部は安全間隔距離を保持し、或いは、
前記上下２個の接触部は、前記上下２個の延伸部を連接し、前記上下２個の延伸部は一定の段差を転折する左右偏位延伸部で、或いは、
前記上下２個の接触部は、前記上下２個の延伸部を連接し、前記上下２個の延伸部は左右位置がずれ横方向に排列し、或いは、
前記上下２個の延伸部は左右位置がずれ横方向に等しい高さで、前記絶縁台体中心に並列され、或いは、
前記上下２個の固定部は左右位置がずれ横方向に等しい高さで、前記絶縁台体中心に、並列埋設され、或いは組み立て定位され、或いは、
前記上下２個のピンは左右位置がずれ横方向に等しい高さで、並列される一列の水平ピンで、或いは、
前記上下２個のピンは上下に相対して二列の水平ピンで、或いは、
前記上下に相同の回路接点の直列接続構造は、回路基板ゴールドフィンガー或いは一列の転折端子で、或いは、
前記回路基板は、単面板転折ゴールドフィンガー直列接続、或いは両面板貫通孔ゴールドフィンガー直列接続構造で、或いは、
前記上下２個のピンは一列の水平ピンで、或いは、
前記上下に相同の回路接点の直列接続構造は、単面板転折ゴールドフィンガー或いは一列の転折端子で、或いは、
前記上下二列の接触端子のピン部は、それぞれ上下で一つが左で一つが右転折で、前記ピン部は、上下列の位置がずれ、左右側にそれぞれ設置される横方向に等しい高さで、一列の或いは上下二列の水平ピンで、或いは、
前記二列の接触端子の端子ピンは、ＰＣＢ回路基板に連接し、前記ＰＣＢ回路基板には、前記直列接続回路を設置し、前記端子ピン溶接パッド前端には、横方向反対方向に沿って延伸し、前記回路基板のもう一方の側の相同の回路端子ピン溶接パッドを連接し、これにより前記相同の回路は、電気的に連接し、或いは、
前記絶縁台体後端には、回路基板を設置し、前記回路基板には、回路接点を設置し、前記一列の或いは二列の水平ピンを電気的に連接し、前記回路基板には、単面或いは両面の回路直列接続接点構造を設置し、しかも前記回路基板に設有する単面或いは両面の信号接点は、それぞれ一対の隣接し、接近し、やや等距離に転折延伸するゴールドフィンガー直列接続構造で、或いは、
前記回路基板に設有する単面或いは両面貫通孔の信号回路接点溶接パッドは、それぞれ上下で一つが左で一つが右転折で、上下列の位置がずれ左右に排列する一列の単面の、或いは二列の両面の貫通孔回路接点溶接パッドにそれぞれ設置され、しかもそれぞれ一対の隣接し、接近し、やや等距離に転折延伸するゴールドフィンガー直列接続構造で、或いは、
前記上下二列の接触部の二列の順番に反対方向に排列するピンは、回路基板の一面或いは上下二面に電気的に連接し、前記回路基板には、Ｕ字型で等距離に隣り合う直列接続構造を設置し、前記反対方向に排列する相同の回路に直列接続し、或いは、
前記ピンには、直列接続する上下に相同の回路接触部の直列接続構造を金属端子とするＵ字型等距離に隣り合う直列接続構造を設置し、或いは、
前記双方向両面電気コネクターは、アダプター、コード、プラグ、ＵＳＢポータブルディスク、ワイヤレスマウスに応用可能であることを特徴とする、請求項２０に記載の口型双方向両面電気コネクター。
【請求項２２】
双方向両面電気コネクターであって、絶縁台体、舌板、回路基板或いは金属板を有し、
前記舌板は、前記絶縁台体前端に設置され、前記舌板は、外ケースに包まれ、前記連接槽を形成し、前記舌板可は、上下に移動するように前記連接槽中段に浮動設置され、前記舌板上下面には、二列の接触端子を設置し、前記二列の接触端子の二列の接触部は相同の接触インターフェースで、しかも相同の回路シリアル番号は順番に反対方向に排列し、前記二列の接触部は上下に相対して密着し、前記上下舌板面に突出して固定し、前記二列の接触部は、二列の延伸部に連接し、前記二列の延伸部は、前記列の２個の固定部に連接し、前記二列の固定部は、前記絶縁台体に定位され、前記二列の固定部の反対端は、二列のピンを連接し、前記二列のピンは、前記絶縁台体外へと伸び出し、前記二列の接触端子には、前記上下に相同の回路接点の転折直列接続構造を設置せず、及び
前記二列の延伸部は貫通弾動延伸部で、前記貫通弾動延伸部は等しい高さで並んで排列し、前記二列の延伸部は、前記列の２個の固定部に連接し、前記二列の固定部は、前記絶縁台体に定位され、前記二列の固定部の反対端は、二列のピンを連接し、前記二列のピンは、前記絶縁台体外へと伸び出し、前記ピンには、直列接続し上下に相同の回路接触部の回路基板を設置し、或いは一列の転折金属板の、前記反対方向に排列の相同の回路構造を直列接続することを特徴とする、双方向両面電気コネクター。
【請求項２３】
前記二列の接触部は上下二列の相同の回路シリアル番号の連接インターフェースで、しかも順番に反対方向に排列し、或いは、
前記２個の接触部は上下に相対して密着し、前記上下舌板面に突出して固定され、或いは、
前記２個の接触部は前記上下舌板面に上下に相対して密着し、突出して埋設し、或いは、組み立てて固定し、しかも前記上下に相同の回路接点の転折直列接続構造を設置せず、或いは、
前記上下２個の接触部は、前記上下２個の延伸部を連接し、しかも前記上下２個の延伸部は安全間隔距離を保持し、或いは、
前記上下２個の接触部は、前記上下２個の延伸部を連接し、前記上下２個の延伸部は一定の段差を転折する左右偏位延伸部で、或いは、
前記上下２個の接触部は、前記上下２個の延伸部を連接し、前記上下２個の延伸部は左右位置がずれ横方向に排列し、或いは、
前記上下２個の延伸部は左右位置がずれ横方向に等しい高さで、前記舌板中心に並列し、或いは、
前記上下２個の固定部は左右位置がずれ横方向に等しい高さで、前記絶縁台体中心に、並列埋設され、或いは組み立て定位され、或いは、
前記上下２個のピンは左右位置がずれ横方向に等しい高さで、並列される一列の水平ピンで、或いは、
前記上下２個のピンは上下に相対して二列の水平ピンで、或いは、
前記上下左右位置がずれ横方向に等しい高さで、前記舌板中心に並列する２個の延伸部は貫通弾動部で、或いは、
前記上下に相同の回路接点の直列接続構造は、回路基板ゴールドフィンガー或いは一列の転折端子で、或いは、
前記回路基板は、単面板転折ゴールドフィンガー直列接続、或いは両面板貫通孔ゴールドフィンガー直列接続構造で、或いは、
前記上下２個のピンは一列の水平ピンで、或いは、
前記上下に相同の回路接点の直列接続構造は、単面板転折ゴールドフィンガー或いは一列の転折端子で、或いは、
前記上下二列の接触端子のピン部は、それぞれ上下で一つが左で一つが右転折で、前記ピン部は、上下列の位置がずれ、左右側にそれぞれ設置される横方向に等しい高さで、一列の或いは上下二列の水平ピンで、或いは、
前記二列の接触端子の端子ピンは、ＰＣＢ回路基板に連接し、前記ＰＣＢ回路基板には、前記直列接続回路を設置し、前記端子ピン溶接パッド前端には、横方向反対方向に沿って延伸し、前記回路基板のもう一方の側の相同の回路端子ピン溶接パッドを連接し、これにより前記相同の回路は、電気的に連接し、或いは、
前記絶縁台体後端には、回路基板を設置し、前記回路基板には、回路接点を設置し、前記一列の或いは二列の水平ピンを電気的に連接し、前記回路基板には、単面或いは両面の回路直列接続接点構造を設置し、しかも前記回路基板に設有する単面或いは両面の信号接点は、それぞれ一対の隣接し、接近し、やや等距離に転折延伸するゴールドフィンガー直列接続構造で、或いは、
前記回路基板に設有する単面或いは両面貫通孔の信号回路接点溶接パッドはそれぞれ上下で一つが左で一つが右転折で、上下列の位置がずれ左右に排列する一列の単面の、或いは二列の両面の貫通孔回路接点溶接パッドにそれぞれ設置され、しかもそれぞれ一対の隣接し、接近し、やや等距離に転折延伸するゴールドフィンガー直列接続構造で、或いは、
前記上下二列の接触部の二列の順番に反対方向に排列するピンは、回路基板の一面或いは上下二面に電気的に連接し、前記回路基板には、Ｕ字型で等距離に隣り合う直列接続構造を設置し、前記反対方向に排列する相同の回路に直列接続し、或いは、
前記ピンには、直列接続する上下に相同の回路接触部の直列接続構造を金属端子とするＵ字型等距離に隣り合う直列接続構造を設置し、或いは、
前記双方向両面電気コネクターは、アダプター、コード、プラグ、ＵＳＢポータブルディスク或いはワイヤレスマウス、或いは上述の少なくとも任意の一個に応用可能であることを特徴とする、請求項２２に記載の双方向両面電気コネクター。
【請求項２４】
双方向両面電気コネクターであって、絶縁台体、舌板、回路基板或いは金属板を有し、
前記舌板は、前記絶縁台体前端に設置され、前記舌板は、外ケースに包まれ、前記連接槽を形成し、前記舌板は、前記連接槽中段に設置され、前記舌板上下面には、二列の接触端子を設置し、前記二列の接触端子の二列の接触部は相同の接触インターフェースで、しかも相同の回路シリアル番号は順番に反対方向に排列し、前記二列の接触部は、少なくとも２個の接触部前端、或いは片側辺に、転折延伸部を設置し、前記二列の接触部は上下に相対して密着し、前記上下舌板面に突出して固定し、前記二列の接触部は、二列の延伸部に連接し、前記二列の延伸部は、前記列の２個の固定部に連接し、前記二列の固定部は、前記絶縁台体に定位され、前記二列の固定部の反対端は、二列のピンを連接し、前記二列のピンは、前記絶縁台体外へと伸び出し、
前記ピンには、板面垂直湾折縦方向板片の穿刺構造を設置することを特徴とする、双方向両面電気コネクター。
【請求項２５】
前記少なくとも２個の前記接触部前端或いは片側辺を設置する転折延伸部は、相同の回路の上下二列の接触部或いは延伸部或いはピンに、順番に並列排列する転折直列接続構造で、或いは、
前記上下二列の接触端子の前記接触部前端或いは片側辺の前記転折延伸構造と異なる回路の延伸部は交差せず、スタッキングを跨ぎ、或いは、
前記転折延伸部は、前記接触部前端或いは片側辺において、舌板幅方向に沿って、反対方向に、前記舌板相対面と反対方向に排列する相同の回路接触部片側へと延伸し、しかも舌板長さ方向に沿って、前記接触部後端まで後方へと延伸し、或いは、
前記接触部前端の転折延伸部は、上下二面の内の一面、或いは二面に同時に設置され、或いは、
前記二列の接触部は上下二列の相同の回路シリアル番号の連接インターフェースで、しかも順番に反対方向に排列し、或いは、
前記上下２個の延伸部は、相同のシリアル番号を順番に同方向に排列する構造で、或いは、
前記上下２個のピン部は、相同のシリアル番号を順番に同方向に排列する構造で、或いは、
前記上下二列の接触端子の前記接触部が連接設置する上下２個の延伸部及び２個のピン部のシリアル番号排列は、相同のシリアル番号を順番に同方向に排列する構造で、或いは、
前記二列の接触端子は単独の上下各少なくとも一列の接触端子構造で、或いは、
前記二列の接触端子の２個の接触部は、前記２個の延伸部に連接し、前記２個の延伸部は、前記固定部に連接し、或いは、
前記二列の接触端子は、上下に順番に反対方向に排列する２個の相同の回路シリアル番号連接インターフェースで、相同の回路シリアル番号を有し、しかも同方向に排列する上下２個の延伸部並列構造で、或いは、
前記二列のピンには、板面垂直湾折縦方向板片の穿刺構造を設置し、或いは、
前記ピン穿刺構造は板面垂直湾折縦方向板片の２枚の板面材料厚さが背中合わせに縦方向に重なる穿刺構造で、或いは、
前記双方向両面電気コネクターの舌板は、上下に移動するように浮動でき、前記二列の延伸部は貫通弾動延伸部で、或いは、
前記双方向両面電気コネクターは、アダプター、コード、プラグ、ＵＳＢポータブルディスク、ワイヤレスマウス、或いは上述の内の少なくともの一つに応用可能であることを特徴とする、請求項２４に記載の双方向両面電気コネクター。
【発明の詳細な説明】
【技術分野】
【０００１】
本発明は双方向電気コネクターに関し、特に相補的電気コネクターと対応接続し、外部回路基板に電気的に連接する双方向電気コネクターに関する。
【背景技術】
【０００２】
現在、各種電子製品の機能はますます豊富になっており、しかもポータブルデバイスも徐々に普及びしている。
このため、各種製品或いはデバイス間の信号伝送ニーズもますます高まっている。
体積が縮小し続ける製品或いはデバイスのケース周囲輪郭において、異なるデバイスと信号伝送を行うことができる端子インターフェース（例えば、双方向電気コネクター或いはそれと対応接続する相補的電気コネクター）をいかにして設置するかは、業界が共通して努力する目標となっている。
中でも、双方向電気コネクター電気プラグ（Ｅｌｅｃｔｒｉｃａｌ  ｐｌｕｇ）であり、相補的電気コネクターは、電気レセプタクル（Ｅｌｅｃｔｒｉｃａｌ  ｒｅｃｅｐｔａｃｌｅ）である。
【０００３】
電気プラグと電気レセプタクルが対応接続する前には、正しい方向により、電気プラグを電気レセプタクルに向かわせる必要がある。
そうでなければ、両者を対応接続させることはできない。
また、電気レセプタクルは、挿接方向性を備えるが、それは俗にポカ避け機能と呼ばれる。
この機能により、電気プラグ上の端子インターフェースは、電気レセプタクル上の連接インターフェースとの接触を確保することができる。
しかし、多数の使用者が、電気プラグを正しい方向で、電気レセプタクルに向かわせる習慣を有していない。
そのため、このポカ避け機能は、電気プラグと電気レセプタクルの対応接続の失敗をかえって招き、その後、使用者は、電気プラグを裏返し、そうして初めて正確に対応接続することができる。
言い換えれば、このポカ避け機能は反対に使用者の面倒を招いている。
【０００４】
よって、市場には、両面対応接続機能を備える電気プラグが見られる。
特許文献１に開示する「電気プラグ」では図１５Ａ〜図１５Ｆに示す通り、双方向電気コネクター１５１０は、両面対応接続機能を提供する。
しかし、その内のオーバーパス接点フレームの製造過程と組み立て過程は、厳格な管理が必要で、そうでなければその精密な構造を実現することはできない。
よって、オーバーパス接点フレームの製造で許される誤差は非常に小さいため、製造及び組み立てには一定程度の難度がある。
また、オーバーパス接点フレームの交差スタッキング構造は複雑であるため、その溶接点の所在位置は固定されておらず、溶接作業の進行が難しく、その製造及び組み立ての難度をより高めている。
【０００５】
この他、双方向電気コネクターの従来の構造には、特許文献２、特許文献３、或いは特許文献４等がある。
これらは双方向電気コネクターの実際の応用における若干の困難を示している。
例えば、製造或いは組み立て難度の上昇、製造或いは組み立てコストの拡大、或いは不適当使用によるショートで使いやすさを提供できない等がある。
【先行技術文献】
【特許文献】
【０００６】
【特許文献１】台湾特許第ＴＷ２０１４４０３２７号明細書
【特許文献２】中国特許第２０１４２０２１５６０１号明細書
【特許文献３】中国特許第２０１４２０４８６６０６号明細書
【特許文献４】中国特許第２０１５２０５６２１９１号明細書
【発明の概要】
【発明が解決しようとする課題】
【０００７】
前記先行技術には、両面対応接続機能を備える電気プラグではオーバーパス接点フレームの製造過程と組み立て過程における難度が非常に高く、双方向電気コネクターでは製造或いは組み立て難度の上昇、製造或いは組み立てコストの拡大、或いは不適当使用によるショートで使いやすさを提供できない等の欠点がある。
【課題を解決するための手段】
【０００８】
本発明は、両面対応接続機能を備える双方向電気コネクターで、さらにＭｉｃｒｏ  ＵＳＢなどの既存の電気レセプタクル或いはプラグと互換性があり、使用に便利な双方向電気コネクターで、双方向電気コネクターと相補的電気コネクターの対応接続の過程において、双方向電気コネクターの舌板の構造と動作はショートの発生を回避でき、使用に便利で、金属ケースの嵌合設計により、対応接続のスムース性と安定性を確保でき、双方向電気コネクターのパフォーマンスを優良化でき、よって、本発明の双方向電気コネクターは、さらに高規格或いは高標準の要求に応えられる製造及び組み立てが便利な双方向電気コネクターに関する。
【０００９】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板は、前記連接槽の中段に浮動するように、或いは固定して設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、前記舌板はＨ型舌板構造で、前記Ｈ型舌板構造の前記ケースの両側面に隣接する部分は、前記二列の接触部を隔離する２個の位置限定凸部で、前記２個の位置限定凸部は、Ｈ型舌板構造の中央より高い。
【００１０】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板は、前記連接槽の中段に浮動するように、或いは固定して設置され、前記舌板の上下両側には、少なくとも１個の位置限定凹槽をそれぞれ設置し、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、前記接触部の前方導斜面は、前記舌板の前記位置限定凹槽の底部に密着し、前記接点は、前記位置限定凹槽の前記底面を基準とする最高面より高い。
【００１１】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板は、前記連接槽の中段に浮動するように設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、前記二列の接触部は、一枚の金属板材に、ブランキング展開プレス成形インサート・モールディングにより一つが前で一つが後に形成される。
【００１２】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板前記連接槽の中段に固定して設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、前記二列の接触部の二列の前方導斜面は、前記舌板の上下両側にそれぞれ密着し、しかも前記二列の延伸弾動部は、前記舌板の上下両側において、上下に圧縮弾動される。
【００１３】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板は、前記連接槽の中段に固定するように、或いは浮動するように設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、前記舌板は金属舌板である。
【００１４】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板は、前記連接槽の中段に設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、前記舌板はＨ型舌板構造で、前記二列の接触部は、一枚の金属板材において、ブランキング展開プレス成形され、しかも一次インサート・モールディングされ、一つが前で一つが後に形成される。
【００１５】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板は、前記連接槽の中段に固定するように、或いは浮動するように設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、前記舌板はＨ型舌板構造で、前記Ｈ型舌板構造の前記ケースの両側面に隣接する部分は、２個の位置限定凸部で、前記２個の位置限定凸部は、Ｈ型舌板構造の中央の金属舌板構造に比べ高度差を有し、前記高度差は、前記二列の接触部を隔離でき、前記Ｈ型舌板中段には、連接槽の金属舌板構造を設置し、全貫通構造である。
【００１６】
本発明による双方向電気コネクターは、ケース、絶縁台体、前記絶縁台体の前端に設置する舌板、二列の接触端子を有し、前記絶縁台体には、相同の回路に直列接続するＵ字型連結構造を設置し、前記Ｕ字型連結構造は、前記絶縁台体の後端に、段差を湾折設置し、前記絶縁台体中に埋設され、前記ケースは、前記舌板を取り囲み、前記舌板の上下両側には、連接槽を形成し、前記舌板は、前記連接槽の中段に固定するように、或いは浮動するように設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出す。
【００１７】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板は、前記連接槽の中段に固定するように、或いは浮動するように設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、前記二列の接触部は一枚の金属板材において、ブランキング展開プレス成形され、一つが前で一つが後に形成し、しかも相同の回路の２個の接触部の間には、コの字型或いはＵ字型、或いは上下に相対した一体式金属端子連結構造を設置する。
【００１８】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板は、前記連接槽の中段に固定するように、或いは浮動するように設置され、前記二列の接触端子のいずれかには、少なくとも１個の延伸部、前記延伸部の前端に設置される接点と接触部、固定部とピンを設置し、前記二列の接点は、前記舌板の上下両側にそれぞれ設置され、前記固定部の前端は、前記延伸部に連接し、前記固定部の後端に連接する前記ピンは、前記絶縁台体外に伸び出し、前記二列の接触部は一枚の金属板材において、ブランキング展開プレス成形され、一つが前で一つが後に形成し、しかも相同の回路の２個の接触部の内の少なくとも一対は、前記対応する延伸部位置において、凸包構造を設置し、その長さを短縮する。
【００１９】
本発明による双方向電気コネクターは、ケース、絶縁台体、前記絶縁台体の前端に設置する舌板、二列の接触端子を有し、前記ケースは、前記舌板を取り囲み、前記舌板の上下両側には、連接槽を形成し、前記舌板は、前記連接槽の中段に固定するように、或いは浮動するように設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出し、前記二列の接触部は前後二列で、しかも相同の回路の前記各接触部は上下で、しかも一枚の金属板材においてブランキング展開プレス成形され、一つが左で一つが右に形成し、しかも前記絶縁台体の両側には、前記二列の金属端子を分割するブリッジの無電気メッキ層構造を設置する。
【００２０】
本発明による双方向電気コネクターは、ケース、舌板、前記舌板の後段に設置される絶縁台体、二列の接触端子を有し、前記ケースは、金属ケースで、しかも前記ケース上に設置される少なくとも１個の弾性嵌合構造を有し、前記弾性嵌合構造は、前導斜面と後係合面を有し、前記後係合面は、前記前導斜面に比べ急傾斜で、前記ケースのケース面外に突出し、相補的電気コネクターが、前記舌板の前端から接近し対応接続すると、前記前導斜面は、前記後係合面より先に前記相補的電気コネクターに接触し、対応接続して定位後、前記後係合面は急傾斜で抜き出し力を拡大し、挟持係合定位機能を確保する前後異なる斜面構造で、前記ケースは、前記舌板を取り囲み、前記舌板の上下両側には、連接槽を形成し、前記舌板は、前記連接槽の中段に固定するように、或いは浮動するように設置され、前記二列の接触端子のいずれかには、少なくとも１個の延伸弾動部、前記延伸弾動部の前端に設置される接点と接触部、固定部とピンを設置し、前記二列の接点は、前記舌板の上下両側にそれぞれ設置され、前記固定部の前端は、前記延伸弾動部に連接し、前記固定部の後端に連接する前記ピンは、前記絶縁台体外に伸び出す。
【００２１】
好ましくは、金属ケース上下二面には、封鎖式釣竿型漸縮或いは漸拡弾性嵌合構造を設置し、或いは前記金属ケースは両側には、上下、左右が対称＜＞斜角を呈する金属板材湾折構造を設置し、或いは前記金属ケース両側は＜＞型斜角を呈する金属板材湾折の上下、左右が対称な定位構造で、或いは前記金属ケースは四面で囲み、前方が挿入口を開放する金属板材湾折の上下、左右が対称な定位構造で、或いは前記舌板はＨ型で前記連接槽中段に固定或いは浮動設置され、或いは浮動舌板には、隔離された隔離構造を設置し、これにより長短端子の弾動接触部は、それぞれ自主的に作動し、或いは前記上下二列の接触端子の上下接触部は共に、少なくとも両側が比較的長い接触部で、或いは前記上下二列の接触端子の電源及び接地端子には、幅が広い接触部、延伸部、固定部及びピンを設置し、或いは前記上下二列の一つが前で一つが後の連接インターフェースは相同の接触インターフェースで、しかも相同の回路シリアル番号のものは、順番に反対方向に排列し、或いは前記上下二列の一つが前で一つが後の連接インターフェースは相同の接触インターフェースで、順番に反対方向に排列し、しかも相同の回路シリアル番号のものは電気的に連接し、或いは前記上下二列の接触端子の接触部は、一枚の金属板材において、ブランキング展開プレス成形され、しかも一次インサート・モールディングされ、一つが前で一つが後に形成され、或いは前記舌板は金属舌板で、前記連接槽中段に固定され、或いは絶縁舌板で、前記連接槽中段に浮動設置され、或いは前記絶縁台体両側には、金属端子ブリッジを分割する無電気メッキ層構造を設置する。
【００２２】
好ましくは、延伸部は弾動延伸部で、或いは前記上下列の接触端子の接触部前方導斜面は、舌板位置限定凹槽底部に密着し、しかも前記上下列の接触端子の接触部接点が舌板上下位置限定元凹槽構造の最高面より高い時、前記二列の接触端子には、前記延伸弾動部を設置し、前記延伸弾動部中段は、舌板の上下両側と浮動或いは固定され弾動間隙を設置し、或いは前記舌板が浮動である時、前記浮動舌板には、隔離された隔離構造を設置し、これにより長短端子の弾動接触部は、それぞれ自主的に作動し、或いは前記上下二列の接触端子の上下接触部は共に、少なくとも両側が比較的長い接触部で、或いは前記二列の接触端子には、前記延伸弾動部を設置し、前記延伸弾動部中段は、舌板の上下両側と浮動或いは固定され弾動間隙を設置し、或いは前記上下二列の接触端子の前記延伸弾動部中段は、前記舌板の上下両側にそれぞれ密着し、しかも前記接触部前方導斜面は、前記固定舌板の上下両側にそれぞれ浮動するように設置され、前記接触部前方導斜面は、前記固定舌板の上下両側とそれぞれ弾動間隙を設置し、或いは前記Ｈ型の舌板は浮動或いは固定構造の舌板で、或いは前記浮動或いは固定式舌板は絶縁舌板構造で、金属補強片を埋設でき、或いは前記上下二列の接触端子の電源及び接地端子には、幅が広い接触部、延伸部、固定部及びピンを設置し、或いは前記上下二列の接触端子には、少なくとも２個の充電式構造、或いは３個の、或いは４個の、或いは５個の上下前後接触部の浮動式絶縁舌板、或いは固定式金属舌板構造を設置し、或いは前記Ｈ型舌板は、外側が厚い２個の位置限定凸部、及び中段が比較的薄い分隔板を設置し、或いは前記Ｈ型浮動舌板の中段には、比較的薄い分隔板を設置し、前記分隔板の上下には、端子位置限定槽を設置し、しかも前記上下端子接触部導斜面前端は、前記位置限定槽に陥没状に設置され、或いは前記位置限定槽底部に密着し、或いは前記Ｈ型浮動舌板中段の上下端子間には、分隔板及び位置限定槽を設置し、しかも前記上下端子は、前記分隔板に密着し、しかも上下端子の接触部は、前記舌板中段分隔板の位置限定槽に突出し、或いは前記Ｈ型浮動舌板中段の上下端子間には、分隔板及び位置限定槽を設置し、前記位置限定槽は、前記上下端子接触部導斜面の前端及び両側で位置を限定し、或いは前記Ｈ型浮動或いは固定舌板の中段分隔板は、金属補強片を覆って設置し、前記双方向コネクターと対応接続コネクターとが対応接続すると、前記舌板中段分隔板に設置される金属補強片は、前記上下端子の弾動接触部の弾性圧縮の強度を支援でき、或いは前記浮動舌板の金属シャープネル及び上下二列の接触端子は一枚の金属板材を展開し重ねず、或いは前記外ケースは金属ケースで、しかも前記弾性嵌合部の前導斜面はスムースに挿入された後、係合面は急傾斜で抜き出し力を拡大でき、挟持係合定位機能を確保する前後異なる斜面構造で、或いは前記上下二列の接触端子の相同の回路に直列接続するＵ字型連結構造は、後端に、湾折段差を設置し、或いは前記上下二列の接触端子の相同の回路の接触部の内の少なくとも一対の接地端子は、前記延伸部において、凸包構造を設置し、長さを短縮し、或いは前記少なくとも１個の金属内縮アームは、前記上下二列の接触端子周辺のコの字型金属外枠に設置され、前記コの字型金属外枠には、連結ブリッジを設置し、前記上下各少なくとも１個の接触部を連結し、或いは前記絶縁台体中央には、金属接地隔板を設置し、前記金属接地隔板には、ピン及び上下探知シャープネルを設置し、上下列の接地接触端子と接続し、探知シャープネルと上下列の接地接触端子のショートとオープンにより、前記電気コネクターの挿入方向を判別し、これにより、その内の一面の接触端子は伝送回路で、もう一面の接触端子は切断回路で、或いは前記外ケースは金属ケースで、しかも前記弾性嵌合部の前導斜面はスムースに挿入された後、係合面は急傾斜で抜き出し力を拡大でき、挟持係合定位機能を確保する前後異なる斜面構造で、或いは前記二列の接触端子には、前記延伸弾動部を設置し、前記延伸弾動部中段は、舌板の上下両側と浮動或いは固定され弾動間隙を設置する。
【００２３】
好ましくは、上下二列の接触端子の上下接触部は共に、少なくとも両側が比較的長い接触部で、或いは前記上下二列の一つが前で一つが後の連接インターフェースは相同の接触インターフェースで、しかも相同の回路シリアル番号のものは、順番に反対方向に排列し、或いは前記上下二列の一つが前で一つが後の連接インターフェースは相同の接触インターフェースで、順番に反対方向に排列し、しかも相同の回路シリアル番号のものは電気的に連接し、或いは前記上下二列の接触端子の電源及び接地端子には、幅が広い接触部、延伸部、固定部及びピンを設置し、或いは前記上下二列の接触端子の相同の回路の接触部には、コの字型或いはＵ字型の一体式金属端子連結構造を連接して設置し、或いは前記上下二列の接触端子の相同の回路に直列接続するＵ字型連結構造は、後端に、湾折段差を設置し、或いは前記上下二列の接触端子の相同の回路の接触部の内の少なくとも一対の接地端子は、前記延伸部において、凸包構造を設置し、長さを短縮し、或いは前記少なくとも１個の金属内縮アームは、前記上下二列の接触端子周辺のコの字型金属外枠に設置され、前記コの字型金属外枠には、連結ブリッジを設置し、前記上下各少なくとも１個の接触部を連結し、或いは前記浮動或いは固定式舌板は絶縁舌板構造で、金属補強片を埋設でき、或いは前記上下二列の接触端子には、少なくとも２個の充電式構造、或いは３個の、或いは４個の、或いは５個の上下前後接触部の浮動或いは固定式金属舌板構造を設置し、或いは前記Ｈ型の舌板は浮動或いは固定構造の舌板で、或いは前記Ｈ型舌板の両側は比較的厚い位置限定凸部、及び中段が比較的薄い分隔板で、比較的低い上下接触部を設置し、或いは前記Ｈ型舌板の中段には、比較的薄い分隔板を設置し、前記分隔板の上下には、端子位置限定槽を設置し、しかも前記上下端子接触部導斜面前端は、前記位置限定槽に陥没状に設置され、或いは前記位置限定槽底部に密着し、或いは前記Ｈ型舌板中段の上下端子間には、分隔板及び位置限定槽を設置し、しかも前記上下端子は、前記分隔板に密着し、しかも上下端子の接触部は、前記舌板中段分隔板の位置限定槽に突出し、或いは前記Ｈ型舌板中段の上下端子間には、分隔板及び位置限定槽を設置し、前記位置限定槽は、前記上下端子接触部導斜面の前端及び両側で位置を限定し、或いは前記Ｈ型舌板の中段分隔板は、金属補強片を覆って設置し、前記双方向コネクターと対応接続コネクターとが対応接続すると、前記舌板中段分隔板に設置される金属補強片は、前記上下端子の弾動接触部の弾性圧縮の強度を支援でき、或いは前記Ｈ型舌板構造は固定舌板で、しかも前記固定舌板中段分隔板は金属或いは絶縁舌板で、しかも前記金属或いは絶縁舌板前端には、上下導斜面が錐形の挿入口構造を設置し、或いは前記接地及び電源接触端子は共に、コの字型各一つが上で一つが下の２個の接触部、合計４個の接触部の直列接続構造で、しかも接地接触部は、電源接触端子の前方に設置され、正負極の充電式構造のみを設置し、しかも２個のピンのみを設置し、或いは前記充電のみ型構造は、両側上下にのみ、前後或いは左右位置がずれた２種の迅速充電幅広延伸弾動部の構造を設置し、或いは前記充電式Ｍｉｃｒｏ  ＵＳＢ  ２．０オスプ��グで、しかも接地接触部片側に、探知接触部を増設し、しかも前記接地接触部と一体式構造で、上下各３個、計６個の接触部及び２個の或いは少なくとも２個のピンを有し、探知機能を備える充電式構造で、或いは前記充電式Ｍｉｃｒｏ  ＵＳＢ  ２．０オスプラグで、しかも接地接触部片側に、探知接触部を増設し、しかも前記接地接触部とは分体式構造で、前記探知接触部は、前記外コの字型前端横方向延伸部中段の上下に一体に設置され、前記接地接触部は、前記外コの字型両側の内側において、連接槽底部から前方へと前端の２個の接地接触部へと延伸し、しかも前記台体基部後端に直列接続し、前記上下電源接触部は、連接槽底部より一体に前方へと延伸し、前記接地接触部の後方に設置され、前記接地、電源と探知接触部は共に、少なくとも１個のピンをそれぞれ設置し、合計少なくとも３個の溶接盤はオープンタイプ探知構造機能を有する充電式構造で、或いは前記充電式Ｍｉｃｒｏ  ＵＳＢ  ２．０オスプラグで、しかも接地接触部片側に、探知接触部を増設し、しかも前記接地接触部とは分体式構造で、前記上下一体の接地、電源と探知接触部は共に、少なくとも１個のピン、合計少なくとも３個の溶接盤をそれぞれ設置し、しかも前記探知接触部と前記接地接触部間には、電気抵抗部材を設置し、オープンタイプ探知構造機能を有する充電式構造で、或いは前記少なくとも信号及び充電機能を備えるＭｉｃｒｏ  ＵＳＢ  ２．０オスプラグで、前記中央の上下はＤ＋信号接触部で、前記外コの字型前端横方向延伸部の中段に一体に設置され、そのまま内部へと延伸し、しかも反対に折れ、電源接触部の前方に上下相対して位置し、前記上下接地接触部は、連接槽両側に設置され、一体式構造で、しかも電源接触部の前方に位置し、前記上下電源接触部は、前記接地接触部の後方に設置され、しかも前記外コの字型両側の内側に設置され、連接槽底部により一体に連結されて前方へと延伸し、前記上下Ｄ−信号接触部は連接槽に一体に設置され、底部から前方へと延伸し、しかも前記Ｄ＋信号接触部の片側に位置し、前記上下接地、電源とＤ＋、Ｄ−接触部はすべて、少なくとも４個の接触部及び少なくとも４個の溶接盤をそれぞれ有し、少なくとも信号及び充電機能を有する構造で、或いは前記少なくとも信号及び充電機能を備えるＭｉｃｒｏ  ＵＳＢ  ２．０オスプラグで、前記中央の上下はＤ＋信号接触部で、前記外コの字型前端横方向延伸部の中段に一体に設置され、そのまま内部へと延伸し、しかも上下反対に折れ、電源接触部の前方に相対して位置し、少なくとも１個のピンを設置し、前記上下接地接触部は、連接槽両側に設置され、一体式の大Ｕ字型構造で、しかも電源接触部の前方に位置し、しかも少なくとも１個のピンを設置し、前記上下電源接触部は、前記接地接触部の後方に設置され、しかも前記外コの字型両側の内側に設置され、連接槽底部から一体式の中Ｕ字型連結は、前方へと延伸し、しかも少なくとも１個のピンを設置し、前記上下Ｄ−信号接触部は一体式の小Ｕ字型連接槽底部から前方へと延伸して設置し、しかも前記Ｄ＋信号接触部の片側に位置し、しかも少なくとも１個のピンを設置し、前記上下接地、電源とＤ＋、Ｄ−接触部はすべて、少なくとも４個の接触部及び少なくとも���個の溶接盤をそれぞれ有し、少なくとも信号及び充電機能を有する構造で、或いは前記双方向両面電気コネクターの上下二面の一つが前で一つが後の接触インターフェースはＭｉｃｒｏ  ＵＳＢ  ２．０オスプラグで、前記中段が両側へと延伸する上下ＩＤ探知接触部は、前記外コの字型前端横方向延伸部の中段に一体に設置され、前記上下接地接触部は、連接槽両側に設置され、一体式構造で、しかも電源接触部の前方に位置し、前記上下電源接触部は、前記接地接触部の後方に設置され、しかも前記外コの字型両側の内側に設置され、連接槽底部により一体連結され前方へと延伸し、前記中央の上下Ｄ＋信号接触部は連接槽に一体に設置され、底部から前方へと延伸し、しかも上下反対に折れ、ＩＤ探知接触部の後方に相対して位置し、前記上下Ｄ−信号接触部は連接槽に一体に設置され、底部から前方へと延伸し、しかも前記Ｄ＋信号接触部の片側に位置し、前記上下ＩＤ、接地、電源とＤ＋、Ｄ−接触部はすべて、少なくとも５個の接触部及び少なくとも５個の溶接盤をそれぞれ設置し、Ｍｉｃｒｏ  ＵＳＢ  ２．０オスプラグ機能を備える構造で、或いは前記双方向両面電気コネクターの上下二面の一つが前で一つが後の接触インターフェースは、Ｍｉｃｒｏ  ＵＳＢ  ２．０オスプラグで、前記中段が両側へと延伸する上下ＩＤ探知接触部は、前記外コの字型前端横方向延伸部の中段に一体に設置され、電源接触部の前方に位置し、少なくとも１個のピンを設置し、前記上下接地接触部は、連接槽両側に設置され、一体式の大Ｕ字型構造で、しかも電源接触部の前方に位置し、少なくとも１個のピンを設置し、前記上下電源接触部は、前記接地接触部の後方に設置され、しかも前記外コの字型両側の内側に設置され、連接槽底部から一体式の中Ｕ字型連結は、前方へと延伸し、しかも少なくとも１個のピンを設置し、前記中央の上下Ｄ＋信号接触部は連接槽に一体に設置され、底部から前方へと延伸し、しかも上下反対に折れ、ＩＤ探知接触部の後方に相対して位置し、前記上下Ｄ−信号接触部は一体式の小Ｕ字型連接槽底部から前方へと延伸して設置し、しかも前記Ｄ＋信号接触部の片側に位置し、しかも少なくとも１個のピンを設置し、前記上下ＩＤ、接地、電源とＤ＋、Ｄ−接触部はすべて、少なくとも５個の接触部及び少なくとも５個の溶接盤をそれぞれ設置し、Ｍｉｃｒｏ  ＵＳＢ  ２．０オスプラグ機能を備える構造で、或いは前記双方向両面電気コネクターの上下二面の一つが前で一つが後の接触インターフェースはＭｉｃｒｏ  ＵＳＢ  ２．０オスプラグで、前記上下のＩＤ、接地、電源接触部はすべて、少なくとも３個の接触部及び少なくとも３個の溶接盤をそれぞれ設置し、Ｍｉｃｒｏ  ＵＳＢ  ２．０オスプラグを備え、探知の充電機能を備え、しかも回路基板を設置しない構造で、或いは前記双方向両面電気コネクターの上下二面の一つが前で一つが後の接触インターフェースはＭｉｃｒｏ  ＵＳＢ  ２．０オスプラグで、前記上下の接地、電源とＤ＋、Ｄ−接触部はすべて、少なくとも４個の接触部及び少なくとも４個の溶接盤をそれぞれ有するＭｉｃｒｏ  ＵＳＢ  ２．０オスプラグで、少なくとも信号及び充電機能を備え、しかも回路基板を設置しない構造で、或いは前記双方向両面電気コネクタ��の上下二面の一つが前で一つが後の接触インターフェースはＭｉｃｒｏ  ＵＳＢ  ２．０オスプラグで、前記少なくとも上下ＩＤ、接地、電源とＤ＋、Ｄ−接触部は、少なくとも５個の接触部及び少なくとも５個の溶接盤を設置し、少なくとも１個の金属板片において、展開ブランキングプレスしスタッキングしない、Ｍｉｃｒｏ  ＵＳＢ  ２．０オスプラグの機能を備える構造で、しかも回路基板を設置しない構造で、或いは前記双方向両面電気コネクターの上下二面の一つが前で一つが後の接触インターフェースはＭｉｃｒｏ  ＵＳＢ  ２．０オスプラグで、前記少なくとも上下ＩＤ、接地、電源接触部は、少なくとも３個の接触部及び少なくとも３個の溶接盤をそれぞれ設置し、しかも前記ＩＤと接地端子の間には、電気抵抗部材を設置し、少なくとも１個の金属板片において、展開ブランキングプレスし、スタッキングしない、Ｍｉｃｒｏ  ＵＳＢ  ２．０オスプラグ機能を備える構造で、或いは前記絶縁台体中央には、金属接地隔板を設置し、前記金属接地隔板には、ピン及び上下探知シャープネルを設置し、上下列の接地接触端子と接続し、探知シャープネルと上下列の接地接触端子のショートとオープンにより、前記電気コネクターの挿入方向を判別し、これにより、その内の一面の接触端子は伝送回路で、もう一面の接触端子は切断回路で、或いは前記外ケースは金属ケースで、しかも該弾性嵌合部の前導斜面はスムースに挿入された後、係合面は急傾斜で抜き出し力を拡大でき、挟持係合定位機能を確保する前後異なる斜面構造である。
【００２４】
本発明による一列の両面接触端子の金属内縮アーム構造は、金属板材を有し、前記金属板材は、少なくとも１個のベルトを連接し、前記ベルトは、上下二列の接触端子及び少なくとも１個の金属内縮アームを連接し、前記上下二列の接触端子には、上下で、しかも一つが前で一つが後、或いは一つが左で一つが右の二列の接触部をそれぞれ設置し、しかも一枚の金属板材においてブランキング展開プレス成形し、前記少なくとも１個の金属内縮アームには、連結ブリッジを設置し、前記少なくとも１個の接触部を連結し、前記少なくとも１個の金属内縮アームは、凸包構造を設置し、長さを短縮する。
【００２５】
好ましくは、上下二列の接触端子の上下接触部は共に、少なくとも両側が比較的長い接触部で、或いは前記上下二列の一つが前で一つが後の連接インターフェースは相同の接触インターフェースで、しかも相同の回路シリアル番号のものは、順番に反対方向に排列し、或いは前記上下二列の一つが前で一つが後の連接インターフェースは相同の接触インターフェースで、順番に反対方向に排列し、しかも相同の回路シリアル番号のものは電気的に連接し、或いは前記上下二列の接触端子の電源及び接地端子には、幅が広い接触部、延伸部、固定部及びピンを設置し、或いは前記上下二列の接触端子の相同の回路の接触部には、コの字型或いはＵ字型の一体式金属端子連結構造を連接して設置し、或いは前記上下二列の接触端子の接触部は、一枚の金属板材において、ブランキング展開プレス成形され、しかも一次インサート・モールディングされ、一つが前で一つが後に形成され、或いは前記上下二列の接触端子の相同の回路に直列接続するＵ字型連結構造は、後端に、湾折段差を設置し、或いは前記上下二列の接触端子の相同の回路の接触部の内の少なくとも一対は、前記延伸部において、凸包構造を設置し、長さを短縮し、或いは前記上下二列の接触端子の相同の回路の接触部の内の少なくとも一対の接地端子は、前記延伸部において、凸包構造を設置し、長さを短縮し、或いは前記少なくとも１個の金属内縮アームは、前記上下二列の接触端子周辺のコの字型金属外枠に設置され、前記コの字型金属外枠には、連結ブリッジを設置し、前記上下各少なくとも１個の接触部を連結する。
【００２６】
本発明による口型双方向両面電気コネクターは、絶縁台体、口型連接槽を有し、前記口型連接槽は、前記絶縁台体前端に設置され、前記口型連接槽の頂面、底面には、二列の接触端子を設置し、前記二列の接触端子には、それぞれ接触部を設置し、前記接触部は、延伸部を連接し、固定部は、前記延伸部及びピンに連接し、前記固定部は、前記絶縁台体に定位され、前記二列の接触部は、上下に相対して密着し、前記口型連接槽の頂面及び底面に突出して固定し、前記延伸部、固定部及びピンはそれぞれ排列され、前記口型連接槽の頂面或いは底面には、少なくとも２個の前記接触部前端或いは片側辺の転折延伸部と相同のシリアル番号の延伸部が順番に並列排列する転折直列接続構造を設置する。
【００２７】
好ましくは、なくとも２個の前記接触部前端或いは片側辺を設置する転折延伸部は、相同の回路の上下二列の接触部或いは延伸部或いはピンを、順番に並列排列する転折直列接続構造で、或いは前記上下二列の接触端子の前記接触部前端或いは片側辺の前記転折延伸構造と異なる回路の延伸部は交差せず、スタッキングを跨ぎ、或いは前記転折延伸部は、前記接触部前端或いは片側辺において、舌板幅方向に沿って、反対方向に、前記舌板相対面と反対方向に排列する相同の回路接触部片側へと延伸し、しかも舌板の長さ方向に沿って、前記接触部後端まで後方へと延伸し、或いは前記接触部前端の転折延伸部は、上下二面の内の一面、或いは二面に同時に設置され、或いは前記二列の接触部は上下二列の相同の回路シリアル番号の連接インターフェースで、しかも順番に反対方向に排列し、或いは前記上下２個の延伸部は、相同のシリアル番号を順番に同方向に排列する構造で、或いは前記上下２個のピン部は、相同のシリアル番号を順番に同方向に排列する構造で、或いは前記上下二列の接触端子の前記接触部が連接設置する上下２個の延伸部及び２個のピン部のシリアル番号排列は、相同のシリアル番号を順番に同方向に排列する構造で、或いは前記二列の接触端子は単独の上下各少なくとも一列の接触端子構造で、或いは前記二列の接触端子の２個の接触部は、前記２個の延伸部に連接し、前記２個の延伸部は、前記固定部に連接し、或いは前記二列の接触端子は、上下に順番に反対方向に排列する２個の相同の回路シリアル番号連接インターフェースで、相同の回路シリアル番号を有し、しかも同方向に排列する上下２個の延伸部並列構造で、或いは前記ピンは、板面垂直湾折縦方向板片の穿刺構造で、或いは前記ピン穿刺構造は板面垂直湾折縦方向板片の２枚の板面材料厚さが背中合わせに縦方向に重なる穿刺構造で、或いは前記双方向両面電気コネクターは、アダプター、コード、プラグ、ＵＳＢポータブルディスク、或いはワイヤレスマウス或いは上述の内の少なくともの一つに応用される。
【００２８】
本発明による口型双方向両面電気コネクターは、絶縁台体、口型連接槽、回路基板或いは金属板を有し、前記口型連接槽は、前記絶縁台体前端に設置され、前記口型連接槽の頂面、底面には、二列の接触端子を設置し、前記二列の接触端子には、それぞれ接触部を設置し、前記接触部は、延伸部を連接し、固定部は、前記延伸部及びピンに連接し、前記固定部は、前記絶縁台体に定位され、前記２個の接触部は、上下に相対して密着し、前記口型連接槽の頂面及び底面に突出して固定し、前記延伸部、固定部及びピンはそれぞれ排列され、前記口型連接槽の頂面或いは底面には、前記上下に相同の回路接点の転折直列接続構造を設置せず、しかも前記ピンには、前記上下に相同の回路接点を直列接続する単面板転折ゴールドフィンガー回路基板、或いは一列の転折金属板の直列接続の前記反対方向に排列の相同の回路構造を設置する。
【００２９】
好ましくは、前記二列の接触部は上下二列の相同の回路シリアル番号の連接インターフェースで、しかも順番に反対方向に排列し、或いは前記２個の接触部は上下に相対して密着し、前記上下舌板面に突出して固定され、或いは前記２個の接触部は上下に相対して密着し、前記頂面及び底面に、突出して埋設し、或いは組み立てて固定し、しかも前記上下に相同の回路接点の転折直列接続構造を設置せず、或いは前記上下２個の接触部は、前記上下２個の延伸部を連接し、しかも前記上下２個の延伸部は安全間隔距離を保持し、或いは前記上下２個の接触部は、前記上下２個の延伸部を連接し、前記上下２個の延伸部は一定の段差を転折する左右偏位延伸部で、或いは前記上下２個の接触部は、前記上下２個の延伸部を連接し、前記上下２個の延伸部は左右位置がずれ横方向に排列し、或いは前記上下２個の延伸部は左右位置がずれ横方向に等しい高さで、前記絶縁台体中心に並列され、或いは前記上下２個の固定部は左右位置がずれ横方向に等しい高さで、前記絶縁台体中心に、並列埋設され、或いは組み立て定位され、或いは前記上下２個のピンは左右位置がずれ横方向に等しい高さで、並列される一列の水平ピンで、或いは前記上下２個のピンは上下に相対して二列の水平ピンで、或いは前記上下に相同の回路接点の直列接続構造は、回路基板ゴールドフィンガー或いは一列の転折端子で、或いは前記回路基板は、単面板転折ゴールドフィンガー直列接続、或いは両面板貫通孔ゴールドフィンガー直列接続構造で、或いは前記上下２個のピンは一列の水平ピンで、或いは前記上下に相同の回路接点の直列接続構造は、単面板転折ゴールドフィンガー或いは一列の転折端子で、或いは前記上下二列の接触端子のピン部は、それぞれ上下で一つが左で一つが右転折で、前記ピン部は、上下列の位置がずれ、左右側にそれぞれ設置される横方向に等しい高さで、一列の或いは上下二列の水平ピンで、或いは前記二列の接触端子の端子ピンは、ＰＣＢ回路基板に連接し、前記ＰＣＢ回路基板には、前記直列接続回路を設置し、前記端子ピン溶接パッド前端には、横方向反対方向に沿って延伸し、前記回路基板のもう一方の側の相同の回路端子ピン溶接パッドを連接し、これにより前記相同の回路は、電気的に連接し、或いは前記絶縁台体後端には、回路基板を設置し、前記回路基板には、回路接点を設置し、前記一列の或いは二列の水平ピンを電気的に連接し、前記回路基板には、単面或いは両面の回路直列接続接点構造を設置し、しかも前記回路基板に設有する単面或いは両面の信号接点は、それぞれ一対の隣接し、接近し、やや等距離に転折延伸するゴールドフィンガー直列接続構造で、或いは
前記回路基板に設有する単面或いは両面貫通孔の信号回路接点溶接パッドは、それぞれ上下で一つが左で一つが右転折で、上下列の位置がずれ左右に排列する一列の単面の、或いは二列の両面の貫通孔回路接点溶接パッドにそれぞれ設置され、しかもそれぞれ一対の隣接し、接近し、やや等距離に転折延伸するゴールドフィンガー直列接続構造で、或いは前記上下二列の接触部の二列の順番に反対方向に排列するピンは、回路基板の一面或いは上下二面に電気的に連接し、前記回路基板には、Ｕ字型で等距離に隣り合う直列接続構造を設置し、前記反対方向に排列する相同の回路に直列接続し、或いは前記ピンには、直列接続する上下に相同の回路接触部の直列接続構造を金属端子とするＵ字型等距離に隣り合う直列接続構造を設置し、或いは前記双方向両面電気コネクターは、アダプター、コード、プラグ、ＵＳＢポータブルディスク、ワイヤレスマウスに応用可能である。
【００３０】
本発明による双方向両面電気コネクターは、絶縁台体、舌板、回路基板或いは金属板を有し、前記舌板は、前記絶縁台体前端に設置され、前記舌板は、外ケースに包まれ、前記連接槽を形成し、前記舌板可は、上下に移動するように前記連接槽中段に浮動設置され、前記舌板上下面には、二列の接触端子を設置し、前記二列の接触端子の二列の接触部は相同の接触インターフェースで、しかも相同の回路シリアル番号は順番に反対方向に排列し、前記二列の接触部は上下に相対して密着し、前記上下舌板面に突出して固定し、前記二列の接触部は、二列の延伸部に連接し、前記二列の延伸部は、前記列の２個の固定部に連接し、前記二列の固定部は、前記絶縁台体に定位され、前記二列の固定部の反対端は、二列のピンを連接し、前記二列のピンは、前記絶縁台体外へと伸び出し、前記二列の接触端子には、前記上下に相同の回路接点の転折直列接続構造を設置せず、及び前記二列の延伸部は貫通弾動延伸部で、前記貫通弾動延伸部は等しい高さで並んで排列し、前記二列の延伸部は、前記列の２個の固定部に連接し、前記二列の固定部は、前記絶縁台体に定位され、前記二列の固定部の反対端は、二列のピンを連接し、前記二列のピンは、前記絶縁台体外へと伸び出し、前記ピンには、直列接続し上下に相同の回路接触部の回路基板を設置し、或いは一列の転折金属板の、前記反対方向に排列の相同の回路構造を直列接続する。
【００３１】
このましくは、前記二列の接触部は上下二列の相同の回路シリアル番号の連接インターフェースで、しかも順番に反対方向に排列し、或いは前記２個の接触部は上下に相対して密着し、前記上下舌板面に突出して固定され、或いは前記２個の接触部は前記上下舌板面に上下に相対して密着し、突出して埋設し、或いは組み立てて固定し、しかも前記上下に相同の回路接点の転折直列接続構造を設置せず、或いは前記上下２個の接触部は、前記上下２個の延伸部を連接し、しかも前記上下２個の延伸部は安全間隔距離を保持し、或いは前記上下２個の接触部は、前記上下２個の延伸部を連接し、前記上下２個の延伸部は一定の段差を転折する左右偏位延伸部で、或いは前記上下２個の接触部は、前記上下２個の延伸部を連接し、前記上下２個の延伸部は左右位置がずれ横方向に排列し、或いは前記上下２個の延伸部は左右位置がずれ横方向に等しい高さで、前記舌板中心に並列し、或いは前記上下２個の固定部は左右位置がずれ横方向に等しい高さで、前記絶縁台体中心に、並列埋設され、或いは組み立て定位され、或いは前記上下２個のピンは左右位置がずれ横方向に等しい高さで、並列される一列の水平ピンで、或いは前記上下２個のピンは上下に相対して二列の水平ピンで、或いは前記上下左右位置がずれ横方向に等しい高さで、前記舌板中心に並列する２個の延伸部は貫通弾動部で、或いは前記上下に相同の回路接点の直列接続構造は、回路基板ゴールドフィンガー或いは一列の転折端子で、或いは前記回路基板は、単面板転折ゴールドフィンガー直列接続、或いは両面板貫通孔ゴールドフィンガー直列接続構造で、或いは前記上下２個のピンは一列の水平ピンで、或いは前記上下に相同の回路接点の直列接続構造は、単面板転折ゴールドフィンガー或いは一列の転折端子で、或いは前記上下二列の接触端子のピン部は、それぞれ上下で一つが左で一つが右転折で、前記ピン部は、上下列の位置がずれ、左右側にそれぞれ設置される横方向に等しい高さで、一列の或いは上下二列の水平ピンで、或いは前記二列の接触端子の端子ピンは、ＰＣＢ回路基板に連接し、前記ＰＣＢ回路基板には、前記直列接続回路を設置し、前記端子ピン溶接パッド前端には、横方向反対方向に沿って延伸し、前記回路基板のもう一方の側の相同の回路端子ピン溶接パッドを連接し、これにより前記相同の回路は、電気的に連接し、或いは前記絶縁台体後端には、回路基板を設置し、前記回路基板には、回路接点を設置し、前記一列の或いは二列の水平ピンを電気的に連接し、前記回路基板には、単面或いは両面の回路直列接続接点構造を設置し、しかも前記回路基板に設有する単面或いは両面の信号接点は、それぞれ一対の隣接し、接近し、やや等距離に転折延伸するゴールドフィンガー直列接続構造で、或いは前記回路基板に設有する単面或いは両面貫通孔の信号回路接点溶接パッドはそれぞれ上下で一つが左で一つが右転折で、上下列の位置がずれ左右に排列する一列の単面の、或いは二列の両面の貫通孔回路接点溶接パッドにそれぞれ設置され、しかもそれぞれ一対の隣接し、接近し、やや等距離に転折延伸するゴールドフィンガー直列接続構造で、或いは前記上下二列の接触部の二列の順番に反対方向に排列するピンは、回路基板の一面或いは上下二面に電気的に連接し、前記回路基板には、Ｕ字型で等距離に隣り合う直列接続構造を設置し、前記反対方向に排列する相同の回路に直列接続し、或いは前記ピンには、直列接続する上下に相同の回路接触部の直列接続構造を金属端子とするＵ字型等距離に隣り合う直列接続構造を設置し、或いは前記双方向両面電気コネクターは、アダプター、コード、プラグ、ＵＳＢポータブルディスク或いはワイヤレスマウス、或いは上述の少なくとも任意の一個に応用可能である。
【００３２】
本発明による双方向両面電気コネクターは、絶縁台体、舌板、回路基板或いは金属板を有し、前記舌板は、前記絶縁台体前端に設置され、前記舌板は、外ケースに包まれ、前記連接槽を形成し、前記舌板は、前記連接槽中段に設置され、前記舌板上下面には、二列の接触端子を設置し、前記二列の接触端子の二列の接触部は相同の接触インターフェースで、しかも相同の回路シリアル番号は順番に反対方向に排列し、前記二列の接触部は、少なくとも２個の接触部前端、或いは片側辺に、転折延伸部を設置し、前記二列の接触部は上下に相対して密着し、前記上下舌板面に突出して固定し、前記二列の接触部は、二列の延伸部に連接し、前記二列の延伸部は、前記列の２個の固定部に連接し、前記二列の固定部は、前記絶縁台体に定位され、前記二列の固定部の反対端は、二列のピンを連接し、前記二列のピンは、前記絶縁台体外へと伸び出し、前記ピンには、板面垂直湾折縦方向板片の穿刺構造を設置する。
【００３３】
好ましくは、前記少なくとも２個の前記接触部前端或いは片側辺を設置する転折延伸部は、相同の回路の上下二列の接触部或いは延伸部或いはピンに、順番に並列排列する転折直列接続構造で、或いは前記上下二列の接触端子の前記接触部前端或いは片側辺の前記転折延伸構造と異なる回路の延伸部は交差せず、スタッキングを跨ぎ、或いは前記転折延伸部は、前記接触部前端或いは片側辺において、舌板幅方向に沿って、反対方向に、前記舌板相対面と反対方向に排列する相同の回路接触部片側へと延伸し、しかも舌板長さ方向に沿って、前記接触部後端まで後方へと延伸し、或いは前記接触部前端の転折延伸部は、上下二面の内の一面、或いは二面に同時に設置され、或いは前記二列の接触部は上下二列の相同の回路シリアル番号の連接インターフェースで、しかも順番に反対方向に排列し、或いは前記上下２個の延伸部は、相同のシリアル番号を順番に同方向に排列する構造で、或いは前記上下２個のピン部は、相同のシリアル番号を順番に同方向に排列する構造で、或いは前記上下二列の接触端子の前記接触部が連接設置する上下２個の延伸部及び２個のピン部のシリアル番号排列は、相同のシリアル番号を順番に同方向に排列する構造で、或いは前記二列の接触端子は単独の上下各少なくとも一列の接触端子構造で、或いは前記二列の接触端子の２個の接触部は、前記２個の延伸部に連接し、前記２個の延伸部は、前記固定部に連接し、或いは前記二列の接触端子は、上下に順番に反対方向に排列する２個の相同の回路シリアル番号連接インターフェースで、相同の回路シリアル番号を有し、しかも同方向に排列する上下２個の延伸部並列構造で、或いは前記二列のピンには、板面垂直湾折縦方向板片の穿刺構造を設置し、或いは前記ピン穿刺構造は板面垂直湾折縦方向板片の２枚の板面材料厚さが背中合わせに縦方向に重なる穿刺構造で、或いは前記双方向両面電気コネクターの舌板は、上下に移動するように浮動でき、前記二列の延伸部は貫通弾動延伸部で、或いは前記双方向両面電気コネクターは、アダプター、コード、プラグ、ＵＳＢポータブルディスク、ワイヤレスマウス、或いは上述の内の少なくともの一つに応用可能である。
【発明の効果】
【００３４】
本発明による双方向電気コネクターは、製造及び組み立てに便利で、両面対応接続機能を備え、さらにＭｉｃｒｏ  ＵＳＢなどの既存の電気レセプタクル或いはプラグと互換性があり、使用に便利な双方向電気コネクターである。
相補的電気コネクターの対応接続の過程において、
双方向電気コネクターの舌板の構造と動作はショートの発生を回避でき、使用に便利である。
金属ケースの嵌合設計により、対応接続のスムース性と安定性を確保でき、双方向電気コネクターのパフォーマンスを優良化できる。
よって、本発明の双方向電気コネクターは、さらに高規格或いは高標準の要求に応えることができる。
【図面の簡単な説明】
【００３５】
【図１】本発明による双方向電気コネクターの第一実施形態における構造、構造側視、構造俯視、構造前視、局部構造分解模式図、局部構造分解俯視模式図である。
【図２】本発明による双方向電気コネクターの第一実施形態における構造、構造側視、構造俯視、構造前視、局部構造分解模式図、局部構造分解俯視模式図である。
【図３】本発明による双方向電気コネクターの第一実施形態における構造、構造側視、構造俯視、構造前視、局部構造分解模式図、局部構造分解俯視模式図である。
【図４】本発明による双方向電気コネクターの第一実施形態における構造、構造側視、構造俯視、構造前視、局部構造分解模式図、局部構造分解俯視模式図である。
【図５】本発明による双方向電気コネクターの第一実施形態における構造、構造側視、構造俯視、構造前視、局部構造分解模式図、局部構造分解俯視模式図である。
【図６】本発明による双方向電気コネクターの第一実施形態における構造、構造側視、構造俯視、構造前視、局部構造分解模式図、局部構造分解俯視模式図である。
【図７】本発明による双方向電気コネクターの複数の上接触端子及び複数の下接触端子の第一実施形態中における側視立体構造模式図である。
【図８】本発明による双方向電気コネクターの複数の上接触端子及び複数の下接触端子の第一実施形態中における俯視構造模式図である。
【図９】本発明による双方向電気コネクターの第一実施形態中における相補的コネクターと対応接続する局部構造断面模式図である。
【図１０】本発明による双方向電気コネクターの複数の上接触端子及び複数の下接触端子の第二実施形態中における側視立体構造模式図である。
【図１１】本発明による双方向電気コネクターの複数の上接触端子及び複数の下接触端子の第二実施形態中における俯視構造模式図である。
【図１２】本発明による双方向電気コネクターの第三実施形態中における構造、構造側視、構造俯視、構造前視、局部構造分解、構造分解俯視模式図である。
【図１３】本発明による双方向電気コネクターの第三実施形態中における構造、構造側視、構造俯視、構造前視、局部構造分解、構造分解俯視模式図である。
【図１４】本発明による双方向電気コネクターの第三実施形態中における構造、構造側視、構造俯視、構造前視、局部構造分解、構造分解俯視模式図である。
【図１５】本発明による双方向電気コネクターの第三実施形態中における構造、構造側視、構造俯視、構造前視、局部構造分解、構造分解俯視模式図である。
【図１６】本発明による双方向電気コネクターの第三実施形態中における構造、構造側視、構造俯視、構造前視、局部構造分解、構造分解俯視模式図である。
【図１７】本発明による双方向電気コネクターの第三実施形態中における構造、構造側視、構造俯視、構造前視、局部構造分解、構造分解俯視模式図である。
【図１８】本発明による双方向電気コネクターの絶縁台体及び舌板の第三実施形態中における構造分解模式図である。
【図１９】本発明による双方向電気コネクターの第三実施形態中における異なる設計の構造断面模式図である。
【図２０】本発明による双方向電気コネクターの第三実施形態中における異なる設計の構造断面模式図である。
【図２１】本発明による双方向電気コネクターの第六実施形態中における構造俯視、構造前視、構造、構造側視、局部構造俯視、構造分解模式図である。
【図２２】本発明による双方向電気コネクターの第六実施形態中における構造俯視、構造前視、構造、構造側視、局部構造俯視、構造分解模式図である。
【図２３】本発明による双方向電気コネクターの第六実施形態中における構造俯視、構造前視、構造、構造側視、局部構造俯視、構造分解模式図である。
【図２４】本発明による双方向電気コネクターの第六実施形態中における構造俯視、構造前視、構造、構造側視、局部構造俯視、構造分解模式図である。
【図２５】本発明による双方向電気コネクターの第六実施形態中における構造俯視、構造前視、構造、構造側視、局部構造俯視、構造分解模式図である。
【図２６】本発明による双方向電気コネクターの第六実施形態中における構造俯視、構造前視、構造、構造側視、局部構造俯視、構造分解模式図である。
【図２７】本発明による双方向電気コネクターの第六実施形態中における端子と舌板構造の俯視模式図である。
【図２８】本発明による双方向電気コネクターの第六実施形態中における端子と舌板構造の立体模式図である。
【図２９】本発明による双方向電気コネクターの第七実施形態中における俯視、立体前視、側視、局部構造俯視、構造分解模式図である。
【図３０】本発明による双方向電気コネクターの第七実施形態中における俯視、立体前視、側視、局部構造俯視、構造分解模式図である。
【図３１】本発明による双方向電気コネクターの第七実施形態中における俯視、立体前視、側視、局部構造俯視、構造分解模式図である。
【図３２】本発明による双方向電気コネクターの第七実施形態中における俯視、立体前視、側視、局部構造俯視、構造分解模式図である。
【図３３】本発明による双方向電気コネクターの第七実施形態中における俯視、立体前視、側視、局部構造俯視、構造分解模式図である。
【図３４】本発明による双方向電気コネクターの第七実施形態中における端子と舌板構造の俯視模式図である。
【図３５】本発明による双方向電気コネクターの第七実施形態中における端子と舌板構造の立体模式図である。
【図３６】本発明による双方向電気コネクターの第八実施形態中における俯視、前視、立体側視、側視、構造分解俯視、構造分解立体模式図である。
【図３７】本発明による双方向電気コネクターの第八実施形態中における俯視、前視、立体側視、側視、構造分解俯視、構造分解立体模式図である。
【図３８】本発明による双方向電気コネクターの第八実施形態中における俯視、前視、立体側視、側視、構造分解俯視、構造分解立体模式図である。
【図３９】本発明による双方向電気コネクターの第八実施形態中における俯視、前視、立体側視、側視、構造分解俯視、構造分解立体模式図である。
【図４０】本発明による双方向電気コネクターの第八実施形態中における俯視、前視、立体側視、側視、構造分解俯視、構造分解立体模式図である。
【図４１】本発明による双方向電気コネクターの第八実施形態中における俯視、前視、立体側視、側視、構造分解俯視、構造分解立体模式図である。
【図４２】本発明による双方向電気コネクターの第八実施形態中における接触端子と金属舌板の俯視模式図である。
【図４３】本発明による双方向電気コネクターの第八実施形態中における端子と舌板構造の立体模式図である。
【図４４】本発明による双方向電気コネクターの第九実施形態中における構造俯視、構造前視、構造立体側視、構造側視、一部構造の分解、一部構造の分解立体側視模式図である。
【図４５】本発明による双方向電気コネクターの第九実施形態中における構造俯視、構造前視、構造立体側視、構造側視、一部構造の分解、一部構造の分解立体側視模式図である。
【図４６】本発明による双方向電気コネクターの第九実施形態中における構造俯視、構造前視、構造立体側視、構造側視、一部構造の分解、一部構造の分解立体側視模式図である。
【図４７】本発明による双方向電気コネクターの第九実施形態中における構造俯視、構造前視、構造立体側視、構造側視、一部構造の分解、一部構造の分解立体側視模式図である。
【図４８】本発明による双方向電気コネクターの第九実施形態中における構造俯視、構造前視、構造立体側視、構造側視、一部構造の分解、一部構造の分解立体側視模式図である。
【図４９】本発明による双方向電気コネクターの第九実施形態中における構造俯視、構造前視、構造立体側視、構造側視、一部構造の分解、一部構造の分解立体側視模式図である。
【図５０】本発明による双方向電気コネクターの第九実施形態中における接触インターフェースと金属舌板の俯視模式図である。
【図５１】本発明による双方向電気コネクターの第九実施形態中における接触インターフェースと金属舌板の立体側視模式図である。
【図５２】本発明による双方向電気コネクターの第十実施形態中における構造俯視模式図、構造前視、構造立体側視、構造側視模式図、一部構造の分解俯視模式図、一部構造の分解立体側視模式図である。
【図５３】本発明による双方向電気コネクターの第十実施形態中における構造俯視模式図、構造前視、構造立体側視、構造側視模式図、一部構造の分解俯視模式図、一部構造の分解立体側視模式図である。
【図５４】本発明による双方向電気コネクターの第十実施形態中における構造俯視模式図、構造前視、構造立体側視、構造側視模式図、一部構造の分解俯視模式図、一部構造の分解立体側視模式図である。
【図５５】本発明による双方向電気コネクターの第十実施形態中における構造俯視模式図、構造前視、構造立体側視、構造側視模式図、一部構造の分解俯視模式図、一部構造の分解立体側視模式図である。
【図５６】本発明による双方向電気コネクターの第十実施形態中における構造俯視模式図、構造前視、構造立体側視、構造側視模式図、一部構造の分解俯視模式図、一部構造の分解立体側視模式図である。
【図５７】本発明による双方向電気コネクターの第十実施形態中における構造俯視模式図、構造前視、構造立体側視、構造側視模式図、一部構造の分解俯視模式図、一部構造の分解立体側視模式図である。
【図５８】本発明による双方向電気コネクターの第十実施形態中における接触インターフェースと金属舌板の俯視模式図である。
【図５９】本発明による双方向電気コネクターの第九実施形態中における異なる応用の接触インターフェースと金属舌板の立体側視模式図である。
【図６０】本発明による双方向電気コネクターの第十一実施形態中における分解立体側視と俯視図である。
【図６１】本発明による双方向電気コネクターの第十一実施形態中における分解立体側視と俯視図である。
【図６２】本発明による双方向電気コネクターの第十二実施形態中における構造、構造側視、構造俯視、構造前視模式図である。
【図６３】本発明による双方向電気コネクターの第十二実施形態中における構造、構造側視、構造俯視、構造前視模式図である。
【図６４】本発明による双方向電気コネクターの第十二実施形態中における構造、構造側視、構造俯視、構造前視模式図である。
【図６５】本発明による双方向電気コネクターの第十二実施形態中における構造、構造側視、構造俯視、構造前視模式図である。
【図６６】本発明による双方向電気コネクターの第十二実施形態中における異なる視角の構造分解模式図である。
【図６７】本発明による双方向電気コネクターの第十二実施形態中における異なる視角の構造分解模式図である。
【図６８】本発明による双方向電気コネクターの第十二実施形態中における上接触端子及び下接触端子の異なる視角の構造模式図である。
【図６９】本発明による双方向電気コネクターの第十二実施形態中における上接触端子及び下接触端子の異なる視角の構造模式図である。
【図７０】本発明による双方向電気コネクターの第十三実施形態中における構造、構造側視、構造前視模式図である。
【図７１】本発明による双方向電気コネクターの第十三実施形態中における構造、構造側視、構造前視模式図である。
【図７２】本発明による双方向電気コネクターの第十三実施形態中における構造、構造側視、構造前視模式図である。
【図７３】本発明による双方向電気コネクターの第十三実施形態中における異なる視角の構造分解模式図である。
【図７４】本発明による双方向電気コネクターの第十三実施形態中における異なる視角の構造分解模式図である。
【図７５】本発明による双方向電気コネクターの第十四実施形態中における構造、構造側視、構造前視模式図である。
【図７６】本発明による双方向電気コネクターの第十四実施形態中における構造、構造側視、構造前視模式図である。
【図７７】本発明による双方向電気コネクターの第十四実施形態中における構造、構造側視、構造前視模式図である。
【図７８】本発明による双方向電気コネクターの第十四実施形態中における異なる視角の構造分解模式図である。
【図７９】本発明による双方向電気コネクターの第十四実施形態中における異なる視角の構造分解模式図である
【図８０】本発明による双方向電気コネクターの複数の上接触端子及び複数の下接触端子の第十四実施形態中における異なる視角の構造模式図である。
【図８１】本発明による双方向電気コネクターの複数の上接触端子及び複数の下接触端子の第十四実施形態中における異なる視角の構造模式図である。
【図８２】本発明による双方向電気コネクターの第十五実施形態中における構造立体側視、構造側視、構造前視、構造立体模式図、構造分解模式図である。
【図８３】本発明による双方向電気コネクターの第十五実施形態中における構造立体側視、構造側視、構造前視、構造立体模式図、構造分解模式図である。
【図８４】本発明による双方向電気コネクターの第十五実施形態中における構造立体側視、構造側視、構造前視、構造立体模式図、構造分解模式図である。
【図８５】本発明による双方向電気コネクターの第十五実施形態中における構造立体側視、構造側視、構造前視、構造立体模式図、構造分解模式図である。
【図８６】本発明による双方向電気コネクターの第十五実施形態中における構造立体側視、構造側視、構造前視、構造立体模式図、構造分解模式図である。
【図８７】本発明による双方向電気コネクターの複数の上接触端子及び複数の下接触端子の第十五実施形態中における異なる視角の構造模式図である。
【図８８】本発明による双方向電気コネクターの複数の上接触端子及び複数の下接触端子の第十五実施形態中における異なる視角の構造模式図である。
【図８９】本発明による双方向電気コネクターの第十六実施形態中における異なる視角の構造模式図である。
【図９０】本発明による双方向電気コネクターの第十六実施形態中における異なる視角の構造模式図である。
【図９１】本発明による双方向電気コネクターの第十六実施形態中における異なる視角の構造模式図である。
【図９２】本発明による双方向電気コネクターの第十六実施形態中における異なる視角の構造模式図である。
【図９３】本発明による双方向電気コネクターの第十六実施形態中における異なる視角の構造模式図である。
【図９４】本発明による双方向電気コネクターの第十六実施形態中における異なる視角の構造模式図である。
【図９５】本発明による双方向電気コネクターの第十六実施形態中における異なる視角の構造模式図である。
【図９６】本発明による双方向電気コネクターの第十六実施形態中における異なる視角の構造模式図である。
【図９７】双方向電気コネクターの第十七実施形態中における異なる視角の構造模式図である。
【図９８】双方向電気コネクターの第十七実施形態中における異なる視角の構造模式図である。
【図９９】双方向電気コネクターの第十七実施形態中における異なる視角の構造模式図である。
【図１００】双方向電気コネクターの第十七実施形態中における異なる視角の構造模式図である。
【図１０１】双方向電気コネクターの第十七実施形態中における異なる視角の構造模式図である。
【図１０２】双方向電気コネクターの第十七実施形態中における異なる視角の構造模式図である。
【図１０３】双方向電気コネクターの第十七実施形態中における異なる視角の構造模式図である。
【図１０４】双方向電気コネクターの第十七実施形態中における異なる視角の構造模式図である。
【図１０５】本発明による双方向電気コネクターの一列の両面接触端子の金属構造の俯視模式図である。
【図１０６】本発明による双方向電気コネクターの第十九実施形態中における構造、構造側視、構造俯視、構造前視、分離の構造、構造分解、構造断面側視模式図である。
【図１０７】本発明による双方向電気コネクターの第十九実施形態中における構造、構造側視、構造俯視、構造前視、分離の構造、構造分解、構造断面側視模式図である。
【図１０８】本発明による双方向電気コネクターの第十九実施形態中における構造、構造側視、構造俯視、構造前視、分離の構造、構造分解、構造断面側視模式図である。
【図１０９】本発明による双方向電気コネクターの第十九実施形態中における構造、構造側視、構造俯視、構造前視、分離の構造、構造分解、構造断面側視模式図である。
【図１１０】本発明による双方向電気コネクターの第十九実施形態中における構造、構造側視、構造俯視、構造前視、分離の構造、構造分解、構造断面側視模式図である。
【図１１１】本発明による双方向電気コネクターの第十九実施形態中における構造、構造側視、構造俯視、構造前視、分離の構造、構造分解、構造断面側視模式図である。
【図１１２】本発明による双方向電気コネクターの第十九実施形態中における構造、構造側視、構造俯視、構造前視、分離の構造、構造分解、構造断面側視模式図である。
【図１１３】本発明による双方向電気コネクターの第十九実施形態中における相補的電気コネクターと対応接続する構造の断面側視模式図である。
【図１１４】本発明による双方向電気コネクターの第十九実施形態中における相補的電気コネクターと対応接続する構造の断面側視模式図である。
【図１１５】本発明による双方向電気コネクターの第二十実施形態における構造断面側視模式図である。
【図１１６】本発明による双方向電気コネクターの第二十一実施形態における構造の異なる視角の模式図である。
【図１１７】本発明による双方向電気コネクターの第二十一実施形態における構造の異なる視角の模式図である。
【図１１８】本発明による双方向電気コネクターの第二十一実施形態における構造の異なる視角の模式図である。
【図１１９】本発明による双方向電気コネクターの第二十一実施形態における舌板と接触インターフェースの異なる形態の断面模式図である。
【図１２０】本発明による双方向電気コネクターの第二十一実施形態における舌板と接触インターフェースの異なる形態の断面模式図である。
【図１２１】本発明による双方向電気コネクターの第二十二実施形態における構造断面視角模式図である。
【図１２２】本発明による第二十三実施形態中の外ケースの立体及び断面模式図である。
【図１２３】本発明による第二十三実施形態中の外ケースの立体及び断面模式図である。
【図１２４】本発明による第二十四実施形態中の双方向電気コネクターの正視、部分分解立体、部分分解立体模式図である。
【図１２５】本発明による第二十四実施形態中の双方向電気コネクターの正視、部分分解立体、部分分解立体模式図である。
【図１２６】本発明による第二十四実施形態中の双方向電気コネクターの正視、部分分解立体、部分分解立体模式図である。
【図１２７】本発明による第二十五実施形態中の双方向電気コネクターの正視、部分分解立体、部分分解俯視模式図である。
【図１２８】本発明による第二十五実施形態中の双方向電気コネクターの正視、部分分解立体、部分分解俯視模式図である。
【図１２９】本発明による第二十五実施形態中の双方向電気コネクターの正視、部分分解立体、部分分解俯視模式図である。
【図１３０】本発明による第二十六実施形態中の双方向電気コネクターの正視、側断面、相補的電気コネクターと対応接続する断面模式図である。
【図１３１】本発明による第二十六実施形態中の双方向電気コネクターの正視、側断面、相補的電気コネクターと対応接続する断面模式図である。
【図１３２】本発明による第二十六実施形態中の双方向電気コネクターの正視、側断面、相補的電気コネクターと対応接続する断面模式図である。
【図１３３】本発明による第二十七実施形態の両面電気コネクターの立体、側面、俯視、正視、部分分解と断面模式図である。
【図１３４】本発明による第二十七実施形態の両面電気コネクターの立体、側面、俯視、正視、部分分解と断面模式図である。
【図１３５】本発明による第二十七実施形態の両面電気コネクターの立体、側面、俯視、正視、部分分解と断面模式図である。
【図１３６】本発明による第二十七実施形態の両面電気コネクターの立体、側面、俯視、正視、部分分解と断面模式図である。
【図１３７】本発明による第二十七実施形態の両面電気コネクターの立体、側面、俯視、正視、部分分解と断面模式図である。
【図１３８】本発明による第二十七実施形態の両面電気コネクターの立体、側面、俯視、正視、部分分解と断面模式図である。
【図１３９】本発明による第二十八実施形態の両面電気コネクターの部分分解、側断面、俯視立体、俯視立体模式図である。
【図１４０】本発明による第二十八実施形態の両面電気コネクターの部分分解、側断面、俯視立体、俯視立体模式図である。
【図１４１】本発明による第二十八実施形態の両面電気コネクターの部分分解、側断面、俯視立体、俯視立体模式図である。
【図１４２】本発明による第二十八実施形態の両面電気コネクターの部分分解、側断面、俯視立体、俯視立体模式図である。
【図１４３】本発明による第二十八実施形態の両面電気コネクターの部分分解、側断面、俯視立体、俯視立体模式図である。
【図１４４】本発明による第二十八実施形態の両面電気コネクターの部分分解、側断面、俯視立体、俯視立体模式図である。
【図１４５】本発明による第二十九実施形態の両面電気コネクターの俯視、正視、局部分解、側断面模式図である。
【図１４６】本発明による第二十九実施形態の両面電気コネクターの俯視、正視、局部分解、側断面模式図である。
【図１４７】本発明による第二十九実施形態の両面電気コネクターの俯視、正視、局部分解、側断面模式図である。
【図１４８】本発明による第二十九実施形態の両面電気コネクターの俯視、正視、局部分解、側断面模式図である。
【図１４９】本発明による第三十実施形態の両面電気コネクターの俯視、局部立体、立体模式図である。
【図１５０】本発明による第三十実施形態の両面電気コネクターの俯視、局部立体、立体模式図である。
【図１５１】本発明による第三十実施形態の両面電気コネクターの俯視、局部立体、立体模式図である。
【図１５２】本発明による第三十一実施形態の双方向両面電気コネクターの局部分解立体、立体、俯視、側視、局部分解立体、立体模式図である。
【図１５３】本発明による第三十一実施形態の双方向両面電気コネクターの局部分解立体、立体、俯視、側視、局部分解立体、立体模式図である。
【図１５４】本発明による第三十一実施形態の双方向両面電気コネクターの局部分解立体、立体、俯視、側視、局部分解立体、立体模式図である。
【図１５５】本発明による第三十一実施形態の双方向両面電気コネクターの局部分解立体、立体、俯視、側視、局部分解立体、立体模式図である。
【図１５６】本発明による第三十一実施形態の双方向両面電気コネクターの局部分解立体、立体、俯視、側視、局部分解立体、立体模式図である。
【図１５７】本発明による第三十一実施形態の双方向両面電気コネクターの局部分解立体、立体、俯視、側視、局部分解立体、立体模式図である。
【図１５８】本発明による第三十二実施形態の双方向両面電気コネクターの立体、局部構造立体、局部構造俯視模式図である。
【図１５９】本発明による第三十二実施形態の双方向両面電気コネクターの立体、局部構造立体、局部構造俯視模式図である。
【図１６０】本発明による第三十二実施形態の双方向両面電気コネクターの立体、局部構造立体、局部構造俯視模式図である。
【図１６１】本発明による第三十二実施形態の双方向両面電気コネクターの異なる形態模式図である。
【図１６２】本発明による第三十二実施形態の双方向両面電気コネクターの異なる形態模式図である。
【図１６３】本発明による第三十二実施形態の双方向両面電気コネクターの回路基板模式図である。
【図１６４】本発明による第三十三実施形態の双方向両面電気コネクターの俯視、前視、側断面模式図である。
【図１６５】本発明による第三十三実施形態の双方向両面電気コネクターの俯視、前視、側断面模式図である。
【図１６６】本発明による第三十三実施形態の双方向両面電気コネクターの俯視、前視、側断面模式図である。
【図１６７】本発明による第三十三実施形態の双方向両面電気コネクターの俯視、前視、側断面模式図である。
【図１６８】本発明の回路基板と端子の局部細部を説明する図である。
【図１６９】本発明による第三十四実施形態の双方向両面電気コネクターの部分分解、俯視、前視、側断面模式図である。
【図１７０】本発明による第三十四実施形態の双方向両面電気コネクターの部分分解、俯視、前視、側断面模式図である。
【図１７１】本発明による第三十四実施形態の双方向両面電気コネクターの部分分解、俯視、前視、側断面模式図である。
【図１７２】本発明による第三十四実施形態の双方向両面電気コネクターの部分分解、俯視、前視、側断面模式図である。
【図１７３】本発明による第三十五実施形態の双方向両面電気コネクターの俯視、部分構造透視、前視、側面模式図である。
【図１７４】本発明による第三十五実施形態の双方向両面電気コネクターの俯視、部分構造透視、前視、側面模式図である。
【図１７５】本発明による第三十五実施形態の双方向両面電気コネクターの俯視、部分構造透視、前視、側面模式図である。
【図１７６】本発明による第三十五実施形態の双方向両面電気コネクターの俯視、部分構造透視、前視、側面模式図である。
【図１７７】本発明による第三十六実施形態の双方向両面電気コネクターの局部分解正視、立体前視、部分構造透視、前視、側視、俯視と側断面模式図である。
【図１７８】本発明による第三十六実施形態の双方向両面電気コネクターの局部分解正視、立体前視、部分構造透視、前視、側視、俯視と側断面模式図である。
【図１７９】本発明による第三十六実施形態の双方向両面電気コネクターの局部分解正視、立体前視、部分構造透視、前視、側視、俯視と側断面模式図である。
【図１８０】本発明による第三十六実施形態の双方向両面電気コネクターの局部分解正視、立体前視、部分構造透視、前視、側視、俯視と側断面模式図である。
【図１８１】本発明による第三十六実施形態の双方向両面電気コネクターの局部分解正視、立体前視、部分構造透視、前視、側視、俯視と側断面模式図である。
【図１８２】本発明による第三十六実施形態の端子と回路基板結合の様子を示す模式図である。
【図１８３】本発明による第三十六実施形態の端子と回路基板結合の様子を示す模式図である。
【図１８４】本発明による双方向両面電気コネクターの第三十七実施形態中における構造分解模式図である。
【図１８５】本発明による双方向両面電気コネクターの一列の上端子インターフェースと一列の下端子インターフェースの第三十七実施形態中における構造分解模式図である。
【図１８６】本発明による双方向両面電気コネクターの一列の上端子インターフェースと一列の下端子インターフェースが第三十七実施形態中において重なる様子を示す構造模式図である。
【図１８７】本発明による双方向両面電気コネクターの第三十七実施形態中における構造模式図である。
【図１８８】本発明による双方向両面電気コネクターの異なる実施形態の第三十七実施形態中における構造分解模式図である。
【図１８９】本発明による双方向両面電気コネクターの異なる実施形態の第三十七実施形態中における局部構造分解模式図である。
【図１９０】本発明による双方向両面電気コネクターの異なる実施形態の第三十七実施形態中における構造模式図である。
【図１９１】本発明による双方向電気プラグの第三十八実施形態中における構造分解俯視、局部構造、局部構造、局部構造前視、局部構造側視、構造俯視、構造側視模式図である。
【図１９２】本発明による双方向電気プラグの第三十八実施形態中における構造分解俯視、局部構造、局部構造、局部構造前視、局部構造側視、構造俯視、構造側視模式図である。
【図１９３】本発明による双方向電気プラグの第三十八実施形態中における構造分解俯視、局部構造、局部構造、局部構造前視、局部構造側視、構造俯視、構造側視模式図である。
【図１９４】本発明による双方向電気プラグの第三十八実施形態中における構造分解俯視、局部構造、局部構造、局部構造前視、局部構造側視、構造俯視、構造側視模式図である。
【図１９５】本発明による双方向電気プラグの第三十八実施形態中における構造分解俯視、局部構造、局部構造、局部構造前視、局部構造側視、構造俯視、構造側視模式図である。
【図１９６】本発明による双方向電気プラグの第三十八実施形態中における構造分解俯視、局部構造、局部構造、局部構造前視、局部構造側視、構造俯視、構造側視模式図である。
【図１９７】図１０５に示す構造の別種の形態を示す図である。
【図１９８】本発明の両面電気コネクターをＵＳＢ  ２，０  Ａ  ｔｙｐｅに応用する様子を示す各種視角模式図である。
【図１９９】本発明の両面電気コネクターをＵＳＢ  ２，０  Ａ  ｔｙｐｅに応用する様子を示す各種視角模式図である。
【図２００】本発明の両面電気コネクターをＵＳＢ  ２，０  Ａ  ｔｙｐｅに応用する様子を示す各種視角模式図である。
【図２０１】本発明の両面電気コネクターをＵＳＢ  ２，０  Ａ  ｔｙｐｅに応用する様子を示す各種視角模式図である。
【図２０２】本発明の両面電気コネクターをＵＳＢ  ２，０  Ａ  ｔｙｐｅに応用する様子を示す各種視角模式図である。
【発明を実施するための形態】
【００３６】
［実施例］
本発明で言う双方向電気コネクターとは、電気プラグを例として説明するが、双方向電気コネクターは電気プラグに限定するものではない。
実際には、双方向電気コネクターは電気レセプタクルとでき、この時、それと対応接続する相補的電気コネクターは電気プラグである。
即ち、双方向電気コネクターが電気プラグである時、相補的電気コネクターは、電気レセプタクルである。
反対に、双方向電気コネクターが電気レセプタクルである時、相補的電気コネクターは電気プラグである。
【００３７】
申請人はここで先ず陳述する。
本発明による双方向電気コネクターの実施概念は、少なくともＵＳＢ  Ａ型双方向プラグ、ＵＳＢ  Ａ型双方向コンセント、ＭＩＣＲＯ  ＵＳＢ双方向プラグ、ＵＳＢ  Ｃ型双方向プラグ及びＵＳＢ  Ｃ型双方向コンセント等デバイスに適用できるが、これに限定するものではない。
【００３８】
また、本発明による双方向電気コネクターの上下接触インターフェースは、上下にそれぞれ少なくとも一列の接触端子を有する。
製造時には、その内の一列の接触端子の各端子組のプレスブランキングの相互に隔てる空間を利用し、ブランキングし、別の一列の接触端子をプレスし、或いはさらに同時に別の金属部材（金属隔板或いはシャープネル）をブランキングプレスする。
上述の方法により、端子或いは金属パーツの材料及び加工費用を節減できる他、さらに同時に上下列の端子或いは別の金属部材（金属隔板或いはシャープネル）を一度に電気メッキでき、しかも後続の組み立て或いは絶縁台体のインサート・モールディングに便利で、端子及び金属パーツ（金属隔板或いはシャープネル）の電気メッキ及び絶縁台体のインジエクション・モールディング及び組み立て加工の費用を節減できる。
【００３９】
以下に掲示する本発明の接触インターフェースは、若干のセクション或いは部分を有するが、例であり、接触部、延伸部、転折延伸部、段差部、固定部、ピン等でも良い。
異なる実施形態では、接触インターフェースは、セクション或いは部分或いは差異を有するが、すべて本発明の接触インターフェースに含む。
次に、本発明で言うピンも他の形態とでき、例えば、直列接続孔、貫通構造或いは並列構造等とでき、主に回路基板或いは他の導線に固定於或いは電気的に連接する。
接触部は主に相補的電気コネクターと対応接続し、交互作用を有し接触する。
延伸部は主に、舌板から絶縁台体の間に延伸し、本発明の舌板と絶縁台体の間に貫通区域を保留する時には、若干の延伸部の実施形態は弾動できる。
固定部は主に、接触インターフェースを絶縁台体中に定位し、通常は絶縁台体中に包まれる。
但し、本発明の上述の各セクションの機能はこれに限定するものではなく、実際の実施形態に基づき幾らかの調整が可能である。
【００４０】
以下にさらに複数の実施形態を列挙し本発明について説明するが、この項の技術者は公知のもので例に挙げるに過ぎず、発明或いは創作そのものに限定するものではない。
本発明の双方向電気コネクターの上下接触インターフェースは、ＭＩＣＲＯ  ＵＳＢ  ／  ＵＳＢ  Ａ型  ／  ＵＳＢ  Ｃ型のプラグ或いはコンセントである。
以下に説明する。
【００４１】
図１〜図８に示す通り、第一実施形態の双方向電気コネクター１は、ケース１５、絶縁台体１１、舌板、上接触インターフェースの複数の上接触端子１３、下接触インターフェースの複数の下接触端子１４を有する。
絶縁台体１１上に嵌めて設置するケース１５は、舌板、上接触端子１３と下接触端子１４を保護する。
第一実施形態中において、双方向電気コネクター１は、ＭＩＣＲＯ  ＵＳＢ双方向プラグに応用できる。
ケース１５は、舌板の周囲を囲み、舌板の上下両側には、連接槽を形成し、舌板は、連接槽の中段に固定して設置される。
双方向電気コネクター１の舌板は、固定式金属舌板で、舌板の後段に設置される絶縁台体１１は、舌板の金属部材１２の左右両側を包む。
【００４２】
図９は、双方向電気コネクター１が相補的コネクターと対応接続する局部断面模式図である。
図１〜図９に示す通り、舌板の金属部材１２、複数の上接触端子１３と複数の下接触端子１４は一枚の金属板材から製造する。
しかも、舌板の金属部材１２、複数の上接触端子１３と複数の下接触端子１４の後端には、金属ブリッジ１２６を保留する。
説明を要する。
舌板の金属部材１２、複数の上接触端子１３と複数の下接触端子１４は、一枚の金属板材により製造されるため、各構造の各部分は一部が共用できる。
よって、以下若干の部分は舌板の金属部材１２で、同時に上接触端子１３と下接触端子１４の一部分である。
また、一枚の金属板材により製造される複数の上接触端子１３と複数の下接触端子１４は、異なる形態の接触部を形成する。
例えば、接触部１３１ａは、反対に折れそのままの方向に向かう形式で、接触部１４１ａは、断面の形式である。
よって、本発明中において、接触部の一部は、断面セクション接触或いは以反対に折れの板面セクション接触であるが、本発明はこれに限定するものではない。
また、単一の接触端子１３により説明する。
接触端子１３の延伸部１３２ｃの幅は、相補的コネクターの凹槽１２１＊の幅より大きい。
これにより、延伸部１３２ｃは、相補的コネクターの隔絶欄１２２＊上を跨いで設置され、さらにショート発生の状況を回避できる。
【００４３】
図１〜図９に続いて示す通り、舌板の金属部材１２上には、１個の或いは複数のショート防止凸点１２１を設置できる。
この時、各ショート防止凸点１２１は、相補的コネクターの舌板１２＊の隔絶欄１２２＊に接触し、上接触端子１３或いは下接触端子１４の舌板１２＊の凹槽１２１＊内に落ち入るのを回避する。
こうして、ショート発生の状況を回避できる。
説明を要する。
相補的コネクターの接触インターフェースは舌板１２＊の凹槽１２１＊内に設置される特性に基づき、対応接続時には、本実施形態の舌板の金属部材１２が、相補的コネクターの舌板１２＊に接近する時、それそのものには、ショートの状況はない。
よって、ショート防止凸点１２１の設置は、オプションである。
一定時間の使用後、相補的コネクターの舌板１２＊の隔絶欄１２２＊に磨損の状況がある可能生がある時には、ショート防止凸点１２１を設置し、さらにショートの発生を回避できる。
【００４４】
図１〜図８に続いて示す通り、上接触端子１３、下接触端子１４と舌板の金属部材１２の間には、１個の或いは複数の端子ブリッジ１２３を設置する。
端子ブリッジ１２３は、上接触端子１３、下接触端子１４と舌板の金属部材１２に連接するため、組み立ての便利性及び安定性を上方へさせられる。
また、上接触端子１３と下接触端子１４上には、凸包内縮構造１２２を設置し、それは必要に応じて上接触端子１３の１個の或いは複数の接触部（接触部１３１ａを代表として説明する）の位置調整、制御でき、或いは下接触端子１４の１個の或いは複数の接触部（接触部１４１ａを代表として説明する）の位置を制御する。
また、相同の回路の該２個の接触部の間には、コの字型或いはＵ字型の一体式金属端子連結構造を設置し、或いはさらに絶縁台体１１の後端には、湾折段差を有する。
相同の回路の接触部１３１ａと接触部１４１ａを例として、接触部１３１ａと接触部１４１ａは、絶縁台体１１の後端に向かい、Ｕ字型連結構造１７１を有し、しかもさらに湾折段差１８１を有する。
中でも、接触部１３１ａは上方へと反対に折れそのままの方向に向かう接触部で、接触部１４１ａは下方へ向かう断面接触部で、他の相同の回路は皆、類似の構造である。
接触部１３１ｂと接触部１４１ｂは相同の回路で、後端には、Ｕ字型連結構造１７２と湾折段差１８２を有する。
接触部１３１ｃと接触部１４１ｃは相同の回路で、後端には、Ｕ字型連結構造１７３と湾折段差１８３を有する。
中でも、接触部１３１ｂと接触部１３１ｃは上方へと接触する接触部で、接触部１４１ｂと接触部１４１ｃは下方へと接触する接触部である。
よって、上方へと接触する接触部１３１ａ〜１３１ｃと下方へと接触する接触部１４１ａ〜１４１ｃは相同の回路で、しかも順番に反対方向に排列し、また相同の回路シリアル番号である者は電気的に連接する。
【００４５】
図１〜図８に続いて示す通り、双方向電気コネクター１は、探知機能を備える探知接触部を有する。
例えば、接地機能の接触部１３１ａを例とすると、接触部１３１ａの片側には、探知接触部１９１を有する。
探知接触部１９１と接触部１３１ａは分割式構造で、探知接触部１９は外コの字型１９前端横方向延伸部１９２中段の上下に一体に設置される。
また、接地機能の接触部１３１ａと探知機能を備える探知接触部１９１の間には、電気抵抗１６１を設置し、充電電流の流れる方向を制御する。
【００４６】
図１０と図１１に示す通り、第二実施形態の上下接触端子と第一実施形態との異なる点は、接触部１４１１ａが、湾折した板面セクション接触（即ち図中の反対に折れそのままの方向に向かう接触部及び板面湾折接触部）である点である。
よって、本発明の双方向電気コネクターの接触端子は、一種或いは多種の形式の接触部を有することができ、それらはどれも達到
正反対方向に相補的電気コネクターと対応接続する時に、電気的に接触する機能を達成できる。
上述に基づき、第一実施形態と第二実施形態は、Ｍｉｃｒｏ  ＵＳＢのプラグに応用でき、それは一種の固定式金属舌板構造である。
金属舌板、上下接触端子と絶縁台体は、一次インサート・モールディングされ、一枚の金属板材により少なくとも３個の或いは４個の或いは５個の上下前後接触部の固定式金属舌板をプレス成形し、しかも以Ｕ字型一体式金属端子は、相同の回路構造に連結する。
【００４７】
図１２〜図１８に示す通り、第三実施形態の双方向電気コネクター２のケース２５は、舌板２２と絶縁台体２１を包む。
舌板２２と絶縁台体２１は、上絶縁ベース２１１、舌板２２及び下絶縁ベース２１２三点式構造の結合により組成される設計を採用する。
次に、三者の結合に対応するため、上絶縁ベース２１１、舌板２２或いは／及び下絶縁ベース２１２は、若干の結合構造を有する。
例えば、下絶縁ベース２１２の凸柱２１２１は、舌板２２の孔洞２２５に対応する。
さらに、一列の上接触端子２３と一列の下接触端子２４は、舌板２２の上下両側にそれぞれ設置される。
任意の上接触端子２３は、接点、弾動部、固定部、ピン２３４を有する。
任意の下接触端子２４は、中でも、二列の接点は、舌板２２の上下両側にそれぞれ設置される。
任意の延伸弾動部は、対応する接点と固定部の一端に連接され、対応する固定部反対端のピン２３４とピン２４４に連接され、絶縁台体２１外に伸び出る。
【００４８】
続いて図１２〜図１８に示す通り、舌板２２は浮動式絶縁舌板構造で、それは該ケース２５の両側面の部分に近く、舌板２２の中央部分より厚い。
第三実施形態中において、舌板２２は、２個の位置限定凸部２２２と２個の位置限定凸部２２２の間に位置する中段或いは中段分隔板２２１を有する。
中でも、任意の位置限定凸部２２２の厚さは、中段分隔板２２１より厚い。
次に、中段分隔板２２１の前端の上下両面には、間隔をあけて排列する複数の位置限定凹槽２２４（或いは端子位置限定槽）をそれぞれ有する。
中段分隔板２２１の中段の上下両面には、間隔をあけて排列する複数の導引構造２２３をそれぞれ有する。
一実施形態中では、任意の上接触端子２３と下接触端子２４は、中段分隔板２２１の上下両側にそれぞれ密着する。
任意の上接触端子２３の接触部は、上下両側の位置限定凹槽２２４に対応する。
対応する位置限定凹槽２２４は、接触部の前方斜面２３１２の前端と両側の位置を限定し、しかも接触部の弾動接点２３１１は、対応する位置限定凹槽２２４の最高位置（位置限定凹槽２２４の底部２２４２を基準とする）に突出する。
同じ理由で、下接触端子２４もこうであるため、再記述しない。
【００４９】
図１８と図１９に示す通り、第三実施形態の任意の上接触端子２３と下接触端子２４は、中段分隔板２２１の上下両側にそれぞれ密着する。
よって、中段分隔板２２１は、接触端子の中段に対応し、中段サポートを形成する。
接触部の前方斜面２３１２と対応する位置限定凹槽２２４の間には、間隙２２４１を設置し接触しない。
また、舌板２２の前端内には、さらに金属補強板２２６を設置でき、これにより舌板２２の構造強度を増強できる。
図２０は、第三実施形態の接触端子の別種の設置形態を示す。
図１８と図２０に示す通り、上接触端子２３の前方斜面２３１２は、舌板２２の位置限定凹槽２２４の底部２２４２に密着する。
上接触端子２３の延伸弾動部の中段は、舌板２２の中段分隔板２２１の間に、弾動間隙２２１４を有する。
この時、弾動間隙２２１４は、弾動を吸収する接触部の高度誤差サイズの許容量を拡大し、接触部導通の機能の安定を確保する。
同じ理由で、下接触端子２４もこうであるため、再記述しない。
上述に基づき、第三実施形態の双方向電気コネクターは、Ｍｉｃｒｏ  ＵＳＢプラグに応用でき、それは浮動式絶縁舌板構造と一次インサート・モールディングされる絶縁台体で、その上下列の接触部の前方導斜面は、舌板の位置限定凹槽の底部に密着し、接触部の接点は、位置限定凹槽より高く、その底面を基準とする最高面である。
【００５０】
図２１〜図２８に示す通り、第六実施形態の双方向電気コネクター４はＭＩＣＲＯ  ＵＳＢ  ２．０プラグで、ケース４５、絶縁台体４１、舌板４２、上接触インターフェース４３、下接触インターフェース４４を有する。
ケース４５は、舌板４２の周囲を囲み、舌板４２上下両側には、連接槽を形成する。
この実施形態中では、上接触インターフェース４３と下接触インターフェース４４は上下に一つが前で一つが後の接触インターフェースである。
上接触インターフェース４３と下接触インターフェース４４は、それぞれ少なくとも１個の接触インターフェースでそれぞれ並列連結され、しかも一枚の金属板材をダイカットブランキング後、展開し、重ねないでそれと他の構造をいっしょに埋設し或いは組み立てる。
第六実施形態中において、上接触インターフェース４３と下接触インターフェース４４は左右並列連結し、その後端は、金属ブリッジ４２６によりいっしょに連結される。
但し、本発明は、一枚の金属板材により製造される上下接触インターフェースは前後に並列連結することもでき、さらには同時に左右と前後の並列連結の方式を有することもできる。
次に、上接触インターフェース４３と下接触インターフェース４４は、２個の接地接触部を有する。
任意の接地接触部の片側には、探知接触部１９１を有する。
探知接触部と接地接触部は一つずつ一体式構造である。
上方へと接触する接触部４３１ａと下方へと接触する接触部４４１ａは接地接触部を例とし、その両者の任意の片側には、探知接触部４９１ａを有する。
探知接触部４９１ａと接触部４３１ａ或いは接触部４４１ａは一つずつ一体式構造である。
探知接触部４９１ａは、一体式構造が前方へ向かう横方向延伸部４９２中段から後方へと一つが上で一つが下に接触する構造を形成する。
よって、第六実施形態の探知接触部の形態と第一実施形態は異なる。
また、第六実施形態の上接触インターフェース４３と下接触インターフェース４４は、接地端子と電源端子だけを有する。
接地端子と電源端子は、２個の接地接触部と２個の電源接触部を有する。
上下電源接触部は、連接槽底部より一体に前方へと延伸し、接地接触部４３１ａと４４１ａの後方に接地される。
接地接触部と電源接触部は共に、少なくとも１個のピン、合計少なくとも２個の溶接盤をそれぞれ設置する。
よって、第六実施形態の双方向電気コネクター４は、ショート探知構造機能を備える充電式構造である。
【００５１】
続いて図２１〜図２８に示す通り、舌板４２は、固定式金属舌板で、その左右両側には、位置限定凸部４２２を有する。
位置限定凸部４２２と後端の絶縁板体４２３は、一次インサート・モールディングされ、中でも、舌板４２の金属部材（横方向延伸部４９２に対応可能）は上接触インターフェース４３及び下接触インターフェース４４と同一の金属板材である。
よって、設計上、左右並列連結或いは前後並列連結の金属インターフェースのその内の片側に、金属部材を別に設置できる。
上下接触インターフェースと金属部材は共に、一枚の金属板材をダイカットブランキング後に展開し、スタッキングせず、しかも上下接触インターフェースと金属部材には共に埋設した絶縁板体を設置する。
次に、舌板４２はＨ型構造で、Ｈ型舌板構造は固定舌板で、しかも固定舌板中段分隔板は金属部材構成の金属舌板である。
この時、金属舌板の厚さは０．１０ｍｍ−０．２０ｍｍである。
【００５２】
続いて図２１〜図２８に示す通り、ケース４５の上下両側には、弾性嵌合構造４６を対称に設置する。
弾性嵌合構造４６は、前導斜面４６１と後係合面４６２を有する。
後係合面４６２は、前導斜面４６１に比べ、ケース４５のケース面外に急傾斜で突出する。
相補的電気コネクターと対応接続する時、弾性嵌合構造４６の前導斜面４６１はスムースに挿入され、後係合面４６２は急傾斜で抜き出し力を拡大し、挟持係合定位機能を確保する。
よって、弾性嵌合構造４６は前後に異なる斜面の構造である。
【００５３】
図２９〜図３５に示す通り、第七実施形態の双方向電気コネクター５のケース５５と絶縁台体５１の両者は、第六実施形態とは類似するため、ここでは記述しない。
第七実施形態の上接触インターフェース５３と下接触インターフェース５４は左右並列連結で、金属舌板５２及び探知端子５９と並列連結し、一枚の金属板材をダイカットブランキング展開しスタッキングしない。
次に、上接触インターフェース５３、下接触インターフェース５４と探知端子５９の間には、複数の端子ブリッジ５２３を有し、一体に連結する。
上方へ接触する接触部５３１ａを例として、それは対応する延伸部位置の両側に、端子ブリッジ５２３をそれぞれ有する。
片側の端子ブリッジ５２３は、探知端子５９に連結し、もう一方の側の端子ブリッジ５２３は、下方へと接触する接触部５４１ｂと上方へと接触する接触部５３１ｂの共同延伸部に連結する。
同じ理由で、下方へと接触する接触部５４１ａもうこうであるため、探知端子と接地端子と電源端子は、連続式の端子ブリッジにより一体構造を呈する。
また、接触部５３１ａ、５３１ｂ、５４１ａ、５４１ｂは、直列接続構造５２４を有し、それは共同ピンである。
探知端子５９は、外コの字型により後方へと２個のピンを延伸し、金属ブリッジ５２６に連結する。
さらに、探知端子５９は前方へと接触部５３１ａと接触部５４１ａ前方の横方向延伸部に延伸し、金属舌板５２となり、内へ向かい上下２個の探知接触部を形成する。
接地接触部５３１ａ、５４１ａは外コの字型の両側の内側に、連接槽底部から前方へと前端の２個の接地接触部へとそれぞれ延伸し、それは絶縁台体５１の基部後端に、直列接続構造５２４により直列接続される。
上下電源接触部５３１ｂ、５４１ｂは、連接槽底部より一体に前方へと延伸し接地接触部５３１ａ、５４１ａの後方に設置され、接地接触部、電源接触部と探知接触部は共に、少なくとも１個のピン、合計少なくとも３個の溶接盤をそれぞれ設置し、オープンタイプ探知構造機能を有する充電式構造である。
【００５４】
図３６〜図４３に示す通り、第八実施形態の双方向電気コネクター６のケース６５と第六実施形態は、類似するため、ここでは記述しない。
次に、双方向電気コネクター６の絶縁台体６１の一部分は、金属舌板６２左右両側の位置限定凸部６２２を構成する。
本実施形態中の位置限定凸部６２２の厚さは、第六実施形態中より小さい。
即ち、ケース６５が金属舌板６２の上下両側を囲む連接槽中において、位置限定凸部６２２は、ケース６５の内側壁上に密着しない。
よって、金属舌板６２は連接槽中で上下移動できるため、第八実施形態の金属舌板６２は浮動式Ｈ型金属舌板である。
【００５５】
続いて図３６〜図４３に示す通り、第八実施形態の上接触インターフェース６３、下接触インターフェース６４と探知端子６９の間の端子ブリッジ６２３は、埋設後切断され、即ち双方向電気コネクター６の一枚の金属材により形成される接触インターフェース中において、端子ブリッジ６２３はない。
また、接地接触部６３１ａと探知接触部６９１が対応する延伸部位置を跨いで電気抵抗部材６２４を設置し、こうして本発明による双方向電気コネクターの応用をより良くする。
第八実施形態の上下二面の一つが前で一つが後の接触インターフェースはＭＩＣＲＯ  ＵＳＢ  ２．０プラグで、しかも接地接触部６３１ａ片側には、探知接触部６９１を増設する。
探知接触部６９１と接地接触部６３１ａは分体式構造である。
この時、上下一体の接地、電源と探知接触部は共に、少なくとも１個のピン、合計少なくとも３個の溶接盤をそれぞれ設置し、しかも探知接触部６９１と接地接触部６３１ａ間には、電気抵抗部材６２４を設置し、オープンタイプ探知構造機能を有する充電式構造である。
【００５６】
図４３〜図５１に示す通り、第九実施形態の双方向電気コネクター７のケース７５と絶縁台体７１と第六実施形態とは類似するため、ここでは記述しない。
次に、双方向電気コネクター７の上下二面の一つが前で一つが後の接触インターフェース７３、接触インターフェース７４はＭＩＣＲＯ  ＵＳＢ  ２．０プラグで、中央の上下はＤ＋信号接触部７３１ｃ、７４１ｃは外コの字型前端横方向延伸部７９１の中段に一体に設置され、そのまま内部へと延伸し、しかも反対に折れ電源接触部７３１ｂ、７４１ｂの前方に上下相対して位置する。
中でも、上下接地接触部７３１ａ、７４１ａは、連接槽両側に設置され、一体式構造で、しかも電源接触部７３１ｂ、７４１ｂの前方に位置する。
中でも、上下電源接触部７３１ｂ、７４１ｂは、接地接触部７３１ａ、７４１ａの後方に設置され、しかも外コの字型７９両側の内側に設置され、連接槽底部により一体連結され前方へと延伸する。
その中、上下Ｄ−信号接触部７３１ｄ、７４１ｄは連接槽に一体に設置され、底部から前方へと延伸し、しかもＤ＋信号接触部７３１ｃ、７４１ｃの片側に位置する。
また、接地接触部７３１ａ、７４１ａは、Ｕ字型連結構造７９３により直列接続され、上下電源接触部７３１ｂ、７４１ｂは、Ｕ字型連結構造７９２により直列接続される。
上下接地、電源とＤ＋、Ｄ−接触部はすべて、少なくとも４個の接触部及び少なくとも４個の溶接盤をそれぞれ有し、少なくとも信号及び充電機能を有する構造である。
【００５７】
図５２〜図５８に示す通り、第十実施形態の双方向電気コネクター８のケース８５と絶縁台体８１は、第六実施形態と類似するため、ここでは記述しない。
次に、双方向電気コネクター８の上下二面の一つが前で一つが後の接触インターフェース８３、８４はＭＩＣＲＯ  ＵＳＢ  ２．０プラグで、中央の上下はＤ＋信号接触部８３１ｃ、８４１ｃは、外コの字型前端横方向延伸部８９１の中段に一体に設置され、そのまま内部へと延伸しかも上下反対に折れ、しかも電源接触部８３１ｂ、８４１ｂの前方に相対して位置し、少なくとも１個のピンを設置する。
また、横方向延伸部８９１上には、ショート防止凸点８９４を設置する。
上下接地接触部８３１ａ、８４１ａは、連接槽両側に設置され、一体式の大Ｕ字型構造８７１で、しかも電源接触部８３１ｂ、８４１ｂの前方に位置し、しかも少なくとも１個のピンを設置する。
上下電源接触部８３１ｂ、８４１ｂは、接地接触部８３１ａ、８４１ａの後方に設置され、しかも外コの字型７９両側の内側に設置され、連接槽底部より一体式の中Ｕ字型連結８７２は前方へと延伸し、しかも少なくとも１個のピンを設置する。
上下Ｄ−信号接触部８３１ｄ、８４１ｄは一体式の小Ｕ字型で、しかも連接槽底部から前方へと延伸して設置し、しかもＤ＋信号接触部７３１ｃ、７４１ｃの片側に位置し、しかも少なくとも１個のピンを設置し、しかも端子ブリッジ８７３により相互に連接する。
上下接地、電源とＤ＋、Ｄ−接触部はすべて、少なくとも４個の接触部及び少なくとも４個の溶接盤８３３ａ、８３３ｂ、８３３ｃ、８３３ｄそれぞれ設置し、少なくとも信号及び充電機能を有する構造である。
図６９は接触部の別種の実施方式で、電気抵抗部材８２６は、接地接触部と探知接触部が対応する延伸部位置に設置される。
即ち第十実施形態の信号接触部を探知接触として使用する。
また、横方向延伸部の上下両側に於横方向延伸部には、導角８２１を設置し、こうして対応挿入に有利である。
【００５８】
図６０と図６１は本発明による双方向電気コネクターの第十一実施形態中における分解立体側視と俯視図である。
双方向電気コネクターは、ＭＩＣＲＯ  ＵＳＢ伝送インターフェースの電気プラグで、舌板１２ｉ、絶縁台体１１ｉ、連接板体１６ｉ、複数の上下接触端子及びケース１５ｉを有する。
上下二列の接触端子は、同一の金属板材により製造され、しかも一次インサート・モールディング製造工程によるだけで、絶縁台体１１ｉの上下二列に固定される接触端子を成形することができる。
絶縁台体１１ｉ及び舌板１２ｉは、一次樹脂インジエクション・モールディングの成形方式により形成するが、それは例示に過ぎず、これに限定するものではない。
別種の実施形態中では、絶縁台体１１ｉ及び舌板１２ｉは、組み立て方式により形成される。
上接触端子及び下接触端子は、有充電機能のみを備え、よって上下二列の接触端子中には、電源機能及び接地機能の接触端子のみを有する。
舌板１２ｉはＨ型で、しかも連接板体１６ｉにより絶縁台体１１ｉに連接され、しかも連接板体１６ｉは、二枚のシャープネルを有し、外に露出する他、シャープネルの構造に対応し、舌板１２ｉは、絶縁台体１１ｉに相対して浮動するため、これはＨ型浮動絶縁舌板である。
中でも、２個のシャープネルは、複数の上接触端子及び複数の下接触端子の外側にそれぞれ位置する。
また、連接板体１６ｉ中の外に露出しない枠フレームは、舌板１２ｉ内に位置し、舌板１２ｉの構造を強化でき、即ち構造補強機能を備える。
本発明はさらに以下の好ましい方法を採用可能である。
連接板体１６ｉのシャープネルは、半円突起或いはＳ形の増加弾性の弾動構造を有し、その弾動構造は、その弾性力を高める効果を備える他、必要に応じて、連接板体１６ｉの前後位置を調整できる。
これにより、舌板１２ｉは、適当な箇所に位置する。
上接触端子、下接触端子及び連接板体１６ｉは一体成形である。
舌板１２ｉと絶縁台体１１ｉは一体成形で、しかも上下接触端子は、上接触部１７ｉ及び下接触部だけが舌板１２ｉの外に露出する。
【００５９】
図６２〜図６９に示す通り、第十二実施形態の双方向電気コネクターは、舌板１２ｊ、絶縁台体１１ｊ、複数の上下接触端子１３ｊ、１４ｊ及び外ケース１５ｊを有する。
中でも、複数の上接触端子１３ｊ及び複数の下接触端子１４ｊは一体成形である。
説明を要する。
第十二実施形態の双方向電気コネクターには、連接板体が未設置で、即ちシャープネルを設置する必要がない。
次に、しかも上下二列の接触端子１３ｊ、１４ｊは、電源機能及び接地機能のみを備える。
各接触端子は、それぞれコの字型の直列接続構造である。
中でも、電源機能及び接地機能を備える接触端子１３ｊ、１４ｊ中の接触部は、反対方向へと延伸し、接地機能を備える接触部１３５ａ、１４５ａは、電源機能を備える接触部１３５ｂ、１４５ｂの前方に位置する。
詳述すれば、上接触端子１３ｊ中の接地機能を備える上接触部位１３５ａは、電源機能を備える上接触部１３５ｂの前方に位置し、しかも両者は、舌板１２ｊ前端の斜め対角にそれぞれ接地される。
また、各接触端子コの字型の両側は共に、延伸弾動部１３６ｊである。
【００６０】
図７０〜図７４に示す通り、第十三実施形態中の双方向電気コネクターは、舌板１２ｋ、絶縁台体１１ｋ、複数の上下接触端子１３ｋ、１４ｋ及び外ケース１５ｋを有する。
中でも、複数の上接触端子１３ｋ及び複数の下接触端子１４ｋは一体成形である。
第十三実施形態中において、舌板１２ｋの対応接続位置限定部の厚さは厚く、外ケース１５ｋと接触でき、即ち、舌板１２ｋは固定不浮動の構造である。
【００６１】
図７５〜図８１に示す通り、第十四実施形態の双方向電気コネクターは、舌板１２ｍ、絶縁台体１１ｍ、複数の上下接触端子１３ｍ、１４ｍ及び外ケース１５ｍを有する。
中でも、複数の上接触端子１３ｍ及び複数の下接触端子１４ｍは一体成形で、各接触端子は、電源機能及び接地機能を備える。
中でも、接地機能を備える接触端子１３５ａ、１４５ａはコの字型の直列接続構造で、電源機能を備える接触端子１３５ｂ、１４５ｂはＨ型に類似の直列接続構造で、電源機能を備える接触端子の前端は前方へ向かう弾動構造を有する。
【００６２】
図８２〜図８８に示す通り、第十五実施形態の双方向電気コネクター１ｎは、ＭＩＣＲＯ  ＵＳＢ伝送インターフェースの電気プラグで、その比較的長い接触端子１３ｎの前端には、湾曲して戻る順向構造１３５ｎを設置し、比較的短い接触端子１４ｎの前端には、反対の逆向構造１３６ｎを設置する。
【００６３】
図８９〜図９６に示す通り、第十六実施形態の双方向電気コネクター１ｐはＭＩＣＲＯ  ＵＳＢ伝送インターフェースの電気プラグである。
双方向電気コネクター１ｐの構造中において、舌板１２ｐは、絶縁板体１２２ｐを有し、後端から前方へと金属板体１６ｐを包み、一列の上下接触端子中において、接地機能を備える上下接触端子１３ｐ上に、上下一体式の２個の接触部１９ｐを増設する。
しかも、増設した２個の接触部１９ｐは、探知機能を備える。
これにより、一列の上下接触端子１３ｐと電源機能の２個の接触端子１４ｐ中には、合計６個の接触部（上列３個の接触部と下列３個の接触部）を有する。
中でも、探知機能を備える２個の接触部１９ｐはピンを有しない。
【００６４】
図９７〜図１０４に示す通り、第十七実施形態の双方向電気コネクター１ｑはＭＩＣＲＯ  ＵＳＢ伝送インターフェースの電気プラグで、その探知機能を備える２個の接触部は、ピン１６ｑを有する。
しかも、探知機能を備える上下接触端子１９ｑは一体式で、接地機能を備える上下接触端子１３ｑもまた一体式で、電源機能を備える上下接触端子１４ｑは一体式でなく、それは分体式の構造である。
【００６５】
図１０５に示す通り、一列の両面接触端子の金属内縮アーム構造は、金属板材９０１ｉを有する。
金属板材９０１ｉは、少なくとも１個のベルト９０２ｉを連接し、ベルト９０２ｉは、上下二列の接触端子９３ｉ、９４ｉ及び少なくとも１個の金属内縮アーム９５ｉを連接する。
上下二列の接触端子９３ｉ、９４ｉには、上下で、しかも一つが前で一つが後或いは一つが左で一つが右の二列の接触部をそれぞれ設置する。
しかも、一枚の金属板材においてブランキング展開プレス成形する。
少なくとも１個の金属内縮アーム９５ｉには、連結ブリッジ９５１ｉを設置し、少なくとも１個の接触部を連結する。
少なくとも１個の金属内縮アームには、凸包構造９５２ｉを設置し、接触端子９３ｉ、９４ｉの少なくともその内の一つの長さを短縮する。
本実施形態中において、金属内縮アームはコの字型封鎖型である。
また、ベルトは、樹脂インジエクション・モールディングを完了後、ブリッジは取り除かれ、よって絶縁台体の両側面では、金属端子ブリッジを分割する無電気メッキ構造９６１ｉが見られる。
【００６６】
図１０６〜図１１４に示す通り、双方向電気コネクター２ｉは、舌板２２ｉ、絶縁台体２１ｉ、補強板２２１ｉ、一列に排列される複数の上接触端子２３ｉ、一列に排列される複数の下接触端子２４ｉ及び外ケース２５ｉを有する。
各上接触端子は、上接触部、上延伸セクション、上固定部及び上ピンを有し、上接触部の前端には、上導斜面を有する。
各下接触端子は、下接触部、下延伸セクション、下固定部及び下ピンを有し、下接触部の前端には、下導斜面を有する。
中でも、複数の上接触端子及び複数の下接触端子は、絶縁台体２１ｉ上にそれぞれ固定される。
本実施形態中において、双方向電気コネクターはＭＩＣＲＯ  ＵＳＢ伝送インターフェースの電気プラグである。
【００６７】
続いて図１０６〜図１１４に示す通り、舌板２２ｉはＨ型で、しかも絶縁台体２１ｉに相対して浮動する。
舌板２２ｉは、複数の対応接続位置限定部２２２ｉ及び分隔板２２３ｉを有する。
分隔板２２３ｉは、複数の対応接続位置限定部２２２ｉの間に位置し、しかも複数の対応接続位置限定部２２２ｉにそれぞれ連接する。
中でも、分隔板２２３ｉの厚さは、対応接続位置限定部２２２ｉより薄く、複数の対応接続位置限定部２２２ｉは、分隔板２２３ｉと一体成形である。
分隔板２２３ｉの二表面上には、複数の導斜面位置限定槽２２４ｉをそれぞれ有し、その上表面の複数の導斜面位置限定槽２２４ｉは、複数の上接触端子に対応する。
複数の上接触端子２３ｉは、相互に対応する複数の導斜面位置限定槽２２４ｉ中に進入し、分隔板２２３ｉに密着する。
しかも、複数の上接触端子前端の複数の導斜面は、複数の導斜面位置限定槽２２４ｉの保護を受ける。
それに類似し、分隔板２２３ｉの下表面の複数の導斜面位置限定槽２２４ｉは、複数の下接触端子２４ｉに対応する。
複数の下接触端子２４ｉは、相互に対応する複数の導斜面位置限定槽２２４ｉ中に進入し、分隔板２２３ｉに密着する。
しかも、複数の下接触端子２４ｉ前端の複数の導斜面は、複数の導斜面位置限定槽２２４ｉの保護を受ける。
【００６８】
続いて図１０６〜図１１４に示す通り、双方向電気コネクターと相補的コネクターが対応接続すると、複数の導斜面位置限定槽は、複数の上接触端子及び複数の下接触端子の前端及び両側を保護でき、これにより相補的コネクターにより衝突されての損壊を回避できる。
別の面では、絶縁台体は、複数の隔絶欄を有し、それは複数の上接触端子２３ｉ及び複数の下接触端子２４ｉを隔絶でき、しかも位置限定し、さらに複数の上接触端子及び複数の下接触端子を保護できる。
また、舌板中には、補強板２２６ｉを設置し、しかも舌板は、補強板２２６ｉ両側の金属シャープネル２２８ｉにより絶縁台体２１ｉに連接される。
これにより、舌板は、絶縁台体２１ｉに相対して浮動する。
つまり、双方向電気コネクターと相補的コネクターが対応接続すると、舌板は、相補的コネクターに押されて浮動する。
中でも、本発明は補強板上でインサート・モールディング製造工程を行い、補強板上に舌板及び絶縁台体を形成する。
【００６９】
続いて図１０６〜図１１４に示す通り、複数の上接触端子２３ｉの複数の上接触部は、分隔板の上表面に突出し、しかも複数の上接触部と舌板の分隔板２２３ｉの上表面（導斜面位置限定槽の上方）の間の距離は、相補的コネクターの端子陥没の間隔距離より大きい。
よって、双方向電気コネクターと相補的コネクターが対応接続すると、複数の上接触部２３ｉは、相補的コネクターの端子に押されて圧縮される。
この時、上接触端子２３ｉの金属弾性に対応し、相補的コネクターの端子方向へ向かう弾性垂直抗力を生じ、上接触部と端子の間の安定的な接触を確保する。
複数の下接触端子２４ｉもまた同じ原理であるため、再記述しない。
別の面では、複数の上接触端子２３ｉ及び複数の下接触端子２４ｉは、相互に対応する複数の導斜面位置限定槽中にそれぞれ進入し、分隔板２２３ｉに密着するため、舌板全体の弾性垂直抗力を向上させられる。
特別に説明が必要なのは、舌板２２ｉの複数の対応接続位置限定部２２２ｉの厚さは、分隔板２２３ｉの厚さより厚いため、双方向電気コネクターと相補的コネクター１ｋが対応接続すると、舌板の分隔板は、相補的コネクターに押されて下方へと浮動する。
この時、厚さがより厚い複数の対応接続位置限定部２２２ｉは、外ケース２５ｉと接触し、分隔板２２３ｉの下方への浮動を停止する。
同時に、複数の下接触部と外ケース２５ｉの間に存在する一定の間隔距離を維持し、ショート発生の状況を回避できる。
【００７０】
図１１５に示す通り、第二十実施形態の構造の双方向電気コネクターの構造は凡そ前述の第十九実施形態と相同で、しかも相同の点については、再記述しない。
一方、両者の異なる点は二つある。
第一には、舌板の分隔板の前端２２７ｉの厚さより厚く、分隔板の構造強度を向上させられる点である。
第二には、補強板上の、接触端子に対応し、分隔板と密着する位置には、複数の開孔を設置する。
分隔板成形の過程で、フルフィルムでない状況が発生したなら、分隔板の部分の厚さは薄くなり、さらには補強板が分隔板の外に露出する状況も発生し得る。
よって、接触端子には、補強板と接触する可能性がある。
よって、複数の開孔の機能は、成形過程において、樹脂の複数の開孔内への流入を補助することで、これにより分隔板はフルフィルムとなり、接触端子と補強板との接触を回避できる。
【００７１】
図１１６〜図１１８に示す通り、第二十一実施形態中の双方向電気コネクター２ｊは、舌板、絶縁台体、一列に排列される複数の上接触端子、一列に排列される複数の下接触端子及び外ケースを有する。
各上接触端子は、上接触部、上延伸セクション、上固定部及び上ピンを有し、各下接触端子は、下接触部、下延伸セクション、下固定部及び下ピンを有する。
双方向電気コネクター２ｊは、舌板２２ｊ内に、補強板２２６ｊを設置する。
また、舌板２２ｊはＨ型で、しかも複数の対応接続位置限定部２２２ｊ及び分隔板２２３ｊを有する。
分隔板２２３ｊは絶縁台体２１ｊ一部の一体成形し、全樹脂型の舌板を形成する。
双方向電気コネクターと相補的コネクターが対応接続すると、舌板２２ｊの分隔板２２３ｊは、相補的コネクターに押され、いくらか下方へと浮動する。
発生する浮動移動量は、比較的小さい。
次に、接触端子の接触部の前導斜面は、位置限定凹槽底部に密着し、しかも弾動延伸部中段と浮動或いは固定舌板２２ｊの上下両側には、弾動間隙をそれぞれ設置する。
【００７２】
図１１９と図１２０に示す通り、補強板２２６ｊは、分隔板２２３ｊの内部に位置し、舌板の構造強度及び弾性を向上させられる。
中でも、補強板２２６ｊは、インサート・モールディング製造工程により全樹脂型の舌板を成形される。
特別に説明が必要なのは、図１２０中の補強板２２６ｊ中には、開孔を設置し、その構造は舌板の成形を助ける。
【００７３】
図１２１に示す通り、第二十二実施形態の双方向電気コネクター２ｋの上接触端子２３ｋ及び下接触端子２４ｋと舌板２２ｋの分隔板２２３ｋが密着する部分は、それぞれ上延伸セクション及び下延伸セクションで、上導斜面及び下導斜面は共に分隔板と接触しない。
言い換えれば、本発明による上接触端子及び下接触端子と分隔板の密着する部分は、上導斜面及び下導斜面に限定されず、接触端子中の他の部分は、分隔板と密着することもできる。
次に、本実施形態中において、上下延伸弾動部中段は、舌板２２ｋの上下両側に密着し、しかも接触部前端の導斜面と舌板２２ｋの上下両側には、弾動間隙を設置する。
【００７４】
図１２２及び図１２３に示す通り、第二十三実施形態中の双方向電気コネクターの外ケース２５ｍは、弾動可能な複数の嵌合２５１ｍを有し、それは釣竿型力アーム嵌合である。
詳述すれば、複数の嵌合２５１ｍには、縦方向に延伸し、しかも前後両端に支点を設置する少なくとも１個の封鎖型中段の構造を設置する。
或いは、複数の嵌合には、縦方向に延伸し、しかも前後両端には、中段へと力アーム幅が漸縮する少なくとも１個の構造を設置する。
或いは、複数の嵌合は封鎖式延伸の構造で、しかも挿入導斜面は、抜き出し斜面より小さい。
即ち、嵌合上の、外ケースの前端に近い一面２５２ｍの角度は、比較的スムースで、嵌合上の外ケースの後端に近い一面２５３ｍの角度は比較的大きい（図１２３参照）。
よって、双方向電気コネクターと相補的コネクターが対応接続すると、嵌合中の角度がより大きい表面は、双方向電気コネクターと相補的コネクターの連接を助け、両者の対応接続は、分離しにくい。
【００７５】
図１２４〜図１２６に示す通り、第二十四実施形態中の双方向電気コネクター２ｎの一列に排列される複数の上接触端子中の、外側に位置する２個の接触端子２３２ｎの長さは、内側に位置する３個の接触端子２３３ｎの長さより長く、下接触端子もまた同原理である。
第二に、複数の上接触端子及び複数の下接触端子の異なる長さの構造に対応し、舌板２２ｎの分隔板２２５ｎは、相互に対応する構造を有する。
舌板２２ｎはＨ型で、しかも絶縁台体２１ｎに相対して浮動する。
舌板２２ｎは、複数の対応接続位置限定部及び分隔板を有する。
分隔板２２２ｎの二表面上には、複数の導斜面位置限定槽２２４ｉをそれぞれ有する。
複数の上接触端子及び複数の下接触端子の異なる長さの構造に対応し、複数の導斜面位置限定槽２２４ｎの長さも調整可能である。
例えば、ＵＳＢ協会規範の舌板において、比較的長い接触端子に対応する舌板前端から接触部の導斜面までの距離は０．８ｍｍ＋０．１５ｍｍ〜０．８ｍｍ−０．１５ｍｍである。
ＵＳＢ協会規範の舌板において、比較的短い接触端子に対応する舌板前端から接触部の導斜面までの距離は１．２ｍｍ＋０．１５ｍｍ〜１．２ｍｍ−０．１５ｍｍである。
つまり、比較的長い接触端子２３２ｎの接触部の長さと比較的短い接触端子２３３ｎの接触部の長さの差は、０．２ｍｍ以内である。
また、分隔板２２５ｎは、三枚に分割され、比較的長い接触端子に対応する二枚の外側分隔板部材及び比較的短い接触端子に対応する一枚の内側分隔板部材を有する。
分隔板が三枚に分割される構造により、二枚の外側分隔板部材は、比較的長い接触端子に対応して独立作動する。
同じ理由で、内側分隔板部材も、比較的短い接触端子に対応して、独立作動する。
言い換えれば、本実施形態の分隔板２２５ｎは、比較的長い接触端子或いは比較的短い接触端子に対応して、それぞれ自主的に作動する。
【００７６】
図１２７〜図１２９に示す通り、第二十五実施形態中の双方向電気コネクター２ｐは充電型構造で、即ち接触端子データ信号の伝送を行う必要がなく、電力伝送のみを行う。
よって、充電型構造の双方向電気コネクターと呼ぶ。
複数の接触端子の数は２個だけで、しかも各接触端子の水準幅は、前述の実施形態の接触端子の水準幅より大きく、これにより充電の速度を向上させられる。
中でも、複数の接触端子は同一の銅材により製造され、しかも一次インサート・モールディング製造工程によるだけで、舌板に固定される複数の接触端子を成形することができる。
【００７７】
図１３０〜図１３２に示す通り、第二十六実施形態中の双方向電気コネクター２ｑの舌板２２ｑの厚さは比較的薄く、しかも複数の導斜面位置限定槽を備えない。
双方向電気コネクターと相補的コネクター２ｒが対応接続すると、舌板２２ｑの厚さは比較的薄いため、相補的コネクター２ｒに押されて浮動しない。
即ち、本実施形態の舌板２２ｑは固定不浮動の構造である。
双方向電気コネクター２ｑと相補的コネクター２ｒが対応接続すると、複数の上接触端子の複数の上接触部は、相補的コネクターに押されて圧縮される（図１３２参照）。
複数の下接触端子の複数の下接触部もまた同じ理由であるため、再記述しない。
中でも、補強板２２３ｑ上の、接触端子に対応し、分隔板と密着する位置には、複数の開孔２２４ｑを設置し、その機能は成形過程において、樹脂の複数の開孔内への流入を補助することで、これにより分隔板はフルフィルムとなり、接触端子と補強板２２３ｑとの接触を回避できる。
【００７８】
図１３３〜図１３８に示す通り、第二十七実施形態の両面電気コネクター３ｉの上接触端子３３ｉと下接触端子３４ｉの各導斜面３３３ｉは、相対して密着し、位置がずれず、その他は、前述の実施形態と類似のため、再記述しない。
【００７９】
図１３９〜図１４４に示す通り、第二十八実施形態の両面電気コネクター３ｊの特徴は、以下の通りである。
上下接触部３３ｊ、３４ｊは左右相対で、前後に位置がずれた接触部を、左右相対、前後に位置がずれた弾動接点弾動槽３３３ｊに陥没状に設置する。
これにより、上下接触部３３ｊ、３４ｊの相互接触によるショートを回避できる。
複数の接点３３１ｊは左右相対で、しかも前後に相互に位置がずれ、接触端子の複数の導斜面は舌板の中心線３２１ｊに密着する。
舌板３２ｊ後方の上下には、一列の５個の接点の弾動延伸部をそれぞれ設置し、その前端は、浮動舌板３２ｊ後方の凹部に密着する。
しかも、弾動延伸部には、２個の力アーム中段接点弾動の接触部を設置する。
絶縁ベースは、３点式ベースが重なり、３点式ベースは、少なくとも一列の端子を埋設或いは組み立てる。
図１４１は、比較的長い接触部３３ｊを示し、図１４２は、比較的短い接触部３４ｊを示す。
【００８０】
図１４５〜図１４８に示す通り、第二十九実施形態の両面電気コネクター３ｋの上下二列の接触端子の電源及び接地端子３３１ｋ、３３５ｋ、３４１ｋ、３４５ｋの接触部、延伸部、固定部及びピン部の内の少なくとも一つの幅は比較的広く、好ましくは全ての幅を広くし、しかも接地と電源端子を両外側に設置する。
【００８１】
図１４９〜図１５１に示す通り、第三十実施形態の両面電気コネクター４ｉの浮動舌板４２ｉの板体４２１ｉの形状は、多斜面錐体構造で、これにより相補的電気コネクターとの対応接続にさらに有利である。
【００８２】
図１５２〜図１５７に示す通り、第三十一実施形態の双方向両面電気コネクター６ｊは、絶縁台体６１ｊ、浮動舌板６２ｊ、一列の上端子インターフェース、一列の下端子インターフェース及び外ケース６５ｊを有する。
双方向両面電気コネクター６ｊの外ケース６５ｊは、弾性嵌合構造６５１ｊ及び金属ケース溶接ピン６５２ｊを有する。
弾性嵌合構造６５１ｊは、両者の対応接続時に、その対応接続する結合力量を強化するのに役立ち、金属ケース溶接ピン６５２ｊは、回路基板に連接する。
次に、上端子インターフェースの上ピン及び下端子インターフェースの下ピンは、ずれた一列の排列で、しかも舌板６２ｊが平行に浮動する方向に、絶縁台体６１ｊ外に伸び出す。
【００８３】
図１５８〜図１６０に示す通り、双方向両面電気コネクター６ｊは、溶接方式により、回路基板６７ｊ上に連接される。
回路基板６７ｊ上には、金属ケース溶接ピン６５２ｊに対応する回路基板開孔６７４ｊを設置する他、さらに上端子インターフェースの上ピン５３４ａ〜５３４ｅ及び下端子インターフェースの下ピン５４４ａ〜５４４ｅに対応する複数のピン溶接パッド６７１ｊを有する。
しかも、各ピン溶接パッド６７１ｊはすべて、端子インターフェースの排列シリアル番号に対応して配される。
即ち、配される相同の排列シリアル番号を有するピン溶接パッド６７１ｊの数量は２個で、それは上端子インターフェース及び相互に対応する下端子インターフェースにそれぞれ連接する
本実施形態中において、上端子インターフェース及び相互に対応する下端子インターフェースは、表面実装技術（ＳＭＴ）により、相互に対応するピン溶接パッド６７１ｊにそれぞれ連接される。
この他、回路基板６７ｊは、さらに他の導電パッド６７２ｊを有する。
導電パッド６７２ｊは、導線６７３ｊを通して、異なる排列シリアル番号の若干のピン溶接パッド６７１ｊに電気的に連接する。
また、相同の排列シリアル番号のピン溶接パッド６７１ｊは、転折直列接続構造６７５ｊを通して、電気的にお互い連接し、しかも転折直列接続構造６７５ｊは、回路基板６７ｊの、絶縁台体６１ｊに覆われる部分に設置される。
上述に基づき、本発明は、転折直列接続構造６７５ｊを通して、相同の排列シリアル番号のピン溶接パッド６７１ｊに電気的に連接する。
よって、半分のピン溶接パッド６７１ｊだけが、導線６７３ｊを通して、導電パッド６７２ｊに連接する。
実際の信号伝送時には、上端子インターフェースを通そうと、下端子インターフェースを通そうと、信号は共に導線６７３ｊを通して、導電パッド６７２ｊに伝送され、さらに回路基板６７ｊ上或いは他の外部回路上に伝送される。
反対に、外部の信号もまた、上端子インターフェースと下端子インターフェースの任意のいずれかに伝送される。
また、端子インターフェースの信号ピンと直列接続構造は隣り合い、やや平行で、等距離に排列する。
【００８４】
図１６１に示す通り、双方向両面電気コネクター６Ａは、絶縁台体６１Ａ及び外ケース６５Ａを有する。
その外観構造は、双方向両面電気コネクター６といくらか異なるが、その内部構造と作動は凡そ相同であるため、再記述しない。
図１６２に示す通り、別種の双方向両面電気コネクター６ｍの絶縁台体６１ｍ及び外ケース６５ｍの外観構造は、双方向両面電気コネクター６Ａと凡そ相同であるが、その下端子インターフェースのピン６４４ｍは挿入ピンである。
よって、回路基板６７ｍは、ピン６４４ｍを収容設置する開孔６７１ｍを有し、しかも開孔６７１ｍには、はんだ材料を注入でき、下端子インターフェースと回路基板６７＊の電気的連接を確立する。
上端子インターフェースは、表面実装技術により、回路基板６７ｍのピン溶接パッド６７１ｍに連接される。
【００８５】
図１６３では、回路基板とピンの設置関係をさらに説明する。
回路基板２０ｓは、ケース２５ｓの後方から外へと伸び出し、複数の上ピン２３ｓと複数の下ピン２４ｓは、回路基板２０ｓの上下両側にそれぞれ設置される。
よって、本発明の上下接触端子の上下ピンは、回路基板の同片側或いは上下両側にそれぞれ設置される。
よって、本発明の回路基板は、複数の上ピン溶接パッド、複数の下ピン溶接パッド、複数の導線接続パッド、複数の転折直列接続構造及び複数の直列接続孔を有する。
上ピン溶接パッドは、上接触端子に対応し、回路基板の上表面上に設置され、しかも相互に対応する上接触端子とそれぞれ連接される。
次に、上ピン溶接パッドには、端子シリアル番号Ａ１〜Ａ５が配される。
下ピン溶接パッドは、下接触端子に対応し、回路基板の下表面上に設置され、複数の上ピン溶接パッドとは異なる表面上に設置される。
複数の下ピン溶接パッドの機能は、相互に対応する下接触端子とそれぞれ連接することで、中でも、複数の下ピン溶接パッドもまた、端子シリアル番号Ｂ１〜Ｂ５が配される。
複数の導線接続パッドは、回路基板の片側に設置され、しかも複数の上ピン溶接パッドと同一表面上に設置され、相互に対応する複数の導線にそれぞれ連接される。
本発明は、上ピン溶接パッド及び下ピン溶接パッドを、回路基板の同一表面上に設置しなければならないとは限定せず、異なる表面上に設置することもでき、異なるニーズの双方向電気プラグに適用することができる。
【００８６】
図１６４〜図１６７に示す通り、双方向電気プラグ４ｔは、回路基板４０ｔ、絶縁台体４１ｔ、上下弾動可能な舌板４２ｔ、一列に排列される複数の上接触端子４３ｔ、一列に排列される複数の下接触端子４４ｔ及び外ケース４５ｔを有する。
本実施形態中において、双方向電気プラグ４ｔはＵＳＢ  ２．０  Ａ型伝送インターフェースで、しかも一列の上接触端子４３ｔ及び一列の下接触端子４４ｔの端子数量は４個である。
【００８７】
続いて図１６４〜図１６７に示す通り、双方向電気プラグ４ｔは、一列の上接触端子４３ｔ及び一列の下接触端子４４ｔにより、回路基板４０ｔに連接され、しかも回路基板４０ｔは、複数の上ピン溶接パッド４０１ｔ、複数の下ピン溶接パッド４０２ｔ、複数の導線接続パッド４０３ｔ及び複数の転折直列接続構造４０４ｔを有する。
複数の上ピン溶接パッド４０１ｔは、複数の上接触端子４３ｔに対応し、回路基板４０ｔ上に設置され、しかも相互に対応する上接触端子４３ｔとそれぞれ連接される。
それに類似し、複数の下ピン溶接パッド４０２ｔは複数の下接触端子４４ｔに対応し、回路基板４ｔ上に設置され、しかも複数の上ピン溶接パッド４０１ｔと同一表面上に設置される。
複数の下ピン溶接パッド４０２ｔの機能は、相互に対応する下接触端子４４ｔとそれぞれ連接することである。
複数の導線接続パッド４０３ｔは、回路基板の片側に設置され、しかも複数の上ピン溶接パッド４０１ｔ及び複数の下ピン溶接パッド４０２ｔと同一表面上に設置され、相互に対応する複数の導線にそれぞれ連接される。
複数の上接触端子４３ｔは、端子シリアル番号Ａ１〜Ａ４をそれぞれ配され、しかも複数の上接触端子４３ｔの複数の上ピン溶接パッド４０１ｔに対応し、端子シリアル番号Ａ１〜Ａ４を配される。
複数の下接触端子４４ｔは、端子シリアル番号Ｂ１〜Ｂ４をそれぞれ配され、しかも複数の下接触端子４４ｓの複数の下ピン溶接パッド４０２ｓに対応し、端子シリアル番号Ｂ１〜Ｂ４を配される。
中でも、端子シリアル番号Ａ１〜Ａ４及びＢ１〜Ｂ４中の１〜４は通し番号で、Ａは、上接触端子４３ｔに対応することを示し、Ｂは、下接触端子４４ｔに対応することを示す。
複数の転折直列接続構造４０４ｔは、回路基板４０ｔ上に設置され、しかも複数の上ピン溶接パッド４０１ｔ、複数の下ピン溶接パッド４０２ｔ及び複数の導線接続パッド４０３ｔと、同一表面上に設置される。
各転折直列接続構造４０４ｔの機能は、相同の通し番号を有する上ピン溶接パッド４０１ｔ及び下ピン溶接パッド４０２ｔに連接することである。
これにより、相同の通し番号を有する上ピン溶接パッド４０１ｔ及び下ピン溶接パッド４０２ｔは、１個の導線溶接パッド４０３ｔに連接される。
【００８８】
図１６８では、回路基板と端子の局部細部レイアウトを説明する。
各上接触端子４３ｕは、上接触部４３１ｕ、上湾折段差部４３２ｕ、上延伸セクション４３３ｕ及び上ピン４３４ｕを有する。
別の面では、各下接触端子４４ｕは、下接触部（図示なし）、下湾折段差部４４２ｕ、下延伸セクション４４３ｕ及び下ピン４４４ｕを有する。
上接触端子４３ｕ中の上接触部４３１ｕは、舌板４２ｕに固定され、しかも舌板４２ｕの上表面に露出し、電気レセプタクルの連接インターフェースと接触する。
上湾折段差部４３２ｕは、上接触部４３１ｕ及び上延伸セクション４３３ｕに連接され、垂直方向上の高度段差を形成する。
これにより、上接触部４３１ｕと上延伸セクション４３３ｕは、異なる高度にそれぞれ位置する。
この他、上湾折段差部４３２ｕには、さらに水準方向の湾折形状を形成する。
これにより、上湾折段差部４３２ｕは、下湾折段差部４４２ｕと相互に左右に偏位して接触せず、ショートの発生を回避する。
上延伸セクション４３３ｕは、上湾折段差部４３２ｕ及び上ピン４３４ｕに連接され、その一部は、絶縁台体４１ｕ上に固定され、しかも一部は、絶縁台体４１ｕの外に露出する。
中でも、絶縁台体４１ｕに固定される上延伸セクション４３３ｕは上固定部と定義され、或いは上固定部を、上延伸セクション４３３ｕ中の一部分と定義することができる。
また、絶縁台体４１ｕの外に露出する上延伸セクション４３３ｕは、貫通弾動部と定義される。
上延伸セクション４３３ｕ（或いは貫通弾動部と呼称）の金属弾性に対応し、これにより上接触端子４３ｕと連接する舌板４２ｕは、上下に弾動できる。
上ピン４３４ｕは、上延伸セクション４３３ｕに連接され、しかも絶縁台体４１ｕの外に伸び出し、相互に対応する上ピン溶接パッド４０１と連接する。
一方、下接触端子４４ｕの構造は、上接触端子４３ｕと類似し、その差異は、以下の通りわずかである。
下接触端子４４ｕの下接触部は、舌板４２ｕの下表面に露出し、一列の上接触端子４３ｕの上延伸セクション４３３ｕ及び一列の下接触端子４４ｕの下延伸セクション４４３ｕは、左右に位置がずれ横方向に等しい高さで並列し、しかも安全間隔距離を保持して接触しない。
【００８９】
図１６９〜図１７２に示す通り、双方向電気プラグ５ｖは、延伸インターフェース５０ｖにより、回路基板４０ｖの構造に置換する。
延伸インターフェース５０ｖは、複数の上ピン溶接パッド５０１ｖ、複数の下ピン溶接パッド５０２ｖ、複数の導線接続パッド５０３ｖ、複数の転折直列接続構造５０４ｖ及びベルト５０５ｖを有する。
複数の上ピン溶接パッド５０１ｖは、複数の上接触端子５３ｖに対応し、しかも複数の上ピン溶接パッド５０１ｖは、端子シリアル番号Ａ１〜Ａ４が配される。
複数の下ピン溶接パッド５０２ｖは、複数の下接触端子５４ｖに対応し、その機能は、相互に対応する下接触端子５４ｖとそれぞれ連接することで、しかも複数の下ピン溶接パッド５０２ｖもまた、端子シリアル番号Ｂ１〜Ｂ４を配される。
複数の導線接続パッド５０３ｖは、相互に対応する上ピン溶接パッド５０１ｖにそれぞれ連接され、相互に対応する複数の導線（図示なし）にそれぞれ連接する。
各転折直列接続構造５０４ｖの機能は、相同の通し番号を有する上ピン溶接パッド５０１ｖ及び下ピン溶接パッド５０２ｖに連接することで、これにより相同の通し番号を有する上ピン溶接パッド５０１ｖ及び下ピン溶接パッド５０２ｖは、１個の導線溶接パッド５０３ｖに連接される。
ベルト５０５ｖは、複数の導線接続パッド５０３ｖに連接され、その機能は、延伸インターフェース５０ｖの製造及び組み立ての便を図ることである。
ベルト５０５ｖと複数の導線接続パッド５０３ｖの間には、複数の預断区域を設置し、延伸インターフェース５０ｖと一列の上接触端子５３ｖ及び一列の下接触端子５４ｖとが連接した後、複数の預断区域により、ベルト５０５ｖを簡単に除去できる。
また、上ピン溶接パッド５０１ｖ、複数の下ピン溶接パッド５０２ｖ、複数の導線接続パッド５０３ｖ及び複数の転折直列接続構造５０４ｖの数量は共に４個である。
一方、双方向電気プラグ５ｖは、一列の上接触端子５３ｖ及び一列の下接触端子５４ｖにより、延伸インターフェース５０の結合構造に連接される（図１７０〜図１７２参照）。
また、上下二列の延伸弾動部５３３ｖは等しい高さで並んで排列する構造である。
【００９０】
図１７３〜図１７６に示す通り、双方向電気プラグ６ｗは、延伸インターフェース６０ｗ、絶縁台体６１ｗ、上下弾動可能な舌板６２ｗ、一列に排列される複数の上接触端子６３ｗ、一列に排列される複数の下接触端子６４ｗ及び外ケース６５ｗを有する。
中でも、複数の上接触端子６３ｗは、端子シリアル番号Ａ１〜Ａ４をそれぞれ配され、しかも各上接触端子６３ｗは、上接触部６３１ｗ、上湾折段差部６３２ｗ、上延伸セクション６３３ｗ及び上ピン６３４ｗを有する。
複数の下接触端子５４ｗは、端子シリアル番号Ｂ１〜Ｂ４をそれぞれ配され、しかも各下接触端子６４ｗは、下接触部６４１ｗ、下湾折段差部６４２ｗ、下延伸セクション６４３ｗ及び下ピン６４４ｗを有する。
双方向電気プラグ６ｗの構造は凡そ第四実施形態の構造と相同で、しかも相同の点については、再記述しない。
一方、両者の異なる点は、回路基板６０ｗの構造が異なるだけである。
【００９１】
続いて図１７３〜図１７６に示す通り、回路基板６０ｗは、複数の上ピン溶接パッド６０１ｗ、複数の下ピン溶接パッド６０２ｗ、複数の導線接続パッド６０３ｗ、複数の転折直列接続構造６０４ｗ及び複数の直列接続孔６０５ｗを有する。
複数の上ピン溶接パッド６０１ｗは、複数の上接触端子６３ｗに対応し、回路基板６０ｗの上表面上に設置され、しかも相互に対応する上接触端子６３ｗとそれぞれ連接する。
中でも、複数の上ピン溶接パッド６０１ｗは、端子シリアル番号Ａ１〜Ａ４を配される。
複数の下ピン溶接パッド６０２ｗは、複数の下接触端子６４ｗに対応し、回路基板６０ｗの下表面上に設置され、複数の上ピン溶接パッド６０１ｗと異なる表面上に設置される。
複数の下ピン溶接パッド６０２ｗの機能は、相互に対応する下接触端子６４ｗとそれぞれ連接することである。
中でも、複数の下ピン溶接パッド６０２ｗもまた、端子シリアル番号Ｂ１〜Ｂ４を配される。
複数の導線接続パッド６０３ｗは、回路基板の片側に設置され、しかも複数の上ピン溶接パッド６０１ｗと、同一表面上に設置され、その相互に対応する複数の導線（図示なし）にそれぞれ連接される。
また、上下二列の延伸弾動部６３３は等しい高さで並んで排列する構造である。
【００９２】
続いて図１７３〜図１７６に示す通り、複数の転折直列接続構造６０４ｗは、回路基板６０ｗ上に設置され、しかも複数の下ピン溶接パッド６０２ｗと、同一表面上に設置され、よって、図中複数の転折直列接続構造６０４ｗは点線で表示する。
各転折直列接続構造６０４ｗの機能は、相同の通し番号を有する上ピン溶接パッド６０１ｗ及び下ピン溶接パッド６０２ｗに連接することである。
複数の上ピン溶接パッド６０１ｗ及び複数の下ピン溶接パッド６０２ｗは、異なる表面上に設置されるため、回路基板６０ｗ上には、複数の直列接続孔６０５ｗをさらに設置し、しかも複数のはんだ材料をそれぞれ注入でき、複数の転折直列接続構造６０４ｗと複数の上ピン溶接パッド６０１ｗの電気的連接を確立する。
これにより、相同の通し番号を有する上ピン溶接パッド６０１ｗ及び下ピン溶接パッド６０２ｗは、１個の導線溶接パッド６０３ｗに連接される。
一方、双方向電気プラグ６ｗは、一列の上接触端子６３ｗ及び一列の下接触端子６４ｗにより、回路基板６０ｗの結合構造に連接される（図参照）。
【００９３】
図１７７〜図１８１に示す通り、双方向電気プラグ７ｘは、回路基板７０ｘ、第一絶縁台体７１１ｘ、第二絶縁台体７１２ｘ、一列に排列される複数の上接触端子７３ｘ、一列に排列される複数の下接触端子７４ｘ及び外ケース７５ｘを有する。
本実施形態中において、双方向電気プラグ７ｘは口型連接槽構造で、即ち第一絶縁台体７１１ｘ及び第二絶縁台体７１２ｘは、外ケース７５ｘの内表面とそれぞれ密着する（図参照）。
図１７９に示す通り、一列の上接触端子７３ｘは第一絶縁台体７１１ｘ上に固定され、しかも一列の下接触端子７４ｘは、第二絶縁台体７１２ｘ上に固定される。
中でも、一列の上接触端子７３ｘは、それぞれ相互に対応する下接触端子７４ｘと左右に位置がずれ並列し、しかも安全間隔距離を保持して接触しない。
【００９４】
図１７７に示す通り、複数の上接触端子７３ｘは、端子シリアル番号Ａ１〜Ａ４をそれぞれ配される。
しかも、複数の上接触端子７３ｘに対応する複数の上ピン溶接パッド７０１ｘもまた、端子シリアル番号Ａ１〜Ａ４を配される。
複数の下接触端子７４ｘは、端子シリアル番号Ｂ１〜Ｂ４をそれぞれ配され、しかも複数の下接触端子７４ｘに対応する複数の下ピン溶接パッド７０２ｘもまた端子シリアル番号Ｂ１〜Ｂ４を配される。
中でも、端子シリアル番号Ａ１〜Ａ４及びＢ１〜Ｂ４中の１〜４は通し番号で、Ａは、上接触端子７３ｘに対応することを示し、Ｂは、下接触端子４４ｘに対応することを示す。
複数の転折直列接続構造７０４ｘは、回路基板７０ｘ上に設置され、しかも複数の上ピン溶接パッド７０１ｘ、複数の下ピン溶接パッド７０２ｘ及び複数の導線接続パッド７０３ｘと、同一表面上に設置される。
各転折直列接続構造７０４ｘの機能は、相同の通し番号を有する上ピン溶接パッド７０１ｘ及び下ピン溶接パッド７０２ｘに連接することで、これにより相同の通し番号を有する上ピン溶接パッド７０１ｘ及び下ピン溶接パッド７０２ｘは、１個の導線溶接パッド７０３ｘに連接される。
一方、双方向電気プラグ７ｘは、一列の上接触端子７３ｘ及び一列の下接触端子７４ｘにより、回路基板７０ｘの結合構造に連接される（図１８２〜図１８３参照）。
【００９５】
図１８４〜図１９０に示す通り、第三十七実施形態の下端子インターフェース８４ａ〜８４ｄの第一下端子インターフェース８４ａは、第一下接触セクション８４１ａ、第一下延伸セクション８４２ａ、第一下転折セクション８４３ａ及び第一下段差部８４４ａを有する。
これら構造は、第一実施形態に類似するが、異なる点は第一下端子インターフェース８４ａは、２個の第一下段差部８４４ａを備える点である。
同じ理由で、第二下端子インターフェース８４ｂは、第二下接触セクション８４１ｂ、第二下延伸セクション８４２ｂ、第二下転折セクション８４３ｂ及び第二下段差部８４４ｂを有する。
第三下端子インターフェース８４ｃは、第三下接触セクション８４１ｃ、第三下延伸セクション８４２ｃ、第三下転折セクション８４３ｃ及び第三下段差部８４４ｃを有する。
第四下端子インターフェース８４ｂは、第四下接触セクション８４１ｄ、第四下延伸セクション８４２ｄ、第四下転折セクション８４３ｄ及び第四下段差部８４４ｄを有する。
これらと第一実施形態の間の差異は、第一下端子インターフェース８４ａと同じ原理であるため、再記述しない。
【００９６】
続いて図１８４〜図１９０に示す通り、双方向両面電気コネクター８の組み立てについて説明する。
先ず、上端子インターフェース８３ａ〜８３ｄと下端子インターフェース８４ａ〜８４ｄを提供する。
次に、第一次インサート・モールディング製造工程を行い、第一絶縁台体８２を形成する。
上端子インターフェース８３ａ〜８３ｄの一部は、第一絶縁台体８１中に埋没するが、第一上接触セクション８３１ａ〜第四上接触セクション８３１ｄは、第一台体表面８１１の外に露出する。
同じ理由で、下端子インターフェース８４ａ〜８４ｄの一部は、第二絶縁台体８２中に埋没するが、第一下接触セクション８４１ａ〜第四下接触セクション８４１ｄは、第二台体表面８２１の外に露出する。
続いて、複数の第一結合部材８１２及び複数の第二結合部材８２２を結合する方式を通して、第一絶縁台体８１及び第二絶縁台体８２を結合する。
この時、第一上延伸セクション８３２ａ〜第四上延伸セクション８３２ｄと第一下延伸セクション８４２ａ〜第四下延伸セクション８４２ｄは、上下に重なり接続する方式で、並列される（図参照）。
【００９７】
次に、外ケース８５を、すでに結合された第一絶縁台体８１及び第二絶縁台体８２上に嵌めて設置し、しかも相互に接続する第一上延伸セクション８３２ａ〜第四上延伸セクション８３２ｄ及び第一下延伸セクション８４２ａ〜第四下延伸セクション８４２ｄは、双方向両面電気コネクター８の外に露出する（図６１参照）。
最後に、前述の実施形態と相同の作動を行い、第一上延伸セクション８３２ａ〜第四上延伸セクション８３２ｄ及び複数の導線を溶接し、双方向両面電気コネクター８の組み立てを完成する。
上述に基づき、双方向両面電気コネクター８は、舌板を有さず、第一絶縁台体８１及び第二絶縁台体８２により、前述の実施形態の舌板及び絶縁台体の構造に置換し、「口」字型の対応接続構造を形成する。
【００９８】
さらに、別種の異なる形態の第三十七実施形態では、図１８８〜図１９０に示す通り、双方向両面電気コネクター８Ａは、双方向両面電気コネクター８の上端子インターフェース及び下端子インターフェースとは異なる構造を有する。
図６２中では、複数の上端子インターフェースは、さらに相互に対応する延伸セクション（或いはピン）上に設置される穿刺構造８３５ａ〜８３５ｄを有する。
しかも、穿刺構造８３５ａ〜８３５ｄは垂直湾折し、しかも相互に対応する延伸セクションの表面に突出する。
これに類似し、複数の下端子インターフェースは、さらに相互に対応する延伸セクション（或いはピン）上に設置される相補的穿刺構造８４５ａ〜８４５ｄを有する。
これら相補的穿刺構造８４５ａ〜８４５ｄは、穿刺構造８４５ａ〜８４５ｄにそれぞれ対応し、しかも垂直湾折し、しかも相互に対応する延伸セクションの表面に突出する。
複数の上端子インターフェースが、相互に対応する下端子インターフェースとそれぞれ重なる時、複数の上延伸セクションと複数の下延伸セクションは、並列方式で設置され、しかも穿刺構造８３５ａ〜８３５ｄは、相互に対応する相補的穿刺構造８４５ａ〜８４５ｄとそれぞれ背中合わせに相互に結合する（図１８９参照）。
一方、外ケース８５と結合する第一絶縁台体８１及び第二絶縁台体８２の組み立て状態は、図１９０に示す。
【００９９】
図１９１〜図１９６に示す通り、双方向電気プラグ８は、延伸インターフェース８０、第一絶縁台体８１１、第二絶縁台体８１２、一列に排列される複数の上接触端子８３、一列に排列される複数の下接触端子８４及び外ケース８５を有する。
複数の上接触端子８３は、端子シリアル番号Ａ１〜Ａ４をそれぞれ配され、複数の下接触端子８４は、端子シリアル番号Ｂ１〜Ｂ４をそれぞれ配される。
双方向電気プラグ８の構造は、凡そ第七実施形態の構造と相同で、しかも相同の点については、再記述しない。
一方、両者の異なる点は、双方向電気プラグ８は延伸インターフェース８０により、回路基板７０の構造に置換する点である。
延伸インターフェース８０は、複数の上ピン溶接パッド８０１、複数の下ピン溶接パッド８０２、複数の導線接続パッド８０３、複数の転折直列接続構造８０４及びベルト８０５を有する。
複数の上ピン溶接パッド８０１は、複数の上接触端子８３に対応し、しかも複数の上ピン溶接パッド８０１は、端子シリアル番号Ａ１〜Ａ４を配される。
複数の下ピン溶接パッド８０２は、複数の下接触端子８４に対応し、その機能は、相互に対応する下接触端子８４とそれぞれ連接することである。
しかも、複数の下ピン溶接パッド８０２もまた端子シリアル番号Ｂ１〜Ｂ４を配される。
複数の導線接続パッド８０３は、相互に対応する上ピン溶接パッド８０１にそれぞれ連接され、相互に対応する複数の導線にそれぞれ連接する（図示なし）。
各転折直列接続構造８０４の機能は、相同の通し番号を有する上ピン溶接パッド８０１及び下ピン溶接パッド８０２に連接することである。
これにより、相同の通し番号を有する上ピン溶接パッド８０１及び下ピン溶接パッド８０２は、１個の導線溶接パッド８０３に連接する。
ベルト８０５は、複数の導線接続パッド８０３に連接し、その機能は、延伸インターフェース８０の製造及び組み立ての便を図ることである。
ベルト８０５と複数の導線接続パッド８０３の間には、複数の預断区域を設置し、延伸インターフェース８０と一列の上接触端子８３及び一列の下接触端子８４とを連接した後、複数の預断区域により、ベルト８０５を簡単に除去できる。
一方、双方向電気プラグ８は、一列の上接触端子８３及び一列の下接触端子８４により、延伸インターフェース８０の結合構造に連接される（図参照）。
【０１００】
図１９７は、図１０５に相対した別種の形態を示し、内縮アーム９６ｉは開放型で、図１０５中の形式とは異なる。
次に、開放型の内縮アーム９６ｉには、凹凸構造９６２ｉをさらに設置され、接触インターフェースの端子或いは探知端子の接触を後方へと引き戻す。
【０１０１】
本発明は前述の各実施形態中において、ケース（金属ケース或いは樹脂ケース）を有する電気コネクターを例とするが、これに限定するものではない。
本発明の発明概念は、ケースを含まない電気コネクター中に応用することができる。
【０１０２】
図１９８〜図２０１に示す通り、二列のピンには、縦方向湾折背中合わせケーブル穿刺構造を設置し、しかも二列の接触部は、少なくとも２個の接触部前端或いは片側に、転折延伸部を設置する。
双方向両面電気コネクター７とは異なり、双方向両面電気コネクター７＊は、さらに絶縁台体７１上を覆う台体蓋７１２を有する。
次に、異なる形態の上端子インターフェースと下端子インターフェースについて後述する。
図２００中に示す通り、上端子インターフェース７３ａ＊、７３ｂ＊、７３ｃ＊、７３ｄ＊は、穿刺構造７３５ａ＊〜７３５ｄ＊をそれぞれさらに有し、相互に対応する上延伸セクション７３２ａ＊〜７３２ｄ＊（或いは上ピン）上に設置する。
しかも、穿刺構造７３５ａ＊〜７３５ｄ＊は垂直湾折し、しかも相互に対応する延伸セクション７３２ａ＊〜７３２ｄ＊の表面に突出する。
図２０１中に示す通り、下端子インターフェース７４ａ＊、７４ｂ＊、７４ｃ＊、７４ｄ＊は、相補的穿刺構造７４５ａ＊〜７４５ｄ＊をそれぞれさらに有する。
中でも、相補的穿刺構造７４５ａ＊〜７４５ｄ＊は、相互に対応する下延伸セクション７４２ａ＊〜７４２ｄ＊（或いは下ピン）上に設置され、しかも穿刺構造７３５ａ＊〜７３５ｄ＊に対応する。
相補的穿刺構造７４５ａ＊〜７４５ｄ＊は垂直湾折し、しかも相互に対応する延伸セクションの表面に露出する。
上端子インターフェース７３ａ＊〜７３ｄ＊が、相互に対応する下端子インターフェース７４ａ＊〜７４ｄ＊と重なる時、上延伸セクション７３２ａ＊〜７３２ｄ＊と下延伸セクション７４２ａ＊〜７４２ｄ＊は、並列方式で設置され、しかも穿刺構造７３５ａ＊〜７３５ｄ＊は、相互に対応する相補的穿刺構造７４５ａ＊〜７４５ｄ＊と背中合わせに相互にそれぞれ結合する（図２０２参照）。
穿刺構造７３５ａ＊〜７３５ｄ＊は、相補的穿刺構造７４５ａ＊〜７４５ｄ＊と、それぞれ絶縁台体７１の後側に相互に結合され、上述の第二次インサート・モールディングに類似した製造工程を利用し、結合した穿刺構造７３５ａ＊〜７３５ｄ＊及び相補的穿刺構造７４５ａ＊〜７４５ｄ＊を、絶縁台体７１上で押さえつけて位置を限定し、両者の結合をさらに強化する。
また同時に、穿刺構造７３５ａ＊〜７３５ｄ＊及び相補的穿刺構造７４５ａ＊〜７４５ｄ＊の、絶縁台体７１上からの離脱を回避する。
【０１０３】
前述した本発明の実施形態は本発明を限定するものではなく、よって、本発明により保護される範囲は後述される特許請求の範囲を基準とする。
【符号の説明】
【０１０４】
１  双方向電気コネクター
１ｋ  相補的コネクター
１ｎ  双方向電気コネクター
１ｐ  双方向電気コネクター
１ｑ  双方向電気コネクター
１１  絶縁台体
１１ｉ  絶縁台体
１１ｊ  絶縁台体
１１ｋ  絶縁台体
１１ｍ  絶縁台体
１２  舌板の金属部材
１２＊  舌板
１２ｉ  舌板
１２ｊ  舌板
１２ｋ  舌板
１２ｍ  舌板
１２ｐ  舌板
１２１  ショート防止凸点
１２１＊  凹槽
１２２  凸包内縮構造
１２２＊  隔絶欄
１２２ｐ  絶縁板体
１２３  端子ブリッジ
１２６  金属ブリッジ
１３  上接触端子
１３ｊ、１４ｊ  接触端子
１３ｋ、１４ｋ  上下接触端子
１３ｍ、１４ｍ  接触端子
１３ｎ  接触端子
１３ｐ、１４ｐ  接触端子
１３ｑ  接触端子
１６ｐ  金属板体
１３１ａ  接触部
１３１ｂ  接触部
１３１ｃ  接触部
１３２ｃ  延伸部
１３５ａ、１４５ａ  接触部
１３５ｂ、１４５ｂ  接触部
１３５ａ、１４５ａ  接触端子
１３５ｂ、１４５ｂ  接触端子
１３５ｎ  順向構造
１３６ｊ  延伸弾動部
１３６ｎ  逆向構造
１４  下接触端子
１４ｎ  接触端子
１４ｑ  接触端子
１４１ａ  接触部
１４１ｂ  接触部
１４１ｃ  接触部
１４１１ａ  接触部
１５  ケース
１５ｉ  ケース
１５ｊ  外ケース
１５ｋ  外ケース
１５ｍ  外ケース
１６ｉ  連接板体
１６ｑ  ピン
１６１  電気抵抗
１７ｉ  上接触部
１７１  Ｕ型連結構造
１７２  Ｕ型連結構造
１７３  Ｕ型連結構造
１８１  湾折段差
１８２  湾折段差
１８３  湾折段差
１９  外コの字型
１９ｐ  接触部
１９ｑ  接触端子
１９１  探知接触部
１９２  横方向延伸部
２  双方向電気コネクター
２ｉ  双方向電気コネクター
２ｊ  双方向電気コネクター
２ｋ  双方向電気コネクター
２ｎ  双方向電気コネクター
２ｑ  双方向電気コネクター
２ｒ  相補的コネクター
２０ｓ  回路基板
２１  絶縁台体
２１ｉ  絶縁台体
２１１  上絶縁ベース
２１２  下絶縁ベース
２１２１  凸柱
２２  舌板
２２ｉ  舌板
２２ｊ  舌板
２２ｋ  舌板
２２ｎ  舌板
２２ｑ  舌板
２２１  中段分隔板
２２１ｉ  補強板
２２１４  弾動間隙
２２２  位置限定凸部
２２２ｉ  対応接続位置限定部
２２２ｊ  対応接続位置限定部
２２３  導引構造
２２３ｉ  分隔板
２２３ｊ  分隔板
２２３ｋ  分隔板
２２３ｑ  補強板
２２４  位置限定凹槽
２２４ｉ  導斜面位置限定槽
２２４ｎ  導斜面位置限定槽
２２４１  間隙
２２４２  底部
２２５  孔洞
２２５ｎ  分隔板
２２６ｉ  補強板
２２６ｊ  補強板
２２７ｉ  前端
２２８ｉ  金属シャープネル
２３  上接触端子
２３ｉ  上接触端子
２３ｋ  上接触端子
２３１１  弾動接点
２３１２  前方斜面
２３２ｎ  接触端子
２３３ｎ  接触端子
２３４  ピン
２４  下接触端子
２４ｉ  下接触端子
２４ｋ  下接触端子
２４４  ピン
２５  ケース
２５ｉ  外ケース
２５ｍ  外ケース
２５ｓ  ケース
２５１ｍ  嵌合
２５２ｍ  面
２５３ｍ  面
３ｉ  両面電気コネクター
３ｊ  両面電気コネクター
３２ｊ  舌板
３２１ｊ  中心線
３３ｉ  上接触端子
３３ｊ、３４ｊ  接触部
３３１ｊ  接点
３３１ｋ、３３５ｋ、３４１ｋ、３４５ｋ  電源及び接地端子
３３３ｉ  導斜面
３３３ｊ  弾動接点弾動槽
３４ｉ  下接触端子
３５  金属外ケース
３５１  金属内ケース
３５１１  弾動嵌合構造
３５１２  弾動嵌合構造
３４１３  弾動嵌合構造
３５１４  弾動嵌合構造
３５１５  弾動嵌合構造
３５１６  弾動嵌合構造
３５１７  弾動嵌合構造
３５１８  弾動嵌合構造
３５１９  接地シャープネル
４  双方向電気コネクター
４ｉ  両面電気コネクター
４ｔ  双方向電気プラグ
４０ｔ  回路基板
４１  絶縁台体
４１ｔ  絶縁台体
４２  舌板
４２ｉ  浮動舌板
４２ｔ  上下弾動可能な舌板
４２１ｉ  板体
４２２  位置限定凸部
４２３  絶縁板体
４２６  金属ブリッジ
４３  上接触インターフェース
４３ｔ  上接触端子
４３１ａ  接触部
４４  下接触インターフェース
４４ｔ  下接触端子
４４１ａ  接触部
４５  ケース
４６  弾性嵌合構造
４６２  後係合面
４６１  前導斜面
４９１ａ  探知接触部
４９２  横方向延伸部
５  双方向電気コネクター
５１  絶縁台体
５２  金属舌板
５２４  直列接続構造
５２６  金属ブリッジ
５２３  端子ブリッジ
５３  上接触インターフェース
５３１ａ  接触部
５３１ｂ  接触部
５３４ａ〜５３４ｅ  上ピン
５４  下接触インターフェース
５４１ａ  接触部
５４１ｂ  接触部
５４４ａ〜５４４ｅ  下ピン
５５  ケース
５９  探知端子
６  双方向電気コネクター
６Ａ  両面電気コネクター
６ｊ  両面電気コネクター
６ｍ  両面電気コネクター
６１  絶縁台体
６１Ａ  絶縁台体
６１ｊ  絶縁台体
６１ｍ  絶縁台体
６２  金属舌板
６２ｊ  浮動舌板
６２２  位置限定凸部
６２３  端子ブリッジ
６２４  電気抵抗部材
６３  上接触インターフェース
６３１ａ  接地接触部
６４  下接触インターフェース
６４４ｍ  ピン
６５  ケース
６５Ａ  外ケース
６５ｊ  外ケース
６５ｍ  外ケース
６５１ｊ  弾性嵌合構造
６５２ｊ  金属ケース溶接ピン
６７＊  回路基板
６７ｊ  回路基板
６７ｍ  回路基板
６７１ｊ  ピン溶接パッド
６７１ｍ  開孔
６７２ｊ  導電パッド
６７３ｊ  導線
６７４ｊ  回路基板開孔
６９１  探知接触部
７  双方向電気コネクター
７１  絶縁台体
７３  接触インターフェース
７３１ａ、７４１ａ  接地接触部
７３１ｂ、７４１ｂ  電源接触部
７３１ｃ、７４１ｃ  信号接触部
７３１ｄ、７４１ｄ  信号接触部
７４  接触インターフェース
７５  ケース
７９  外コの字型
７９１  横方向延伸部
７９２  Ｕ型連結構造
７９３  Ｕ型連結構造
８  双方向電気コネクター
８１  絶縁台体
８１  第一絶縁台体
８１１  第一台体表面
８２  第二絶縁台体
８２１  導角
８２６  電気抵抗部材
８３、８４  接触インターフェース
８３ａ、８３ｂ、８３ｃ、８３ｄ  上端子インターフェース
８３１ａ、８４１ａ  接地接触部
８３１ａ  第一上接触セクション
８３１ｂ、８４１ｂ  電源接触部
８３１ｂ  第二上接触セクション
８３１ｃ  第三上接触セクション
８３１ｃ、８４１ｃ  信号接触部
８３１ｄ、８４１ｄ  信号接触部
８３１ｄ  第四上接触セクション
８３２ａ  第一上延伸セクション
８３２ｂ  第二上延伸セクション
８３２ｃ  第三上延伸セクション
８３２ｄ  第四上延伸セクション
８３３ａ、８３３ｂ、８３３ｃ、８３３ｄ  溶接盤
８３３ａ  第一上段差部
８３３ｂ  第二上段差部
８３３ｃ  第三上段差部
８３３ｄ  第四上段差部
８３５ａ  第一直列接続孔
８３５ｂ  第二直列接続孔
８３５ｃ  第三直列接続孔
８３５ｄ  第四直列接続孔
８３５ａ〜８３５ｄ  穿刺構造
８４ａ、８４ｂ、８４ｃ、８４ｄ  下端子インターフェース
８４１ａ  第一下接触セクション
８４１ｂ  第二下接触セクション
８４１ｃ  第三下接触セクション
８４１ｄ  第四下接触セクション
８４２ａ  第一下延伸セクション
８４２ｂ  第二下延伸セクション
８４２ｃ  第三下延伸セクション
８４２ｄ  第四下延伸セクション
８４３ａ  第一下転折セクション
８４３ｂ  第二下転折セクション
８４３ｃ  第三下転折セクション
８４３ｄ  第四下転折セクション
８４４ａ  第一下段差部
８４４ｂ  第二下段差部
８４４ｃ  第三下段差部
８４４ｄ  第四下段差部
８４５ａ〜８４５ｄ  相補的穿刺構造
８５  ケース
８５  外ケース
８７３  端子ブリッジ
８９１  横方向延伸部
８９４  ショート防止凸点
９０１ｉ  金属板材
９０２ｉ  ベルト
９３ｉ、９４ｉ  接触端子
９５ｉ  金属内縮アーム
９５１ｉ  連結ブリッジ
９５２ｉ  凸包構造
９６１ｉ  無電気メッキ構造
【図１】
2018520486.tif 000003
【図２】
2018520486.tif 000004
【図３】
2018520486.tif 000005
【図４】
2018520486.tif 000006
【図５】
2018520486.tif 000007
【図６】
2018520486.tif 000008
【図７】
2018520486.tif 000009
【図８】
2018520486.tif 000010
【図９】
2018520486.tif 000011
【図１０】
2018520486.tif 000012
【図１１】
2018520486.tif 000013
【図１２】
2018520486.tif 000014
【図１３】
2018520486.tif 000015
【図１４】
2018520486.tif 000016
【図１５】
2018520486.tif 000017
【図１６】
2018520486.tif 000018
【図１７】
2018520486.tif 000019
【図１８】
2018520486.tif 000020
【図１９】
2018520486.tif 000021
【図２０】
2018520486.tif 000022
【図２１】
2018520486.tif 000023
【図２２】
2018520486.tif 000024
【図２３】
2018520486.tif 000025
【図２４】
2018520486.tif 000026
【図２５】
2018520486.tif 000027
【図２６】
2018520486.tif 000028
【図２７】
2018520486.tif 000029
【図２８】
2018520486.tif 000030
【図２９】
2018520486.tif 000031
【図３０】
2018520486.tif 000032
【図３１】
2018520486.tif 000033
【図３２】
2018520486.tif 000034
【図３３】
2018520486.tif 000035
【図３４】
2018520486.tif 000036
【図３５】
2018520486.tif 000037
【図３６】
2018520486.tif 000038
【図３７】
2018520486.tif 000039
【図３８】
2018520486.tif 000040
【図３９】
2018520486.tif 000041
【図４０】
2018520486.tif 000042
【図４１】
2018520486.tif 000043
【図４２】
2018520486.tif 000044
【図４３】
2018520486.tif 000045
【図４４】
2018520486.tif 000046
【図４５】
2018520486.tif 000047
【図４６】
2018520486.tif 000048
【図４７】
2018520486.tif 000049
【図４８】
2018520486.tif 000050
【図４９】
2018520486.tif 000051
【図５０】
2018520486.tif 000052
【図５１】
2018520486.tif 000053
【図５２】
2018520486.tif 000054
【図５３】
2018520486.tif 000055
【図５４】
2018520486.tif 000056
【図５５】
2018520486.tif 000057
【図５６】
2018520486.tif 000058
【図５７】
2018520486.tif 000059
【図５８】
2018520486.tif 000060
【図５９】
2018520486.tif 000061
【図６０】
2018520486.tif 000062
【図６１】
2018520486.tif 000063
【図６２】
2018520486.tif 000064
【図６３】
2018520486.tif 000065
【図６４】
2018520486.tif 000066
【図６５】
2018520486.tif 000067
【図６６】
2018520486.tif 000068
【図６７】
2018520486.tif 000069
【図６８】
2018520486.tif 000070
【図６９】
2018520486.tif 000071
【図７０】
2018520486.tif 000072
【図７１】
2018520486.tif 000073
【図７２】
2018520486.tif 000074
【図７３】
2018520486.tif 000075
【図７４】
2018520486.tif 000076
【図７５】
2018520486.tif 000077
【図７６】
2018520486.tif 000078
【図７７】
2018520486.tif 000079
【図７８】
2018520486.tif 000080
【図７９】
2018520486.tif 000081
【図８０】
2018520486.tif 000082
【図８１】
2018520486.tif 000083
【図８２】
2018520486.tif 000084
【図８３】
2018520486.tif 000085
【図８４】
2018520486.tif 000086
【図８５】
2018520486.tif 000087
【図８６】
2018520486.tif 000088
【図８７】
2018520486.tif 000089
【図８８】
2018520486.tif 000090
【図８９】
2018520486.tif 000091
【図９０】
2018520486.tif 000092
【図９１】
2018520486.tif 000093
【図９２】
2018520486.tif 000094
【図９３】
2018520486.tif 000095
【図９４】
2018520486.tif 000096
【図９５】
2018520486.tif 000097
【図９６】
2018520486.tif 000098
【図９７】
2018520486.tif 000099
【図９８】
2018520486.tif 000100
【図９９】
2018520486.tif 000101
【図１００】
2018520486.tif 000102
【図１０１】
2018520486.tif 000103
【図１０２】
2018520486.tif 000104
【図１０３】
2018520486.tif 000105
【図１０４】
2018520486.tif 000106
【図１０５】
2018520486.tif 000107
【図１０６】
2018520486.tif 000108
【図１０７】
2018520486.tif 000109
【図１０８】
2018520486.tif 000110
【図１０９】
2018520486.tif 000111
【図１１０】
2018520486.tif 000112
【図１１１】
2018520486.tif 000113
【図１１２】
2018520486.tif 000114
【図１１３】
2018520486.tif 000115
【図１１４】
2018520486.tif 000116
【図１１５】
2018520486.tif 000117
【図１１６】
2018520486.tif 000118
【図１１７】
2018520486.tif 000119
【図１１８】
2018520486.tif 000120
【図１１９】
2018520486.tif 000121
【図１２０】
2018520486.tif 000122
【図１２１】
2018520486.tif 000123
【図１２２】
2018520486.tif 000124
【図１２３】
2018520486.tif 000125
【図１２４】
2018520486.tif 000126
【図１２５】
2018520486.tif 000127
【図１２６】
2018520486.tif 000128
【図１２７】
2018520486.tif 000129
【図１２８】
2018520486.tif 000130
【図１２９】
2018520486.tif 000131
【図１３０】
2018520486.tif 000132
【図１３１】
2018520486.tif 000133
【図１３２】
2018520486.tif 000134
【図１３３】
2018520486.tif 000135
【図１３４】
2018520486.tif 000136
【図１３５】
2018520486.tif 000137
【図１３６】
2018520486.tif 000138
【図１３７】
2018520486.tif 000139
【図１３８】
2018520486.tif 000140
【図１３９】
2018520486.tif 000141
【図１４０】
2018520486.tif 000142
【図１４１】
2018520486.tif 000143
【図１４２】
2018520486.tif 000144
【図１４３】
2018520486.tif 000145
【図１４４】
2018520486.tif 000146
【図１４５】
2018520486.tif 000147
【図１４６】
2018520486.tif 000148
【図１４７】
2018520486.tif 000149
【図１４８】
2018520486.tif 000150
【図１４９】
2018520486.tif 000151
【図１５０】
2018520486.tif 000152
【図１５１】
2018520486.tif 000153
【図１５２】
2018520486.tif 000154
【図１５３】
2018520486.tif 000155
【図１５４】
2018520486.tif 000156
【図１５５】
2018520486.tif 000157
【図１５６】
2018520486.tif 000158
【図１５７】
2018520486.tif 000159
【図１５８】
2018520486.tif 000160
【図１５９】
2018520486.tif 000161
【図１６０】
2018520486.tif 000162
【図１６１】
2018520486.tif 000163
【図１６２】
2018520486.tif 000164
【図１６３】
2018520486.tif 000165
【図１６４】
2018520486.tif 000166
【図１６５】
2018520486.tif 000167
【図１６６】
2018520486.tif 000168
【図１６７】
2018520486.tif 000169
【図１６８】
2018520486.tif 000170
【図１６９】
2018520486.tif 000171
【図１７０】
2018520486.tif 000172
【図１７１】
2018520486.tif 000173
【図１７２】
2018520486.tif 000174
【図１７３】
2018520486.tif 000175
【図１７４】
2018520486.tif 000176
【図１７５】
2018520486.tif 000177
【図１７６】
2018520486.tif 000178
【図１７７】
2018520486.tif 000179
【図１７８】
2018520486.tif 000180
【図１７９】
2018520486.tif 000181
【図１８０】
2018520486.tif 000182
【図１８１】
2018520486.tif 000183
【図１８２】
2018520486.tif 000184
【図１８３】
2018520486.tif 000185
【図１８４】
2018520486.tif 000186
【図１８５】
2018520486.tif 000187
【図１８６】
2018520486.tif 000188
【図１８７】
2018520486.tif 000189
【図１８８】
2018520486.tif 000190
【図１８９】
2018520486.tif 000191
【図１９０】
2018520486.tif 000192
【図１９１】
2018520486.tif 000193
【図１９２】
2018520486.tif 000194
【図１９３】
2018520486.tif 000195
【図１９４】
2018520486.tif 000196
【図１９５】
2018520486.tif 000197
【図１９６】
2018520486.tif 000198
【図１９７】
2018520486.tif 000199
【図１９８】
2018520486.tif 000200
【図１９９】
2018520486.tif 000201
【図２００】
2018520486.tif 000202
【図２０１】
2018520486.tif 000203
【図２０２】
2018520486.tif 000204
【国際調査報告】
2018520486.tif 000205
2018520486.tif 000206
2018520486.tif 000207
2018520486.tif 000208
2018520486.tif 000209
2018520486.tif 000210
2018520486.tif 000211
2018520486.tif 000212